(57)【特許請求の範囲】
【請求項１】
無線通信システムにおける方法において、
ドナー発展型Ｎｏｄｅ Ｂ（ｅＮＢ）からユーザ装置（ＵＥ）へルーティングされる１又は複数のパケットのヘッダからシーケンス番号を取得することと、
前記ドナーｅＮＢとのハンドオーバー手続きを要求することと、
前記ハンドオーバー手続きの一部として、前記シーケンス番号のうちの少なくとも一つを前記ドナーｅＮＢへ送信することを含み、前記シーケンス番号のうちの前記少なくとも一つは、前記ＵＥへ送信される最後のパケットに対応するものである方法。
【請求項２】
前記ハンドオーバー手続きを要求することは、前記ＵＥをハンドオーバーするために前記ドナーｅＮＢとのハンドオーバー手続きを要求することを更に含む請求項１の方法。
【請求項３】
前記ハンドオーバー手続きを要求することは、前記ターゲット・リレーｅＮＢとのハンドオーバー手続きを要求することを更に含む請求項２の方法。
【請求項４】
アップリンク・バッファのコンテンツを前記ドナーｅＮＢへ提供することを更に含み、
前記アップリンク・バッファは、前記ＵＥから前記ドナーｅＮＢへパケットを通信することを容易にするものであり、
前記ターゲット・リレーｅＮＢは、異なるドナーｅＮＢからのネットワーク・アクセスを受信する請求項３の方法。
【請求項５】
前記ハンドオーバー手続きを要求することは、前記ターゲット・ドナーｅＮＢへハンドオーバー手続きを要求することを含む請求項１の方法。
【請求項６】
複数のＵＥへネットワーク・アクセスを提供することを更に含み、
前記ハンドオーバー手続きの一部として、前記シーケンス番号のうちの前記少なくとも一つを前記ドナーｅＮＢへ前記送信することは、前記ハンドオーバー手続きの一部として、前記複数のＵＥに関係する複数のシーケンス番号を前記ドナーｅＮＢへ送信することを更に含む請求項５の方法。
【請求項７】
無線通信装置において、
ユーザ装置（ＵＥ）へ送信するためにドナー発展型Ｎｏｄｅ Ｂ（ｅＮＢ）から取得される１又は複数のパケットのヘッダからシーケンス番号を受信し、
前記ドナーｅＮＢとのハンドオーバー手続きを開始し、
前記ハンドオーバー手続き中に、前記シーケンス番号のうちの少なくとも一つを前記ドナーｅＮＢへ通信するように構成される少なくとも一つのプロセッサと、
前記少なくとも一つのプロセッサに接続するメモリとを含み、
前記シーケンス番号のうちの前記少なくとも一つは、前記ＵＥへ送信される最後のパケットに対応するものである無線通信装置。
【請求項８】
前記ハンドオーバー手続きは、前記ＵＥをターゲット・リレーｅＮＢへハンドオーバーすることに関係する請求項７の無線通信装置。
【請求項９】
前記少なくとも一つのプロセッサは、アップリンク・バッファからドナーｅＮＢへ１又は複数のパケットを送信するように更に構成され、
前記アップリンク・バッファは、前記ＵＥから前記ドナーｅＮＢへ通信するためのパケットを含み、
前記ターゲット・リレーｅＮＢは、異なるドナーｅＮＢからのネットワーク・アクセスを受信する請求項８の無線通信装置。
【請求項１０】
前記ハンドオーバー手続きは、ターゲット・ドナーｅＮＢへハンドオーバーを要求することに関係する請求項７の無線通信装置。
【請求項１１】
前記少なくとも一つのプロセッサは、複数のＵＥへネットワーク・アクセスを提供すように更に構成され、
前記少なくとも一つのプロセッサは、前記ハンドオーバー手続き中に、前記シーケンス番号のうちの前記少なくとも一つを前記ドナーｅＮＢへ通信し、更に、前記ハンドオーバー手続き中に、前記複数のＵＥに関係する複数のシーケンス番号を通信する請求項１０の無線通信装置。
【請求項１２】
装置において、
ユーザ装置（ＵＥ）へ送信するためにドナー発展型Ｎｏｄｅ Ｂ（ｅＮＢ）から受信される１又は複数のパケットのヘッダからシーケンス番号を受信するための手段と、
前記ドナーｅＮＢとのハンドオーバー手続きを要求するための手段と、
前記ハンドオーバー手続きの一部として、前記シーケンス番号のうちの少なくとも一つを前記ドナーｅＮＢへ送信するための手段とを含む装置。
【請求項１３】
前記ハンドオーバー手続きは、前記ＵＥをターゲット・リレーｅＮＢへハンドオーバーすることに関係する請求項１２の装置。
【請求項１４】
アップリンク・バッファのコンテンツを前記ドナーｅＮＢへ提供するための手段を更に含み、
前記アップリンク・バッファは、前記ＵＥから前記ドナーｅＮＢへパケットを通信することを容易にするものであり、
前記ターゲット・リレーｅＮＢは、異なるドナーｅＮＢからのネットワーク・アクセスを受信する請求項１３の装置。
【請求項１５】
前記ハンドオーバー手続きは、異なるドナーｅＮＢへハンドオーバーすることに関係する請求項１２の装置。
【請求項１６】
コードを記録したコンピュータ読み取り可能な記録媒体において、前記コードは、
少なくとも一つのコンピュータに、ユーザ装置（ＵＥ）へ送信するためにドナー発展型Ｎｏｄｅ Ｂ（ｅＮＢ）から取得される１又は複数のパケットのヘッダからシーケンス番号を受信させるためのコードと、
前記少なくとも一つのコンピュータに、前記ドナーｅＮＢとのハンドオーバー手続きを開始させるためのコードと、
前記少なくとも一つのコンピュータに、前記ハンドオーバー手続き中に、前記シーケンス番号のうちの少なくとも一つを前記ドナーｅＮＢへ通信させるためのコードとを含み、
前記シーケンス番号のうちの前記少なくとも一つは、前記ＵＥへ送信される最後のパケットに対応するものであるコンピュータ読み取り可能な記録媒体。
【請求項１７】
前記ハンドオーバー手続きは、前記ＵＥをターゲット・リレーｅＮＢへハンドオーバーすることに関係する請求項１６のコンピュータ読み取り可能な記録媒体。
【請求項１８】
前記コードは、前記少なくとも一つのコンピュータに、アップリンク・バッファから前記ドナーｅＮＢへ１又は複数のパケットを送信させるためのコードを更に含み、
前記アップリンク・バッファは、前記ＵＥから前記ドナーｅＮＢへ通信するためのパケットを含む請求項１７のコンピュータ読み取り可能な記録媒体。
【請求項１９】
前記ハンドオーバー手続きは、ターゲット・ドナーｅＮＢへハンドオーバーを要求することに関係する請求項１６のコンピュータ読み取り可能な記録媒体。
【請求項２０】
前記コードは、前記少なくとも一つのコンピュータに、複数のＵＥへネットワーク・アクセスを提供させるためのコードを更に含み、
前記少なくとも一つのコンピュータに通信させるための前記コードは、前記ハンドオーバー手続き中に、前記シーケンス番号のうちの前記少なくとも一つを前記ドナーｅＮＢへ通信し、更に、前記ハンドオーバー手続き中に、前記複数のＵＥに関係する複数のシーケンス番号を通信する請求項１９のコンピュータ読み取り可能な記録媒体。
【請求項２１】
装置において、
ユーザ装置（ＵＥ）へ送信するためにドナー発展型Ｎｏｄｅ Ｂ（ｅＮＢ）から受信される１又は複数のパケットのヘッダからシーケンス番号を取得するパケット・データ・コンバージェンス・プロトコル（ＰＤＣＰ）ヘッダ観測コンポーネントと、
前記ドナーｅＮＢとのハンドオーバー手続きを要求するハンドオーバー処理コンポーネントと、
前記ハンドオーバー手続きの一部として、前記シーケンス番号のうちの少なくとも一つを前記ドナーｅＮＢへ送信するＰＤＣＰパラメータ提供コンポーネントとを含む装置。
【請求項２２】
前記ハンドオーバー手続きは、前記ＵＥをターゲット・リレーｅＮＢへハンドオーバーすることに関係する請求項２１の装置。
【請求項２３】
アップリンク・バッファの１又は複数の異なるパケットを前記ドナーｅＮＢへ通信するアップリンク・バッファ・コンテンツ・コンポーネントを更に含み、
前記アップリンク・バッファは、前記ＵＥから前記ドナーｅＮＢへ前記１又は複数の異なるパケットを通信することを容易にする請求項２２の装置。
【請求項２４】
前記ハンドオーバー手続きは、異なるドナーｅＮＢへハンドオーバーすることに関係する請求項２１の装置。
【請求項２５】
無線通信システムにおける方法において、
ハンドオーバー手続きを開始するためのリクエストを、リレー発展型Ｎｏｄｅ Ｂ（ｅＮＢ）から受信することと、
前記リレーｅＮＢにより少なくとも一つのユーザ装置（ＵＥ）へ送信される最後のパケットのシーケンス番号を取得することと、
前記少なくとも一つのＵＥへ提供するための前記シーケンス番号に続く異なるシーケンス番号を有するパケットを判定することを含む方法。
【請求項２６】
前記少なくとも一つのＵＥへ提供するための前記異なるシーケンス番号を有するパケットを、前記ターゲット・リレーｅＮＢへ送信することを更に含み、
前記ハンドオーバー手続きは、前記少なくとも一つのＵＥを前記ターゲット・リレーｅＮＢへハンドオーバーすることに関係する請求項２５の方法。
【請求項２７】
前記少なくとも一つのＵＥと通信するための１又は複数の無線ベアラを確立するためのリクエストを、前記ターゲット・リレーｅＮＢへ送信することを更に含む請求項２６の方法。
【請求項２８】
前記ハンドオーバー手続きは、前記少なくとも一つのＵＥを、異なるドナーｅＮＢと通信するターゲット・リレーｅＮＢへハンドオーバーすることに関係する請求項２５の方法。
【請求項２９】
前記少なくとも一つのＵＥに関係するパケット・データ・コンバージェンス・プロトコル（ＰＤＣＰ）コンテキストを、前記異なるドナーｅＮＢへ送信することを更に含む請求項２８の方法。
【請求項３０】
前記少なくとも一つのＵＥに関係する前記ＰＤＣＰコンテキストは、パケット・バッファを含み、該パケット・バッファは、１又は複数のフロー制御パラメータに従って前記少なくとも一つのＵＥへ送信するために、前記異なるシーケンス番号を有する前記パケットを含む請求項２９の方法。
【請求項３１】
前記少なくとも一つのＵＥと通信することを容易にするために、無線ベアラ及び対応するコアネットワーク・ベアラを確立することに関係する１又は複数のパラメータを、前記異なるドナーｅＮＢへ送信することを更に含む請求項３０の方法。
【請求項３２】
前記少なくとも一つのＵＥからの通信に関係するアップリンク・バッファのコンテンツを、前記リレーｅＮＢから受信することを更に含む請求項３０の方法。
【請求項３３】
前記アップリンク・バッファのコンテンツを、前記異なるドナーｅＮＢへ送信することを更に含む請求項３２の方法。
【請求項３４】
前記ハンドオーバー手続きは、前記リレーｅＮＢを異なるドナーｅＮＢへハンドオーバーすることに関係する請求項２５の方法。
【請求項３５】
前記リレーｅＮＢと通信している前記少なくとも一つのＵＥを含む複数のＵＥに関係する複数のパケット・データ・コンバージェンス・プロトコル・コンテキストを、前記異なるドナーｅＮＢへ送信することを更に含む請求項３４の方法。
【請求項３６】
前記複数のＵＥと通信するための前記リレーｅＮＢにより確立される無線ベアラに関係するコアネットワーク・ベアラを確立することに関係する１又は複数のパラメータを、前記異なるドナーｅＮＢへ送信することを更に含む請求項３５の方法。
【請求項３７】
無線通信装置において、
ハンドオーバー手続きを開始するためのリクエストを、リレー発展型Ｎｏｄｅ Ｂ（ｅＮＢ）から取得し、
前記リレーｅＮＢにより少なくとも一つのユーザ装置（ＵＥ）へ送信される最後のパケットのシーケンス番号を受信し、
前記少なくとも一つのＵＥへ提供するための前記シーケンス番号に続く異なるシーケンス番号を有するパケットを確認するように構成される少なくとも一つのプロセッサと、
前記少なくとも一つのプロセッサに接続するメモリとを含む無線通信装置。
【請求項３８】
前記少なくとも一つのプロセッサは、前記異なるシーケンス番号を有する前記パケットを、前記ターゲット・リレーｅＮＢへ送信するように更に構成され、
前記ハンドオーバー手続きは、前記少なくとも一つのＵＥを前記ターゲット・リレーｅＮＢへハンドオーバーすることに関係する請求項３７の無線通信装置。
【請求項３９】
前記少なくとも一つのプロセッサは、前記少なくとも一つのＵＥと通信するための１又は複数の無線ベアラを確立するためのリクエストを、前記ターゲット・リレーｅＮＢへ通信するように更に構成される請求項３８の無線通信装置。
【請求項４０】
前記ハンドオーバー手続きは、前記少なくとも一つのＵＥを、異なるドナーｅＮＢと通信するターゲット・リレーｅＮＢへハンドオーバーすることに関係する請求項３７の無線通信装置。
【請求項４１】
前記少なくとも一つのプロセッサは、前記少なくとも一つのＵＥに関係するパケット・データ・コンバージェンス・プロトコル（ＰＤＣＰ）コンテキストを、前記異なるドナーｅＮＢへ送信するように更に構成され、
前記ＰＤＣＰコンテキストは、前記少なくとも一つのＵＥへ通信するための前記異なるシーケンス番号を有する前記パケットを含むパケット・バッファを含む請求項４０の無線通信装置。
【請求項４２】
前記少なくとも一つのプロセッサは、前記少なくとも一つのＵＥと通信することに関係する無線ベアラ及び対応するコアネットワーク・ベアラを確立することに関係する１又は複数のパラメータを、前記異なるドナーｅＮＢへ送信するように更に構成される請求項４１の無線通信装置。
【請求項４３】
前記少なくとも一つのプロセッサは、
前記リレーｅＮＢからアップリンク・バッファの１又は複数の異なるパケットを受信し、
前記１又は複数の異なるパケットを前記異なるドナーｅＮＢへ送信するように更に構成される請求項４１の無線通信装置。
【請求項４４】
前記ハンドオーバー手続きは、前記リレーｅＮＢを異なるドナーｅＮＢへハンドオーバーすることに関係する請求項３７の無線通信装置。
【請求項４５】
前記少なくとも一つのプロセッサは、前記少なくとも一つのＵＥを含む複数のＵＥに関係する複数のパケット・データ・コンバージェンス・プロトコル・コンテキスト、及び、
前記複数のＵＥと通信するための少なくとも一つのコアネットワーク・ベアラを確立することに関係する１又は複数のパラメータを、前記異なるドナーｅＮＢへ送信するように更に構成される請求項４４の無線通信装置。
【請求項４６】
装置において、
前記リレーｅＮＢとのハンドオーバー手続きの一部として、リレー発展型Ｎｏｄｅ Ｂ（ｅＮＢ）により少なくとも一つのユーザ装置（ＵＥ）へ送信される最後のパケットのシーケンス番号を受信するための手段と、
前記少なくとも一つのＵＥへ通信するための前記シーケンス番号に続く異なるシーケン
ス番号を有する次のパケットを判定するための手段とを含む装置。
【請求項４７】
前記少なくとも一つのＵＥへ提供するための前記次のパケットを、ターゲット・リレーｅＮＢへ送信するための手段を更に含み、
前記ハンドオーバー手続きは、前記少なくとも一つのＵＥを前記ターゲット・リレーｅＮＢへハンドオーバーすることに関係する請求項４６の装置。
【請求項４８】
前記少なくとも一つのＵＥと通信することに関係する１又は複数の無線ベアラ又はコアネットワーク・ベアラを確立するためのリクエストを、ターゲットｅＮＢへ送信するための手段を更に含む請求項４６の装置。
【請求項４９】
前記少なくとも一つのＵＥに関係するパケット・データ・コンバージェンス・プロトコル（ＰＤＣＰ）コンテキストを、異なるドナーｅＮＢへ送信するための手段を更に含み、
該パケット・データ・コンバージェンス・プロトコル（ＰＤＣＰ）コンテキストは、前記次のパケットを含むパケット・バッファを含み、
前記ハンドオーバー手続きは、前記少なくとも一つのＵＥを、前記異なるドナーｅＮＢと通信するターゲット・リレーｅＮＢへハンドオーバーすることに関係する請求項４６の装置。
【請求項５０】
前記リレーｅＮＢからアップリンク・バッファのコンテンツを受信するための手段と、
前記アップリンク・バッファの前記コンテンツを、前記異なるドナーｅＮＢへ提供するための手段とを更に含む請求項４９の装置。
【請求項５１】
前記少なくとも一つのＵＥを含む複数のＵＥに関係する複数のパケット・データ・コンバージェンス・プロトコル・コンテキストを、異なるドナーｅＮＢへ送信するための手段を更に含み、
前記ハンドオーバー手続きは、前記リレーｅＮＢを前記異なるドナーｅＮＢへハンドオーバーすることに関係する請求項４６の装置。
【請求項５２】
コードを記録したコンピュータ読み取り可能な記録媒体において、前記コードは、
少なくとも一つのコンピュータに、ハンドオーバー手続きを開始するためのリクエストを、リレー発展型Ｎｏｄｅ Ｂ（ｅＮＢ）から取得させるためのコードと、
前記少なくとも一つのコンピュータに、前記リレーｅＮＢにより少なくとも一つのユーザ装置（ＵＥ）へ送信される最後のパケットのシーケンス番号を受信させるためのコードと、
前記少なくとも一つのコンピュータに、前記少なくとも一つのＵＥへ提供するための、前記シーケンス番号に続く異なるシーケンス番号を有するパケットを確認させるためのコードとを含むコンピュータ読み取り可能な記録媒体。
【請求項５３】
前記コードは、前記少なくとも一つのコンピュータに、前記異なるシーケンス番号を有する前記パケットを、前記ターゲット・リレーｅＮＢへ送信させるためのコードを更に含み、
前記ハンドオーバー手続きは、前記少なくとも一つのＵＥを前記ターゲット・リレーｅＮＢへハンドオーバーすることに関係する請求項５２のコンピュータ読み取り可能な記録媒体。
【請求項５４】
前記コードは、前記少なくとも一つのコンピュータに、前記少なくとも一つのＵＥと通信するための１又は複数の無線ベアラを確立するためのリクエストを、前記ターゲット・リレーｅＮＢへ送信させるためのコードを更に含む請求項５３のコンピュータ読み取り可能な記録媒体。
【請求項５５】
前記ハンドオーバー手続きは、前記少なくとも一つのＵＥを、異なるドナーｅＮＢと通信するターゲット・リレーｅＮＢへハンドオーバーすることに関係する請求項５２のコンピュータ読み取り可能な記録媒体。
【請求項５６】
前記コードは、前記少なくとも一つのコンピュータに、前記少なくとも一つのＵＥに関係するパケット・データ・コンバージェンス・プロトコル（ＰＤＣＰ）コンテキストを、前記異なるドナーｅＮＢへ送信させるためのコードを更に含み、
前記ＰＤＣＰコンテキストは、前記少なくとも一つのＵＥへ通信するための前記異なるシーケンス番号を有する前記パケットを含むパケット・バッファを含む請求項５５のコンピュータ読み取り可能な記録媒体。
【請求項５７】
前記コードは、前記少なくとも一つのＵＥと通信するための無線ベアラ及び対応するコアネットワーク・ベアラを確立することに関係する１又は複数のパラメータを、前記異なるドナーｅＮＢへ送信させるためのコードを更に含む請求項５６のコンピュータ読み取り可能な記録媒体。
【請求項５８】
前記コードは、前記少なくとも一つのコンピュータに、前記リレーｅＮＢからアップリンク・バッファの１又は複数の異なるパケットを受信させ、前記１又は複数の異なるパケットを前記異なるドナーｅＮＢへ送信させるためのコードを更に含む請求項５６のコンピュータ読み取り可能な記録媒体。
【請求項５９】
前記ハンドオーバー手続きは、前記リレーｅＮＢを異なるドナーｅＮＢへハンドオーバーすることに関係する請求項５２のコンピュータ読み取り可能な記録媒体。
【請求項６０】
前記コードは、前記少なくとも一つのコンピュータに、前記少なくとも一つのＵＥを含む複数のＵＥに関係する複数のパケット・データ・コンバージェンス・プロトコル・コンテキスト、及び、前記複数のＵＥと通信するための少なくとも一つのコアネットワーク・ベアラを確立することに関係する１又は複数のパラメータを、
前記異なるドナーｅＮＢへ送信させるためのコードを更に含む請求項５９のコンピュータ読み取り可能な記録媒体。
【請求項６１】
装置において、
前記リレーｅＮＢとのハンドオーバー手続きの一部として、リレー発展型Ｎｏｄｅ Ｂ（ｅＮＢ）により少なくとも一つのユーザ装置（ＵＥ）へ送信される最後のパケットのシーケンス番号を取得するパケット・データ・コンバージェンス・プロトコル（ＰＤＣＰ）パラメータ受信コンポーネントと、
前記シーケンス番号を記憶し、前記少なくとも一つのＵＥへ通信するための前記シーケンス番号に続く異なるシーケンス番号を有する次のパケットを判定するＰＤＣＰコンテキスト維持コンポーネントとを含む装置。
【請求項６２】
前記少なくとも一つのＵＥへ提供するための前記次のパケットを、ターゲット・リレーｅＮＢへ送信するＰＤＣＰパラメータ提供コンポーネントを更に含み、
前記ハンドオーバー手続きは、前記少なくとも一つのＵＥを前記ターゲット・リレーｅＮＢへハンドオーバーすることに関係する請求項６１の装置。
【請求項６３】
前記少なくとも一つのＵＥで通信することに関係する１又は複数の無線ベアラ又はコアネットワーク・ベアラを確立するためのリクエストを、ターゲットｅＮＢへ送信するベアラ情報提供コンポーネントを更に含む請求項６１の装置。
【請求項６４】
前記少なくとも一つのＵＥに関係するＰＤＣＰコンテキストを、異なるドナーｅＮＢへ送信するＰＤＣＰパラメータ提供コンポーネントを更に含み、該ＰＤＣＰコンテキストは、前記次のパケットを含むパケット・バッファを含み、
前記ハンドオーバー手続きは、前記少なくとも１つのＵＥを、前記異なるドナーｅＮＢと通信するターゲット・リレーｅＮＢへハンドオーバーすることに関係する請求項６１の
装置。
【請求項６５】
前記リレーｅＮＢからアップリンク・バッファのコンテンツを取得するアップリンク・バッファ・コンテンツ受信コンポーネントと、
前記アップリンク・バッファのコンテンツを、前記異なるドナーｅＮＢへ送信するアップリンク・バッファ・コンテンツ提供コンポーネントとを更に含む請求項６４の装置。
【請求項６６】
前記少なくとも一つのＵＥを含む複数のＵＥに関係する複数のＰＤＣＰを、異なるドナーｅＮＢへ送信するＰＤＣＰパラメータ提供コンポーネントを更に含み、
前記ハンドオーバー手続きは、前記リレーｅＮＢを前記異なるドナーｅＮＢへハンドオーバーすることに関係する請求項６１の装置。
【請求項６７】
無線通信システムにおける方法において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを受信することと、
前記コアネットワークと少なくとも一つのベアラを確立することと、
前記少なくとも一つのベアラの上で前記コアネットワークからパケットを受信することと、
前記ＵＥへ提供するためのパケットを、リレーｅＮＢへ通信することを含む方法。
【請求項６８】
ハンドオーバー手続きの一部として、前記ドナーｅＮＢから、前記ＵＥと通信するために確立するための少なくとも一つの無線ベアラに関する１又は複数の異なるパラメータを受信することと、
前記１又は複数の異なるパラメータに少なくとも部分的に基づいて、前記少なくとも一つの無線ベアラを確立するためのリクエストを、前記リレーｅＮＢへ送信することを更に含む請求項６７の方法。
【請求項６９】
前記パケットにおいて前記少なくとも一つの無線ベアラの識別子を示すことを更に含む請求項６８の方法。
【請求項７０】
前記ＵＥと通信することに関するパケット・データ・コンバージェンス・プロトコル（ＰＤＣＰ）コンテキストを、前記ドナーｅＮＢから取得することと、
前記ＵＥへ提供するために、ＰＤＣＰコンテキストにおけるバッファからの１又は複数のパケットを、前記リレーｅＮＢへ送信することを更に含む請求項６９の方法。
【請求項７１】
前記ハンドオーバー手続きは、前記ドナーｅＮＢから前記リレーｅＮＢをハンドオーバーすることに関係する請求項６７の方法。
【請求項７２】
前記ＵＥと通信している異なるリレーｅＮＢのアップリンク・バッファのコンテンツを受信することと、
前記アップリンク・バッファの前記コンテンツを、前記コアネットワークへ通信することを更に含む請求項７１の方法。
【請求項７３】
前記ＵＥへ提供するために、前記アップリンク・バッファの前記コンテンツのうちの少なくとも一部に応答して、前記コアネットワークから１又は複数のパケットを受信することを更に含む請求項７２の方法。
【請求項７４】
無線通信装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得し、
前記コアネットワークと少なくとも一つのベアラをアクティベートし、
前記少なくとも一つのベアラの上で前記コアネットワークからパケットを取得し、
前記ＵＥへ提供するためのパケットを、リレーｅＮＢへ通信するように構成される少なくとも一つのプロセッサと、
前記少なくとも一つのプロセッサに接続するメモリとを含む無線通信装置。
【請求項７５】
前記少なくとも一つのプロセッサは、
前記ドナーｅＮＢから、前記ＵＥと通信するために確立するための少なくとも一つの無線ベアラに関する前記ハンドオーバー手続き中に、１又は複数の異なるパラメータを取得することと、
前記１又は複数の異なるパラメータに少なくとも部分的に基づいて、前記少なくとも一つの無線ベアラを確立するためのリクエストを、前記リレーｅＮＢへ通信するように更に構成される請求項７４の無線通信装置。
【請求項７６】
前記少なくとも一つのプロセッサは、前記パケットにおいて前記少なくとも一つの無線ベアラを識別するように更に構成される請求項７５の無線通信装置。
【請求項７７】
前記少なくとも一つのプロセッサは、
前記ＵＥと通信することに関係する前記ドナーｅＮＢから、パケット・データ・コンバージェンス・プロトコル（ＰＤＣＰ）コンテキストを取得することと、
前記ＵＥへ送信するために、前記ＰＤＣＰコンテキストにおけるバッファからの１又は複数のパケットを、前記リレーｅＮＢへ提供するように更に構成される請求項７６の無線通信装置。
【請求項７８】
前記少なくとも一つのプロセッサは、
前記ＵＥと通信している異なるリレーｅＮＢのアップリンク・バッファのコンテンツを取得することと、
前記アップリンク・バッファの前記コンテンツを、前記コアネットワークへ通信するように更に構成され、
前記ハンドオーバー手続きは、前記ドナーｅＮＢから前記リレーｅＮＢをハンドオーバーすることに関係する請求項７４の無線通信装置。
【請求項７９】
前記少なくとも一つのプロセッサは、前記ＵＥへ提供するために、前記アップリンク・バッファの前記コンテンツのうちの少なくとも一部に応答して、前記コアネットワークから１又は複数のパケットを受信するように更に構成される請求項７８の無線通信装置。
【請求項８０】
装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを受信するための手段と、
前記コアネットワークと少なくとも一つのベアラを確立するための手段と、
前記少なくとも一つのベアラの上で前記コアネットワークからパケットを受信するための手段と、
前記ＵＥへ提供するためのパケットを、リレーｅＮＢへ通信するための手段とを含む装置。
【請求項８１】
前記ハンドオーバー手続きの一部として、前記１又は複数のパラメータを受信するための前記手段は、前記ドナーｅＮＢから、前記ＵＥと通信するために確立するための少なくとも一つの無線ベアラに関係する１又は複数の異なるパラメータを受信し、
前記少なくとも一つのベアラを確立するための前記手段は、前記１又は複数の異なるパラメータに少なくとも部分的に基づいて、前記少なくとも一つの無線ベアラを確立するためのリクエストを、前記リレーｅＮＢへ通信する請求項８０の装置。
【請求項８２】
前記ドナーｅＮＢから、前記ＵＥと通信することに関係するパケット・データ・コンバージェンス・プロトコル（ＰＤＣＰ）コンテキストを取得するための手段を更に含み、
前記通信するための手段は、更に、前記ＵＥへ送信するために、前記ＰＤＣＰコンテキストにおけるバッファからの１又は複数のパケットを、前記リレーｅＮＢへ通信する請求項８１の装置。
【請求項８３】
異なるリレーｅＮＢのアップリンク・バッファのコンテンツを受信するための手段を更に含み、
前記コアネットワークと前記少なくとも一つのベアラを確立するための前記手段は、更に、前記アップリンク・バッファの前記コンテンツを、前記コアネットワークへ通信する請求項８０の装置。
【請求項８４】
コードを記録したコンピュータ読み取り可能な記録媒体において、前記コードは、
少なくとも一つのコンピュータに、ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得させるためのコードと、
前記少なくとも一つのコンピュータに、前記コアネットワークと少なくとも一つのベアラをアクティベートさせるためのコードと、
前記少なくとも一つのコンピュータに、前記少なくとも一つのベアラの上で前記コアネットワークからパケットを取得させるためのコードと、
前記少なくとも一つのコンピュータに、前記ＵＥへ提供するためのパケットを、リレーｅＮＢへ通信させるためのコードとを含むコンピュータ読み取り可能な記録媒体。
【請求項８５】
前記コードは、
前記少なくとも一つのコンピュータに、前記ドナーｅＮＢから、前記ＵＥと通信するために確立するための少なくとも一つの無線ベアラに関する前記ハンドオーバー手続き中に、１又は複数の異なるパラメータを取得させるためのコードと、
前記少なくとも一つのコンピュータに、
前記１又は複数の異なるパラメータに少なくとも部分的に基づいて、前記少なくとも一つの無線ベアラを確立するためのリクエストを、前記リレーｅＮＢへ通信させるためのコードとを更に含む請求項８４のコンピュータ読み取り可能な記録媒体。
【請求項８６】
前記コードは、前記少なくとも一つのコンピュータに、前記パケットにおいて前記少なくとも一つの無線ベアラを識別させるためのコードを更に含む請求項８５のコンピュータ読み取り可能な記録媒体。
【請求項８７】
前記コードは、
前記少なくとも一つのコンピュータに、前記ＵＥと通信することに関係する前記ドナーｅＮＢから、パケット・データ・コンバージェンス・プロトコル（ＰＤＣＰ）コンテキストを取得させるためのコードと、
前記少なくとも一つのコンピュータに、前記ＵＥへ送信するために、前記ＰＤＣＰコンテキストにおけるバッファからの１又は複数のパケットを、前記リレーｅＮＢへ提供させるためのコードとを更に含む請求項８６のコンピュータ読み取り可能な記録媒体。
【請求項８８】
前記コードは、
前記少なくとも一つのコンピュータに、前記ＵＥと通信している異なるリレーｅＮＢのアップリンク・バッファのコンテンツを取得させるためのコードと、
前記少なくとも一つのコンピュータに、前記アップリンク・バッファの前記コンテンツを、前記コアネットワークへ通信させるためのコードとを更に含み、
前記ハンドオーバー手続きは、前記ドナーｅＮＢから前記リレーｅＮＢをハンドオーバーすることに関係する請求項８４のコンピュータ読み取り可能な記録媒体。
【請求項８９】
前記コードは、前記少なくとも一つのコンピュータに、前記ＵＥへ提供するために、前記アップリンク・バッファの前記コンテンツのうちの少なくとも一部に応答して、前記コアネットワークから１又は複数のパケットを受信させるためのコードを更に含む請求項８８のコンピュータ読み取り可能な記録媒体。
【請求項９０】
装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得するベアラ情報受信コンポーネントと、
前記コアネットワークと少なくとも一つのベアラをアクティベートするベアラ確立要求コンポーネントと、
前記少なくとも一つのベアラの上で前記コアネットワークからパケットを受信するバックホール・リンク・コンポーネントと、
前記ＵＥへ提供するためのパケットを、リレーｅＮＢへ通信するパケット・ルーティング・コンポーネントとを含む装置。
【請求項９１】
前記ハンドオーバー手続きの一部として、前記ベアラ情報受信コンポーネントは、更に、前記ドナーｅＮＢから、前記ＵＥと通信するために確立するための少なくとも一つの無線ベアラに関係する１又は複数の異なるパラメータを受信し、
前記ベアラ確立要求コンポーネントは、前記１又は複数の異なるパラメータに少なくとも部分的に基づいて、前記少なくとも一つの無線ベアラを確立するためのリクエストを、前記リレーｅＮＢへ通信する請求項９０の装置。
【請求項９２】
前記ドナーｅＮＢから、前記ＵＥと通信することに関係するパケット・データ・コンバージェンス・プロトコル（ＰＤＣＰ）コンテキストを取得するパケット・データ・コンバージェンス・プロトコル（ＰＤＣＰ）パラメータ受信コンポーネントを更に含み、
前記パケット・ルーティング・コンポーネントは、更に、前記ＵＥへ送信するために、
前記ＰＤＣＰコンテキストにおけるバッファからの１又は複数のパケットを、前記リレーｅＮＢへ通信する請求項９１の装置。
【請求項９３】
異なるリレーｅＮＢのアップリンク・バッファのコンテンツを取得するアップリンク・バッファ・コンテンツ受信コンポーネントを更に含み、
前記バックホール・リンク・コンポーネントは、前記アップリンク・バッファの前記コンテンツを、前記コアネットワークへ通信する請求項９０の装置。
【請求項９４】
前記バックホール・リンク・コンポーネントは、前記ＵＥへ提供するために、前記アップリンク・バッファの前記コンテンツのうちの少なくとも一部に応答して、前記コアネットワークから１又は複数のパケットを受信する請求項９３の装置。
【発明の詳細な説明】
【技術分野】
【０００１】
（35 U.S.C. §119の下での優先権の主張）
本特許出願は、２００９年４月１３日付け提出され、本願の譲受人に譲渡され、参照によって本明細書に組み込まれる「SPLIT-CELL BASED RELAY FOR LTE」と題された米国仮出願第６１／１６８，７３７号の優先権を主張する。
【０００２】
（技術分野）
以下の説明は、一般に無線通信に関し、より詳しくは複数のアクセスポイントの間でデータパケットをルーティングすることに関する。
【背景技術】
【０００３】
様々なタイプの通信コンテンツ（例えば、ボイス、データなど）を提供するために無線通信システムが広く配備される。典型的な無線通信システムは、利用できるシステム資源（例えば、バンド幅、送信電力、…）を共有することによって、複数のユーザとの通信をサポートすることができる多元接続システムであっても良い。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含んでも良い。さらに、システムは、例えば第３世代パートナーシッププロジェクト（３ＧＰＰ）、３ＧＰＰロングタームエボリューション（ＬＴＥ）、ウルトラ・モバイル・ブロードバンド（ＵＭＢ）、及び／又は、マルチキャリア無線仕様（例えば、エボリューション・データ・オプティマイズド（evolution data optimized）（ＥＶ−ＤＯ））、それらの１又は複数のリビジョンなどのような仕様（specifications）に準拠（conform）することができる。
【０００４】
通常、無線多元接続通信システムは、複数のモバイル・デバイスのための通信を同時にサポートし得る。各々のモバイル・デバイスは、順方向リンク及び逆方向リンクの上での伝送を介して１又は複数のアクセスポイント（例えば、基地局）と通信し得る。順方向リンク（又はダウンリンク）は、アクセスポイントからモバイル・デバイスへの通信リンクを指し示し、逆方向リンク（又はアップリンク）は、モバイル・デバイスからアクセスポイントへの通信リンクを指し示す。さらに、モバイル・デバイスとアクセスポイントとの間の通信は、単一入力単一出力（ＳＩＳＯ）システム、多重入力単一出力（ＭＩＳＯ）システム、多重入力多重出力（ＭＩＭＯ）システムなどにより確立され得る。しかし、アクセスポイントは、資源だけでなく地理的カバレージエリアにおいて制限される可能性があり、カバレージのエッジの近くのモバイル・デバイス及び／又は高いトラフィックのエリアにいるデバイスがアクセスポイントから低下した品質の通信を経験する可能性がある。
【０００５】
モバイル・デバイスとアクセスポイントとの間の通信を容易にすることによりネットワークのキャパシティー及びカバレージエリアを拡大（expand）するために、セル・リレーが提供されることができる。たとえば、セル・リレーは、ドナー・アクセスポイント（donor access point）（それはいくつかのセル・リレーへアクセスを提供することができる）とのバックホール・リンクを確立することができ、また、セル・リレーは、１又は複数のモバイル・デバイス又は更なるセル・リレーとのアクセス・リンクを確立することができる。バックエンド・コアネットワーク・コンポーネントに対する修正を軽減するために、該バックエンド・ネットワーク・コンポーネントとの通信インタフェース（例えば、Ｓ１−Ｕ）は、ドナー・アクセスポイントにおいて終端（terminate）することができる。それゆえ、ドナー・アクセスポイントは、バックエンド・ネットワーク・コンポーネントへの通常の（normal）アクセスポイントとして現れる。このために、ドナー・アクセスポイントは、モバイル・デバイスへ通信するために、パケットを、バックエンド・ネットワーク・コンポーネントからセル・リレーへルーティングすることができる。
【発明の概要】
【０００６】
以下は、そのような態様の基本的な理解を提供するために、１又は複数の態様の簡略化された概要を示す。この概要は、すべての予期される態様の外延的な概要ではなく、また、すべての態様の鍵となる又は重要な要素を特定することも、一部又は全部の態様の範囲を線引きすることも意図されていない。その唯一の目的は、後で示されるより詳しい説明に対する前置きとして、１又は複数の態様の幾つかの概念を簡略化された形で示すことである。
【０００７】
１又は複数の態様及びその対応する開示に従って、スプリットセル・リレー実装においてＵＥ及びリレーｅＮＢモビリティーを提供することに関連して、様々な態様が説明される。たとえば、ＵＥにサービスしているリレーｅＮＢは、アップストリーム・ノード（upstream node）からＵＥへ（及び／又は、その逆に）データを提供することに関係する１又は複数のパラメータを維持（maintain）することができる。さらに、リレーｅＮＢにサービスしているドナーｅＮＢは、リレーｅＮＢを介してＵＥと通信することに関する１又は複数のパラメータをさらに維持することができる。ＵＥをターゲットｅＮＢ（target eNB）へハンドオーバーすることを容易にするために、ドナーｅＮＢ（donor eNB）は、その１又は複数のパラメータを、イントラクラスター・ハンドオーバー（intra-cluster handover）において該ドナーｅＮＢによりサービスされるターゲットｅＮＢへ提供（provide）することができる。さらに、リレーｅＮＢ（relay eNB）は、ターゲットｅＮＢ（該ターゲットｅＮＢは、インタークラスター・ハンドオーバー（inter-cluster handover）においてターゲット・ドナーｅＮＢ（target donor eNB）によりサービスされる）へ提供（provisioning）するために、その１又は複数のパラメータを、ドナーｅＮＢへ提供（provide）することができる。いずれにしても、ターゲットｅＮＢは、ドナーｅＮＢ及び／又はリレーｅＮＢの１又は複数のパラメータに基づいて、ハンドオーバーに続いてＵＥとの通信を継続することができる。
【０００８】
さらに、ドナーｅＮＢは、ＵＥと通信することに関するその１又は複数のパラメータを、ターゲット・ドナーｅＮＢを介してターゲット・リレーｅＮＢ（target relay eNB）へ（及び／又は更に該ターゲット・ドナーｅＮＢと通信するコアネットワークへ）提供することができる。他の例において、リレーｅＮＢは、ドナーｅＮＢからターゲット・ドナーｅＮＢへハンドオーバーすることができる。この例において、ドナーｅＮＢは、同様に、リレーｅＮＢによりサービスされる実質的にすべてのＵＥと通信することに関する１又は複数のパラメータを、ターゲット・ドナーｅＮＢへ提供することができる。
【０００９】
関係する態様によると、ドナーｅＮＢからＵＥへルーティングされる１又は複数のパケットのヘッダからシーケンス番号を取得することと、上記ドナーｅＮＢとのハンドオーバー手続きを要求することを含む方法が提供される。該方法はまた、上記ハンドオーバー手続きの一部として、上記シーケンス番号のうちの少なくとも一つを上記ドナーｅＮＢへ送信することを含み、上記シーケンス番号のうちの上記少なくとも一つは、上記ＵＥへ送信される最後のパケットに対応するものである。
【００１０】
他の態様は、無線通信装置に関係する。該無線通信装置は、ＵＥへ送信するためにドナーｅＮＢから取得される１又は複数のパケットのヘッダからシーケンス番号を受信し、上記ドナーｅＮＢとのハンドオーバー手続きを開始するように構成される少なくとも一つのプロセッサを含むことができる。該少なくとも一つのプロセッサは、上記ハンドオーバー手続き中に、上記シーケンス番号のうちの少なくとも一つを上記ドナーｅＮＢへ通信するように更に構成され、上記シーケンス番号のうちの上記少なくとも一つは、上記ＵＥへ送信される最後のパケットに対応するものである。該無線通信装置はまた、上記少なくとも一つのプロセッサに接続するメモリを含む。
【００１１】
さらにもう一つの態様は、装置に関係する。該装置は、ＵＥへ送信するためにドナーｅＮＢから受信される１又は複数のパケットのヘッダからシーケンス番号を受信するための手段と、上記ドナーｅＮＢとのハンドオーバー手続きを要求するための手段とを含む。該装置は、上記ハンドオーバー手続きの一部として、上記シーケンス番号のうちの少なくとも一つを上記ドナーｅＮＢへ送信するための手段を更に含む。
【００１２】
さらに他の態様は、少なくとも一つのコンピュータに、ＵＥへ送信するためにドナーｅＮＢから取得される１又は複数のパケットのヘッダからシーケンス番号を受信させるためのコードを含むコンピュータ読み取り可能な媒体を有することができるコンピュータ・プログラム製品に関係する。該コンピュータ読み取り可能な媒体はまた、上記少なくとも一つのコンピュータに、上記ドナーｅＮＢとのハンドオーバー手続きを開始させるためのコードと、上記少なくとも一つのコンピュータに、上記ハンドオーバー手続き中に、上記シーケンス番号のうちの少なくとも一つを上記ドナーｅＮＢへ通信させるためのコードとを含むことができ、上記シーケンス番号のうちの上記少なくとも一つは、上記ＵＥへ送信される最後のパケットに対応するものである。
【００１３】
さらに、更なる態様は、ユーザ装置（ＵＥ）へ送信するためにドナー発展型Ｎｏｄｅ Ｂ（ｅＮＢ）から受信される１又は複数のパケットのヘッダからシーケンス番号を取得するパケット・データ・コンバージェンス・プロトコル（ＰＤＣＰ）ヘッダ観測コンポーネントと、上記ドナーｅＮＢとのハンドオーバー手続きを要求するハンドオーバー処理コンポーネントとを含む装置に関係する。該装置は、上記ハンドオーバー手続きの一部として、上記シーケンス番号のうちの少なくとも一つを上記ドナーｅＮＢへ送信するＰＤＣＰパラメータ提供コンポーネントを更に含むことができる。
【００１４】
他の態様によると、ハンドオーバー手続きを開始するためのリクエストを、リレーｅＮＢから受信することと、上記リレーｅＮＢにより少なくとも一つのＵＥへ送信される最後のパケットのシーケンス番号を取得することを含む方法が提供される。該方法は、上記少なくとも一つのＵＥへ提供するための上記シーケンス番号に続く異なるシーケンス番号を有するパケットを判定することを更に含む。
【００１５】
他の態様は、無線通信装置に関係する。無線通信装置は、ハンドオーバー手続きを開始するためのリクエストを、リレーｅＮＢから取得し、上記リレーｅＮＢにより少なくとも一つのユーザ装置（ＵＥ）へ送信される最後のパケットのシーケンス番号を受信するように構成される少なくとも一つのプロセッサを含むことができる。該少なくとも一つのプロセッサは、上記少なくとも一つのＵＥへ提供するための上記シーケンス番号に続く異なるシーケンス番号を有するパケットを確認するように更に構成される。該無線通信装置はまた、上記少なくとも一つのプロセッサに接続するメモリを含む。
【００１６】
さらにもう一つの態様は、装置に関係する。該装置は、上記リレーｅＮＢとのハンドオーバー手続きの一部として、リレー発展型Ｎｏｄｅ Ｂ（ｅＮＢ）により少なくとも一つのユーザ装置（ＵＥ）へ送信される最後のパケットのシーケンス番号を受信するための手段と、上記少なくとも一つのＵＥへ通信するための上記シーケンス番号に続く異なるシーケンス番号を有する次のパケットを判定するための手段とを含む。
【００１７】
さらに他の態様は、少なくとも一つのコンピュータに、ハンドオーバー手続きを開始するためのリクエストを、リレーｅＮＢから取得させるためのコードと、上記少なくとも一つのコンピュータに、上記リレーｅＮＢにより少なくとも一つのＵＥへ送信される最後のパケットのシーケンス番号を受信させるためのコードとを含むコンピュータ読み取り可能な媒体を有することができるコンピュータ・プログラム製品に関係する。該コンピュータ読み取り可能な媒体はまた、上記少なくとも一つのコンピュータに、上記少なくとも一つのＵＥへ提供するための、上記シーケンス番号に続く異なるシーケンス番号を有するパケットを確認させるためのコードを含むことができる。
【００１８】
さらに、更なる態様は、上記リレーｅＮＢとのハンドオーバー手続きの一部として、リレーｅＮＢにより少なくとも一つのＵＥへ送信される最後のパケットのシーケンス番号を取得するＰＤＣＰパラメータ受信コンポーネントに関係する。装置は、上記シーケンス番号を記憶し、上記少なくとも一つのＵＥへ通信するための上記シーケンス番号に続く異なるシーケンス番号を有する次のパケットを判定するＰＤＣＰコンテキスト維持コンポーネントを更に含むことができる。
【００１９】
さらにもう一つの態様によると、ハンドオーバー手続きの一部として、ドナーｅＮＢから、ＵＥと通信するためにコアネットワークと確立するための少なくとも一つのベアラに関する１又は複数のパラメータを受信することと、上記コアネットワークと少なくとも一つのベアラを確立することを含む方法が提供される。該方法はまた、上記少なくとも一つのベアラの上で上記コアネットワークからパケットを受信することと、上記ＵＥへ提供するためのパケットを、リレーｅＮＢへ通信することを含む。
【００２０】
他の態様は、無線通信装置に関係する。無線通信装置は、ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得し、上記コアネットワークと少なくとも一つのベアラをアクティベートするように構成される少なくとも一つのプロセッサを含むことができる。該少なくとも一つのプロセッサは、上記少なくとも一つのベアラの上で上記コアネットワークからパケットを取得し、上記ＵＥへ提供するためのパケットを、リレーｅＮＢへ通信するように更に構成される。該無線通信装置はまた、上記少なくとも一つのプロセッサに接続するメモリとを含む。
【００２１】
さらにもう一つの態様は、装置に関係する。該装置は、ハンドオーバー手続きの一部として、ドナーｅＮＢから、ＵＥと通信するためにコアネットワークと確立するための少なくとも一つのベアラに関する１又は複数のパラメータを受信するための手段と、上記コアネットワークと少なくとも一つのベアラを確立するための手段とを含む。該装置は、上記少なくとも一つのベアラの上で上記コアネットワークからパケットを受信するための手段と、上記ＵＥへ提供するためのパケットを、リレーｅＮＢへ通信するための手段とを更に含む。
【００２２】
さらに他の態様は、少なくとも一つのコンピュータに、ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得させるためのコードと、上記少なくとも一つのコンピュータに、上記コアネットワークと少なくとも一つのベアラをアクティベートさせるためのコードとを含むコンピュータ読み取り可能な媒体を有することができるコンピュータ・プログラム製品に関係する。該コンピュータ読み取り可能な媒体はまた、上記少なくとも一つのコンピュータに、上記少なくとも一つのベアラの上で上記コアネットワークからパケットを取得させるためのコードと、上記少なくとも一つのコンピュータに、上記ＵＥへ提供するためのパケットを、リレーｅＮＢへ通信させるためのコードとを含むことができる。
【００２３】
さらに、ハンドオーバー手続きの一部として、ドナーｅＮＢから、ＵＥと通信するためにコアネットワークと確立するための少なくとも一つのベアラに関する１又は複数のパラメータを取得するベアラ情報受信コンポーネントと、上記コアネットワークと少なくとも一つのベアラをアクティベートするベアラ確立要求コンポーネントとを含む装置に関係する。該装置は、上記少なくとも一つのベアラの上で上記コアネットワークからパケットを受信するバックホール・リンク・コンポーネントと、上記ＵＥへ提供するためのパケットを、リレーｅＮＢへ通信するパケット・ルーティング・コンポーネントとを更に含むことができる。
【００２４】
前述の目的及び関係する目的の達成のために、１又は複数の態様は、以下に十分に説明され、特に特許請求の範囲において指摘された特徴を包含する。以下の説明及び添付された図面は、１又は複数の態様の幾つかの説明的な特徴を説明する。これらの特徴は、しかし、様々な態様の原理が使用されることのできる様々な方法のうちのほんの数例を示し、また、この説明はすべてのそのような態様及びそれらの均等物を含むことが意図される。
【図面の簡単な説明】
【００２５】
【図１】図１は、無線ネットワークのためのリレーの提供を容易にする例示的な無線通信システムの説明図である。
【図２】図２は、無線通信環境内での使用のための例示的な通信装置の説明図である。
【図３】図３は、１又は複数の発展型Ｎｏｄｅ Ｂ（evolved Node Bs）（ｅＮＢ）の間で通信をハンドオーバーするのを容易にするためにパラメータを送信するための例示的な無線通信システムの説明図である。
【図４】図４は、ターゲット・リレーｅＮＢへのユーザ装置（ＵＥ）のイントラクラスター・ハンドオーバーを実行するのを容易にする例示的な無線通信システムの説明図である。
【図５】図５は、ターゲット・リレーｅＮＢへのＵＥのインタークラスター・ハンドオーバーを実行するのを容易にする例示的な無線通信システムの説明図である。
【図６】図６は、リレーｅＮＢのハンドオーバーを実行するのを容易にする例示的な無線通信システムの説明図である。
【図７】図７は、ドナーｅＮＢへのＵＥのイントラクラスター・ハンドオーバーを容易にする例示的な無線通信システムの説明図である。
【図８】図８は、リレーｅＮＢへのＵＥのイントラクラスター・ハンドオーバーを容易にする例示的な無線通信システムの説明図である。
【図９】図９は、ＵＥのインタークラスター・ハンドオーバーを容易にする例示的な無線通信システムの説明図である。
【図１０】図１０は、ＵＥのインタークラスター・ハンドオーバー中にコンテキスト情報を提供する例示的な無線通信システムの説明図である。
【図１１】図１１は、無線ネットワークへのアクセスを提供するセル・リレーを利用する例示的な無線通信システムの説明図である。
【図１２】図１２は、ＵＥのハンドオーバーを容易にする１又は複数のドナーｅＮＢへシーケンス番号を提供するための例示的な手順の説明図である。
【図１３】図１３は、ハンドオーバー手続きの一部として、ＵＥにパケットを提供するためのシーケンス番号を受信する例示的な手順の説明図である。
【図１４】図１４は、ＵＥと通信するためのｅＮＢへの１又は複数のベアラを確立するためのリクエストを通信する例示的な手順の説明図である。
【図１５】図１５は、ハンドオーバー手続き中に受信される、ＵＥに代わってコアネットワークへ送信するためにアップリンク・バッファのコンテンツをドナーｅＮＢへ通信する例示的な手順の説明図である。
【図１６】図１６は、リレーｅＮＢを介してＵＥにパケットを通信するための１又は複数のベアラを確立する例示的な手順の説明図である。
【図１７】図１７は、ＵＥに関係するアップリンク・バッファ・コンテンツを通信するための１又は複数のコアネットワーク・ベアラを確立する例示的な手順の説明図である。
【図１８】図１８は、本明細書で説明される様々な態様に従った無線通信システムの説明図である。
【図１９】図１９は、本明細書で説明される様々なシステム及び方法とともに使用されることができる例示的な無線ネットワーク環境の説明図である。
【図２０】図２０は、ハンドオーバーに続いてＵＥと通信するためにシーケンス番号をドナーｅＮＢへ送信するのを容易にする例示的なシステムの説明図である。
【図２１】図２１は、ハンドオーバーに続いてＵＥにパケットを送信するための準備を容易にする例示的なシステムの説明図である。
【図２２】図２２は、リレーｅＮＢにより確立される１又は複数の無線ベアラを介して１又は複数の確立されたコアネットワーク・ベアラの上でＵＥと通信するのを容易にする例示的なシステムの説明図である。
【詳細な説明】
【００２６】
これから図面を参照しながら様々な態様が説明される。以下の説明では、説明の目的のために、１又は複数の態様の深い理解を提供するために、多数の特定の細部が説明される。しかし、そのような（１又は複数の）態様が、これらの特定の細部なしで実施され得ることは、明らかであろう。
【００２７】
この出願において用いられるように、用語“コンポーネント（component）”、“モジュール（module）”、“システム（system）”及び同類のものは、例えばハードウェア、ファームウェア、ハードウェアとソフトウェアの組み合わせ、ソフトウェア又は実行中のソフトウェアなどのような（ただし、それらに制限されない）コンピュータ関連のエンティティーを含むことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであることができる。１又は複数のコンポーネントがプロセス及び／又は実行のスレッドの内部に存在しても良く、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信しても良い。
【００２８】
さらにまた、端末に関連して様々な態様が本明細書で説明される。端末は、有線端末であることも無線端末であることもできる。端末はまた、システム、デバイス、加入者ユニット、加入者設備、モバイル局、モバイル、モバイル・デバイス、リモート・ステーション、リモート端末、アクセス端末、ユーザ端末、端末、通信デバイス、ユーザ・エージェント、ユーザ・デバイス又はユーザ装置（ＵＥ）と呼ばれることもできる。無線端末は、セルラー電話、衛星電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス、コンピュータ・デバイス又は無線モデムに接続される他の処理デバイスであっても良い。さらに、基地局に関連して様々な態様が本明細書で説明される。基地局は、（１又は複数の）無線端末と通信するために利用されても良く、また、アクセスポイント、Ｎｏｄｅ Ｂと呼ばれても良く又は何らかの他の専門用語で呼ばれても良い。
【００２９】
さらに、用語“又は（ｏｒ）”は、排他的な“又は（ｏｒ）”よりはむしろ包含的な“又は（ｏｒ）”を意味することが意図される。つまり、明記され又は文脈から明らかでない限り、“ＸはＡ又はＢを使用する（X employs A or B）”というフレーズは、自然な包含的な置き換えのいずれをも意味することが意図される。つまり、“ＸはＡ又はＢを使用する（X employs A or B）”というフレーズは、以下の例のいずれによっても満たされる：ＸはＡを使用する；ＸはＢを使用する；又は、ＸはＡ及びＢの両方を使用する。さらに、この明細書及び添付のクレームにおいて使用される冠詞“一つの（ａ）”及び“一つの（ａｎ）”は、単数形が指示されるべきことが明記され又は文脈から明らかでない限り、通常、“１又は複数（one or more）”を意味するものと解釈されるべきである。
【００３０】
本明細書で説明される技術は、例えばＣＤＭＡ、ＴＤＭＡ、ＦＤＭＡ、ＯＦＤＭＡ、ＳＣ−ＦＤＭＡ及び他のシステムのような様々な無線通信システムのために使用されても良い。用語“システム”及び“ネットワーク”はしばしば互換的に使用される。ＣＤＭＡシステムは、例えばユニバーサル地上無線アクセス（ＵＴＲＡ）、ＣＤＭＡ２０００などのような無線技術を実装し得る。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装し得る。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装し得る。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用するＵＭＴＳのリリースである。そして、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）という名前の団体からのドキュメントに記載されている。さらに、そのような無線通信システムは、アンペア・アンライセンス・スペクトラム（unpaired unlicensed spectrums）、８０２．ｘｘ無線ＬＡＮ、Ｂｌｕｅｔｏｏｔｈ（登録商標）及び任意の他の短距離又は長距離の無線通信技術をしばしば使用するピア・ツー・ピア（例えば、モバイル・ツー・モバイル）アドホック・ネットワーク・システムを更に含んでも良い。
【００３１】
幾つかのデバイス、コンポーネント、モジュールなどを含み得るシステムに関して様々な態様又は特徴が示される。様々なシステムは、更なるデバイス、コンポーネント、モジュールなどを含んでも良く、及び／又は、図面に関連して述べられたデバイス、コンポーネント、モジュールなどのすべてを含まなくても良いことは理解及び認識されるべきである。また、これらのアプローチの組み合せが使用されても良い。
【００３２】
図１を参照して、無線ネットワークにおけるリレー機能性を提供するのを容易にする無線通信システム１００が説明される。システム１００は、１又は複数のリレーｅＮＢ（relay eNBs）（例えば、リレーｅＮＢ １０４）に、コアネットワーク１０６へのアクセスを提供するドナーｅＮＢ（donor eNB）１０２を含む。同様に、リレーｅＮＢ １０４は、１又は複数の異なるリレーｅＮＢ（例えば、リレーｅＮＢ １０８）又は各ＵＥ（例えば、ＵＥ １１０）に、ドナーｅＮＢ １０２を介したコアネットワーク１０６へのアクセスを提供する。ドナーｅＮＢ １０２（それはクラスターｅＮＢ（cluster eNB）とも呼ばれることができる）は、有線又は無線のバックホール・リンク（それはＬＴＥ又は他の技術のバックホール・リンクであることができる）の上でコアネットワーク１０６と通信することができる。一つの例において、コアネットワーク１０６は、３ＧＰＰ ＬＴＥ又は類似する技術のネットワークであることができる。
【００３３】
ドナーｅＮＢ １０２は、リレーｅＮＢ １０４のためのアクセス・リンク（それはまた有線又は無線のＬＴＥ又は他の技術であることができる）をさらに提供することができ、また、リレーｅＮＢ １０４は、ドナーｅＮＢ １０２のアクセス・リンクの上のバックホール・リンクを使用して、ドナーｅＮＢ １０２と通信することができる。リレーｅＮＢ １０４は、同様に、リレーｅＮＢ １０８及び／又はＵＥ １１０のためのアクセス・リンク（それは有線又は無線のＬＴＥ又は他の技術のリンクであることができる）を提供することができる。一つの例において、ドナーｅＮＢ １０２は、ＬＴＥアクセス・リンクを提供することができ、リレーｅＮＢ １０４は、ＬＴＥバックホールを使用してそれへ接続することができる。また、リレーｅＮＢ １０４は、リレーｅＮＢ １０８及び／又はＵＥ １１０へＬＴＥアクセス・リンクを提供することができる。ドナーｅＮＢ １０２は、異なるバックホール・リンク技術の上でコアネットワーク１０６に接続することができる。リレーｅＮＢ １０８及び／又はＵＥ １１０は、説明されるように、コアネットワーク１０６へのアクセスを受信するために、ＬＴＥアクセス・リンクを使用して、リレーｅＮＢ １０４に接続することができる。ドナーｅＮＢ及び接続されるリレーｅＮＢは、本明細書では集合的に（collectively）クラスターと呼ばれることがある。
【００３４】
一つの例によると、従来のＬＴＥ構成におけるＵＥがそうであろうことと同じように、リレーｅＮＢ １０４は、リンク・レイヤ（例えば、メディア・アクセス制御（ＭＡＣ）レイヤ）においてドナーｅＮＢ １０２に接続することができる。この点に関して、ドナーｅＮＢ １０２は、リレーｅＮＢ １０４をサポートするために、リンク・レイヤ又は関係するインタフェース（例えば、ユーザ・ツー・ユーザ（user-to-user）（Ｕｕ）（例えば、Ｅ−ＵＴＲＡ−Ｕｕ））における変更を必要としない従来のＬＴＥのｅＮＢとして動作することができる。さらに、リレーｅＮＢ １０４は、リンク・レイヤにおいて従来のｅＮＢとしてＵＥ １１０に見えることができるので、たとえば、ＵＥ １１０がリンク・レイヤにおいてリレーｅＮＢ １０４に接続するために変更が必要とされない。さらに、リレーｅＮＢ １０４は、アクセス及びバックホール・リンク、干渉管理、クラスターのためのアイドル・モード・セル選択、及び／又はその種の他のものの間の資源分割（resource partitioning）のための手続きを設定（configure）することができる。一つの例において、リレーｅＮＢ １０４が更なるドナーｅＮＢに接続することができることは、認識されるべきである。
【００３５】
トランスポート・レイヤ通信に関して、リレーｅＮＢ １０８又はＵＥ１１０の通信に関係するトランスポート・プロトコルは、ドナーｅＮＢ １０２において終端（terminate）されることができる。リレーｅＮＢ １０４は、ドナーｅＮＢ １０２のセルのようであるので、それは、セル・リレー機能性（cell relay functionality）と呼ばれる。たとえば、セル・リレー構成において、ドナーｅＮＢ １０２は、コアネットワーク１０６からリレーｅＮＢ １０４のための通信を受信し、トランスポート・プロトコルを終端し、そして、アプリケーション・レイヤに実質的に手を付けない（intact）異なるトランスポート・レイヤの上でリレーｅＮＢ １０４へ通信をフォワードすることができる。フォワーディングのトランスポート・プロトコル・タイプは、終端されたトランスポート・プロトコル・タイプと同一であることができるが、リレーｅＮＢ １０４と確立される異なるトランスポート・レイヤであることは、認識されるべきである。
【００３６】
リレーｅＮＢ １０４は、通信に関係するリレーｅＮＢ又はＵＥ（例えば、リレーｅＮＢ １０８又はＵＥ １１０）を判定し、そして、リレーｅＮＢ又はＵＥに該通信を提供することができる（例えば、該通信内のその識別子に基づいて）。同様に、ドナーｅＮＢ １０２は、リレーｅＮＢ １０４から受信される通信のためのトランスポート・レイヤ・プロトコルを終端し、該通信を異なるトランスポート・プロトコルに変換（translate）し、そして、セル・リレーとして、リレーｅＮＢ １０４のためのアプリケーション・レイヤに手を付けずに（intact）、該異なるトランスポート・プロトコルの上で、該通信をコアネットワーク１０６へ送信することができる。これらの例において、リレーｅＮＢ １０４が他のリレーｅＮＢと通信している場合に、リレーｅＮＢ １０４は、該通信が正しいリレーｅＮＢに届く（reach）ことを確実とするために、アプリケーション・プロトコル・ルーティングをサポートすることができる。
【００３７】
一つの例において、リレーｅＮＢ １０８（又は、それとともに通信する関係するデバイス）及び／又はＵＥ １１０のためのパケット・データ・コンバージェンス・プロトコル（packet data convergence protocol）（ＰＤＣＰ）レイヤもまた、ドナーｅＮＢ １０２において終端されることができる。この例において、リレーｅＮＢ １０８、ＵＥ １１０又はリレーｅＮＢ １０４と通信している他のリレーｅＮＢ若しくはＵＥから受信されるパケット又は他のデータについては、リレーｅＮＢ １０４は、ＰＤＣＰペイロードを判定することなく、ドナーｅＮＢ １０２にパケット又は他のデータをフォワードすることができる（及び、その逆もまた可能である）。この点に関して、セキュリティー及び暗号化上の問題（considerations）は、ドナーｅＮＢ １０２及びパケット又は他のデータが発信（originated）されるノード（それはリレーｅＮＢ １０８、ＵＥ １１０などであることができる）において処理（handled）されることができる。それゆえ、リレーｅＮＢ １０４及び／又は他の中間のリレーｅＮＢ（intermediary relay eNBs）は、パケット又は他のデータを受信及びフォワードするときに、通信を復号化及び再暗号化する必要がない（又は、他のセキュリティー手続きを適用する必要がない）。
【００３８】
たとえば、リレーｅＮＢ １０８又はＵＥ １１０からパケットを受信するとき、リレーｅＮＢ １０４は、無線リンク制御（ＲＬＣ）又は類似するレイヤにおいて指定された識別子又はアドレスに少なくとも部分的に基づいて、ＰＤＣＰレイヤ・ペイロードを解析することなく、ドナーｅＮＢ １０２にパケットをフォワードすることができる。同様に、リレーｅＮＢ １０４は、ＰＤＣＰレイヤを処理することなく、ドナーｅＮＢ １０２からリレーｅＮＢ １０８又はＵＥ １１０にパケットをフォワードすることができる。一つの例において、リレーｅＮＢ １０４は、ドナーｅＮＢ １０２へ通信するための１又は複数のパラメータを識別（discern）するために、パケットのＰＤＣＰヘッダを解析することができる。例えば、フロー制御、シーケンス番号（ＳＮ）ステータス転送などを容易にするために、リレーｅＮＢ １０４は、ドナーｅＮＢ １０２からリレーＵＥ １１０へのパケットのＰＤＣＰレイヤのヘッダから１又は複数のパラメータ（例えば、ＳＮ又は類似するパラメータなど）を取得し、そして、ドナーｅＮＢ １０２に対して該１又は複数のパラメータを指定することができる。さらに、たとえば、リレーｅＮＢ １０４は、ドナーｅＮＢ １０２からｅＮＢ １０８又はＵＥ １１０へパケットを通信することに関係するＰＤＣＰレイヤ・フィードバック情報を、ドナーｅＮＢ １０２へ送信することができる。
【００３９】
さらに、ドナーｅＮＢ １０２は、ＵＥ（例えば、ＵＥ １１０）、リレーｅＮＢ（例えば、リレーｅＮＢ １０４）、又は、ドナーｅＮＢ １０２が（例えば、中間のリレーｅＮＢを介して）最終的に通信する他のデバイスの各々に対して、ＰＤＣＰレイヤ・コンテキストを記憶することができる。この点に関して、ドナーｅＮＢ １０２は、リレーｅＮＢ １０８又はＵＥ １１０との通信におけるその後の使用（subsequent use）のために、リレーｅＮＢ １０８又はＵＥ １１０のための関係するコンテキストに従って、ＰＤＣＰレイヤ・フィードバックを記憶及び／又は解析する。さらに、ドナーｅＮＢ １０２は、一つの例において、関係のあるデバイスと通信するためのＰＤＣＰコンテキストを提供するために、単一のＵｎ又はリレーｅＮＢ １０４との他の無線プロトコル・インタフェースの上でＰＤＣＰレイヤ通信を多重化することができる。しかし、ドナーｅＮＢ １０２は、ＰＤＣＰレイヤ通信につき一つ以下のコンテキスト（less than one context）を維持することができ、そして、一つの例において、一つのＰＤＣＰコンテキストを有し、それをもって（therewith）実質的にすべてのＰＤＣＰレイヤ通信を処理（handle）できることは、認識されるべきである。
【００４０】
さらに、たとえば、リレーｅＮＢ １０４は、ハンドオーバー手続きにおいて、パケットのＰＤＣＰヘッダからの１又は複数のパラメータを、ドナーｅＮＢ １０２へ送信することができる。たとえば、リレーｅＮＢ １０４が、ＵＥ １１０の通信を、ドナーｅＮＢ １０２又はドナーｅＮＢ １０２によりサービスされるターゲット・リレーｅＮＢ（図示せず）へハンドオーバーしている場合に、リレーｅＮＢ １０４は、ＰＤＣＰヘッダからの１又は複数のパラメータ（例えば、ＵＥ １１０へ送信される最後のパケットのＳＮ）を、ドナーｅＮＢ １０２へ通信することができる。ドナーｅＮＢ １０２は、たとえば、ＵＥ １１０との通信を続けるために又はターゲットｅＮＢにＵＥ １１０との通信を続けさせるために、ＳＮを利用することができる。さらに、リレーｅＮＢ １０４が、ＵＥ １１０を、ドナーｅＮＢ １０２によりサービスされるターゲット・リレーｅＮＢへハンドオーバーする場合に、ドナーｅＮＢ １０２は、ＵＥ １１０と通信するために、リレーｅＮＢ １０４において確立されるベアラに基づいて、ターゲット・リレーｅＮＢにおけるベアラ確立を要求することができる。
【００４１】
一つの例において、リレーｅＮＢ １０４が、ＵＥ １１０を、ターゲット・ドナーｅＮＢ（図示せず）によりサービスされるターゲットｅＮＢ、又はターゲット・ドナーｅＮＢ自身へ、ハンドオーバーする場合に、ドナーｅＮＢ １０２は、ハンドオーバーの一部として、ＳＮ、ターゲット・リレーｅＮＢにおいて及びターゲット・ドナーｅＮＢに関係するコアネットワークにおいてベアラを確立するためのベアラ情報、及び／又は、その種の他のものを、ターゲット・ドナーｅＮＢにフォワードすることができる。さらに、リレーｅＮＢ １０４は、アップリンク（ＵＬ）バッファのコンテンツをドナーｅＮＢ １０２へ提供することができる。ここで、ＵＬバッファ・コンテンツは、コアネットワーク１０６又はドナーｅＮＢ １０２に向けられたＵＥ １１０からの通信に対応する。リレーｅＮＢ １０４とドナーｅＮＢ １０２（及び、リレーｅＮＢ １０４とＵＥ １１０）の間のリンクは、サービス品質（ＱｏＳ）が変化する無線リンクである可能性があるので、バッファは、ドナーｅＮＢ １０２又は異なるアップストリーム・ノードに向けられたＵＥ １１０からの通信（及び／又は、その逆の通信）を一時的に記憶するために利用されることができることは、認識されるべきである。この例において、ドナーｅＮＢ １０２は、処理のためにＵＬバッファ・コンテンツをターゲット・ドナーｅＮＢへ提供することができる。さらに、ドナーｅＮＢ １０２は、例えば１又は複数のＰＤＣＰパラメータ、ＵＥ １１０へ送信されるべき通信に関係するＰＤＣＰバッファ（例えば、該バッファがＵＥ １１０へのパケットのフローを制御するのに使用される場合）及び／又はその種の他のもののような、ＵＥに関する更なるコンテキスト情報を、ハンドオーバーすることができる。
【００４２】
さらに他の例において、リレーｅＮＢ １０４は、ターゲット・ドナーｅＮＢへハンドオーバーされることができる。この点に関して、リレーｅＮＢ １０４によりサービスされるＵＥ及びリレーｅＮＢは、同様にターゲット・ドナーｅＮＢへハンドオーバーされることができる。リレーｅＮＢ １０４のシームレス・ハンドオーバーを促進（promote）するために、そのダウンストリーム・ノードに関しては、ドナーｅＮＢ １０２は、リレーｅＮＢに１０４に接続されるすべてのＵＥ又は他のダウンストリーム・ノードのために、ターゲット・ドナーｅＮＢに、説明されるような、ＳＮ情報、ベアラ情報、ＰＤＣＰパラメータなどを送信することができる。この例において、ターゲット・ドナーｅＮＢは、ＵＥ又は他のダウンストリーム・ノードのために、そのコア・ネットワークによりベアラを確立することができる。さらに、本明細書で説明されるように、ターゲット・ドナーｅＮＢは、ＰＤＣＰパラメータ及びＳＮ情報に従って、ＵＥ及び他のダウンストリーム・ノードとの通信を継続することができる。
【００４３】
図２に移って、無線通信環境内での使用のための通信装置２００が説明される。通信装置２００は、基地局もしくはその部分、モバイル・デバイスもしくはその部分、又は、無線通信環境において送信されるデータを受信する実質的に任意の通信装置であることができる。通信装置２００は、異なる装置（図示せず）から１又は複数のパケットを取得する通信受信コンポーネント（communication receiving component）２０２、該１又は複数のパケットのフロー制御を容易にするために該１又は複数のパケットにおけるヘッダの１又は複数のパラメータを検索するヘッダ観測コンポーネント（header observing component）２０４、デバイスに該１又は複数のパケットを送信する通信フォワーディング・コンポーネント（communication forwarding component）２０６、該１又は複数のパケットのフロー制御、ハンドオーバー及び／又はその種の他のものを容易にするために該１又は複数のパラメータを異なる装置へ提供するパラメータ提供コンポーネント（parameter providing component）２０８、及び、デバイスから受信される１又は複数のパケットを、異なる装置へ送信されるまで、一時的に記憶する（及び／又は、その逆を行う）バッファリング・コンポーネント（buffering component）２１０を含むことができる。
【００４４】
一つの例に従って、通信受信コンポーネント２０２は、異なる装置（例えば、ドナーｅＮＢ）からパケットを取得することができる。そして、それは複数のレイヤ（例えば、説明されるようなＰＤＣＰレイヤ）を含むことができる。たとえば、パケットは、ＰＤＣＰレイヤを含むレイヤ（例えば、レイヤ１（Ｌ１）、ＭＡＣレイヤ、ＲＬＣレイヤ、その他）、及び／又は、ＰＤＣＰレイヤ内のレイヤ（例えば、インターネットプロトコル（ＩＰ）レイヤ）、又は、通信装置２００とデバイス（例えば、ＵＥ）との間の制御又はユーザプレーンのメッセージ交換をサポートする実質的に任意のアプリケーション又はより上位のレイヤを有することができる。ヘッダ観測コンポーネント２０４は、フロー制御を開始する（instituting）ために、パケットのヘッダ（例えば、ＰＤＣＰヘッダ）から、１又は複数のパラメータを取得することができる。たとえば、説明されるように、ヘッダ観測コンポーネント２０４は、パケットのヘッダからＳＮを取得することができる。
【００４５】
さらに、通信フォワーディング・コンポーネント２０６は、パケットを、該パケットが向けられるデバイスへ送信することができる（それは、たとえば、パケット中の識別子に従って判定されることができる）。一つの例において、通信フォワーディング・コンポーネント２０６は、無線インタフェースを使用してデバイスと通信することができる。それゆえ、パケットは、通信フォワーディング・コンポーネント２０６がそれらをデバイスに有効に（effectively）通信することができるのに比べてより速い又はより遅い速度（pace）で、通信受信コンポーネント２０２において受信される可能性がある。この例において、バッファリング・コンポーネント２１０は、説明されるように、通信フォワーディング・コンポーネント２０６がパケットを送信することができるまで、通信受信コンポーネント２０２により受信される１又は複数のパケットを一時的に記憶することができる。この点に関して、パラメータ提供コンポーネント２０８は、ハンドオーバー手続きに続いて異なる装置におけるフロー制御を容易にするために、該異なる装置へ通信フォワーディング・コンポーネント２０６により送信される最後のパケットのＳＮを通信することができる。
【００４６】
さらに、たとえば、パラメータ提供コンポーネント２０８はまた、バッファ容量（buffer capacity）を判定することを容易にするために、バッファリング・コンポーネント２１０におけるバッファの最大サイズを送信することができる（例えば、通信フォワーディング・コンポーネント２０６により送信される最後のパケットのＳＮ及び該異なる装置により送信される最後のパケットのＳＮに少なくとも部分的に基づいて）。いずれにせよ、パラメータ提供コンポーネント２０８は、そのようなパラメータを該異なる装置へ送信することができ、そして、該異なる装置は、通信装置２００へのパケットのフローを制御するために、該パラメータを利用することができる。たとえば、バッファリング・コンポーネント２１０のバッファが低い容量（例えば、閾値容量未満）である場合に、該異なる装置は、通信装置２００へのパケットのフローを減速（slow）することができる。パラメータ提供コンポーネント２０８は、タイマーに従って、１又は複数のイベント（例えば、閾値容量未満に移行するバッファ容量）に従って及び／又はその種の他のものに従って、パラメータを該異なる装置へ送信することができる。
【００４７】
さらに、パラメータ提供コンポーネント２０８は、ハンドオーバー手続き中に、そのようなパラメータを送信することができる。この例において、パラメータ提供コンポーネント２０８は、ハンドオーバーに関係するデバイスへ送信される最後のパケットのＳＮを提供することができる。ＳＮは、ターゲットｅＮＢにおいて該デバイスへの通信を継続するために利用されることができる（例えば、ＳＮにより示されるパケットの後のパケットによって継続する）。さらに、たとえば、通信受信コンポーネント２０２は、該異なる装置へ提供するために、パケットを、該デバイスから取得することができる。説明されるように、この例において、同様に、バッファリングが、ＵＬパケットのフローを制御するために、利用されることができる。この例において、インターセル・ハンドオーバー（inter-cell handover）が、該デバイスのために通信装置２００により開始される場合に、バッファリング・コンポーネント２１０は、説明されるように、１又は複数のデバイス関連ＵＬバッファ（device-related UL buffers）のコンテンツを、該異なる装置へ送信することができる。インターセル・ハンドオーバーは、ＵＥを異なるクラスターにおけるリレーｅＮＢ（又は、ドナーｅＮＢ）へハンドオーバーすることを指すことができ、イントラセル・ハンドオーバー（intra-cell handover）は、クラスター内でＵＥをハンドオーバーすることを指すことができる。それゆえ、該デバイスからのパケットが該異なる装置によりコアネットワークへ提供されることを確実とするために、インターセル・ハンドオーバーにおいてバッファ・コンテンツがさらに使用されることができる。
【００４８】
さて、図３に移って、無線ネットワークにおいてパケットをルーティングすることと、パケットがルーティングされる１又は複数のデバイスのハンドオーバーをサポートすることを容易にする例示的な無線通信システム３００が説明される。システム３００は、リレーｅＮＢ１０４（及び／又は、他のリレーｅＮＢ、又は、１又は複数のデバイス）へ、コアネットワーク１０６へのアクセスを提供するドナーｅＮＢ１０２を含む。さらに、説明されるように、リレーｅＮＢ１０４は、ドナーｅＮＢ１０２を通したコアネットワーク１０６へのアクセスを、リレーｅＮＢ１０８及びＵＥ１１０へ提供することができる。システム３００はまた、一つの例において、インタークラスター・ハンドオーバーをサポートし、そして、同様に、コアネットワーク１０６へのアクセスを、デバイス及び／又はリレーｅＮＢへ提供するターゲット・ドナーｅＮＢ３０２を含む。さらに、たとえば、ドナーｅＮＢ１０２とリレーｅＮＢ１０８又はＵＥ１１０との間に複数のリレーｅＮＢ１０４が存在することができる。そのうえ、一つの例において、リレーｅＮＢ１０８が、リレーｅＮＢ１０４のコンポーネントを含むことができ、そして、同様の機能性を提供することができることは、認識されるべきである。さらに、ドナーｅＮＢ１０２及び／又はターゲット・ドナーｅＮＢ３０２は、マクロセル・アクセスポイント、フェムトセル・アクセスポイント、ピコセル・アクセスポイント、モバイル基地局及び／又はその種の他のものであることができる。説明されるように、リレーｅＮＢ１０４（及び、リレーｅＮＢ１０８）は、同様に、無線又は有線のバックホールの上でドナーｅＮＢ１０２（及び、リレーｅＮＢ１０４）と通信するモバイル又は固定のリレー・ノード（mobile or stationary relay nodes）であることができる。
【００４９】
ドナーｅＮＢ１０２は、無線ネットワーク・アクセスを１又は複数のリレーｅＮＢ及び／又はＵＥへ提供するために、コアネットワーク及び／又はターゲット・ドナーｅＮＢと（例えば、直接又はコアネットワークを介して）通信するバックホール・リンク・コンポーネント（backhaul link component）３０４、ドナーｅＮＢ１０２と（例えば、１又は複数のリレーｅＮＢを介して、又は、他の方法により）通信している１又は複数のＵＥのＰＤＣＰコンテキストに関係する１又は複数のパラメータを記憶するＰＤＣＰコンテキスト維持コンポーネント（PDCP context maintaining component）３０６（それは、リレーｅＮＢへの通信のフローを制御するために、１又は複数のバッファを含むことができる）、及び、１又は複数のＵＥとのＰＤＣＰレイヤ通信に関する１又は複数のパラメータを取得することができるＰＤＣＰパラメータ受信コンポーネント（PDCP parameter receiving component）３０８を含む。ドナーｅＮＢ１０２はまた、コアネットワークから受信されたパケットを、対象とする（intended）ＵＥ又はリレーｅＮＢへ（例えば、１又は複数の中間リレーｅＮＢを介して）送信することができるパケット・ルーティング・コンポーネント（packet routing component）３１０を含むことができる。
【００５０】
加えて、ドナーｅＮＢ１０２は、１又は複数のＵＥとのＰＤＣＰレイヤ通信に関する１又は複数の受信されたＰＤＣＰパラメータを、異なるｅＮＢ（例えば、サービスされるリレーｅＮＢ、ターゲット・ドナーｅＮＢ、その他）へ送信することができるＰＤＣＰパラメータ提供コンポーネント（PDCP parameter providing component）３１２、リレーｅＮＢにおいて確立される無線ベアラに関係する１又は複数のパラメータを、ターゲット・ドナーｅＮＢへ（例えば、該ターゲット・リレーｅＮＢにおいて確立するために）送信するベアラ情報提供コンポーネント（bearer information providing component）３１４、ＵＥから得られたが、まだドナーｅＮＢへ送信されていないパケットのＵＬバッファ・コンテンツを、リレーｅＮＢから取得するＵＬバッファ・コンテンツ受信コンポーネント（UL buffer contents receiving component）３１６、及び、ＵＬバッファ・コンテンツを、サービスされたリレーｅＮＢ、ターゲット・ドナーｅＮＢ及び／又はその種の他のものへ送信するＵＬバッファ・コンテンツ提供コンポーネント（UL buffer contents providing component）３１８を含む。
【００５１】
リレーｅＮＢ１０４は、ＵＥへ（例えば、１又は複数の更なるリレーｅＮＢを介して、又は、他の方法により）へ提供するために、ドナーｅＮＢから１又は複数のパケットを取得するパケット受信コンポーネント（packet receiving component）３２０、ドナーｅＮＢにおけるフロー制御を容易にするために、１又は複数のパケットのＰＤＣＰヘッダから１又は複数のパラメータを検索するＰＤＣＰヘッダ観測コンポーネント（PDCP header observing component）３２２、及び、ＵＥへの送信のために、ドナーｅＮＢから受信される１又は複数のパケットを一時的に記憶する（及び／又は、その逆を行う）パケット・バッファリング・コンポーネント（packet buffering component）３２４を含むことができる。リレーｅＮＢ１０４は、ドナーｅＮＢから受信される１又は複数のパケット（例えば、パケット・バッファリング・コンポーネント３２４中の１又は複数のパケット）を、ＵＥへ送信するパケット・ルーティング・コンポーネント（packet routing component）３２６、及び、フロー制御、ハンドオーバー、その他を容易にするために、１又は複数のパケットのＰＤＣＰヘッダからの１又は複数のパラメータを、ドナーｅＮＢへ送信するＰＤＣＰパラメータ提供コンポーネント（PDCP parameter providing component）３２８をさらに含む。そのうえ、リレーｅＮＢ１０４は、ＵＥのためにハンドオーバー手続きを開始するハンドオーバー処理コンポーネント（handover processing component）３３０、及び、インターセル・ハンドオーバー中に、ＵＥからの通信に関係するＵＬバッファのコンテンツを、ドナーｅＮＢへ送信するＵＬバッファ・コンテンツ提供コンポーネント（UL buffer contents providing component）３３２を含むことができる。
【００５２】
一つの例によると、説明されるように、ドナーｅＮＢ１０２は、ＵＥ１１０へ提供するために、パケットを、コアネットワーク１０６からリレーｅＮＢ１０４へ通信することができる。バックホール・リンク・コンポーネント３０４は、コアネットワーク１０６から、ＵＥ１１０を対象とするパケットを受信することができる。ＰＤＣＰコンテキスト維持コンポーネント３０６は、複数の記憶されたＰＤＣＰコンテキストから、ＵＥ１１０に関係するＰＤＣＰコンテキストを取得することができる。たとえば、ＰＤＣＰコンテキスト維持コンポーネント３０６は、パケット中の識別子に少なくとも部分的に基づいて、ＰＤＣＰコンテキストを見つける（locate）ことができる。そのうえ、説明されるように、ＰＤＣＰコンテキスト維持コンポーネント３０６は、１又は複数のリレーｅＮＢへのパケットのフロー制御を容易にするために、ＵＥ１１０のためのパケットを一時的に記憶するためのＰＤＣＰコンテキストに関係するバッファを管理することができる。一つの例において、ＰＤＣＰコンテキストを取得すると、ＰＤＣＰコンテキスト維持コンポーネント３０６は、コアネットワーク１０６から受信されたパケットを、関係するバッファに記憶することができる。そのうえ、パケット・ルーティング・コンポーネント３１０は、該パケットの１又は複数を、該バッファからリレーｅＮＢ１０４へ送信することができる（例えば、ＰＤＣＰコンテキストに関係する１又は複数のフロー制御パラメータに基づいて）。
【００５３】
パケット受信コンポーネント３２０は、１又は複数のパケットを取得することができ、ＰＤＣＰヘッダ観測コンポーネント３２２は、該１又は複数のパケットのＰＤＣＰレイヤ・ヘッダから、１又は複数のパラメータを検索することができる。説明されるように、該１又は複数のパラメータは、該１又は複数のパケットのＳＮを含むことができる。パケット・バッファリング・コンポーネント３２４は、一つの例において、ＵＥ１１０へ送信するために、１又は複数のパケットを記憶することができる。リレーｅＮＢ１０４が、１又は複数のパケット中の識別子及び／又はその種の他のものに従って、１又は複数のパケットをＵＥ１１０に関連付けることができることは、認識されるべきである。パケット・ルーティング・コンポーネント３２６は、１又は複数のパケットを、パケット・バッファリング・コンポーネント３２４からＵＥ１１０へ送信することができる。そのうえ、たとえば、ＰＤＣＰパラメータ提供コンポーネント３２８は、ＰＤＣＰレイヤ・ヘッダからの１又は複数のパラメータを、ドナーｅＮＢ１０２へ送信することができる。
【００５４】
説明されるように、たとえば、ＰＤＣＰパラメータ提供コンポーネント３２８は、ハンドオーバー手続き及び／又はその種の他のものの一部として、フロー制御を容易にするために、パケット・ルーティング・コンポーネント３２６によりＵＥ１１０へ送信される最後のパケットのＳＮ（及び／又は、バッファ・サイズ、容量、その他）を通信することができる。他の例において、ＰＤＣＰパラメータ提供コンポーネント３２８は、ＵＥ１１０により受信される最後のパケットのＳＮを通信することができる（例えば、ＵＥ１１０によりリレーｅＮＢ１０４へ送信されるフィードバックに従って）。そのうえ、ＰＤＣＰパラメータ提供コンポーネント３２８は、タイマーに従って、リクエストに応じて、イベントの発生に応じて、ハンドオーバー手続き中に、及び／又はその種の他のものによって、ＳＮ又は他のＰＤＣＰパラメータを送信することができる。本明細書で説明されるように、ＰＤＣＰパラメータ受信コンポーネント３０８は、ＳＮを取得することができ、ＰＤＣＰコンテキスト維持コンポーネント３０６は、ＳＮをＵＥ１１０のＰＤＣＰコンテキストに適用することができる。
【００５５】
一つの例において、ハンドオーバー処理コンポーネント３３０は、ＵＥ１１０のためのハンドオーバー手続きを開始することを判定することができる。これは、ＵＥ１１０から、１又は複数の近隣ｅＮＢ（neighboring eNBs）に関係するメジャーメント・レポートを受信することと、メジャーメント・レポート中のパラメータ（例えば、信号対雑音比（ＳＮＲ））に基づいて、近隣ｅＮＢへハンドオーバーすることを判定すること、その他を含むことができる。ＵＥ１１０のためのハンドオーバー手続き中に、ＰＤＣＰパラメータ提供コンポーネント３２８は、説明されるように、パケット・ルーティング・コンポーネント３２６によりＵＥ１１０へ通信される最後のパケットのＳＮを、ドナーｅＮＢ１０２へ送信することができる。ＰＤＣＰパラメータ受信コンポーネント３０８は、ＵＥ１１０へ通信される最後のパケットのＳＮを取得することができ、そして、ＵＥ１１０との通信を継続するために又はターゲットｅＮＢにＵＥ１１０との通信を継続させるために、ＳＮを利用することができる。
【００５６】
たとえば、ハンドオーバー処理コンポーネント３３０が、ドナーｅＮＢ１０２によりサービスされるターゲット・リレーｅＮＢへ（又は、ドナーｅＮＢ１０２へ）、ＵＥ１１０をハンドオーバーするハンドオーバー手続きを開始する場合に、ＰＤＣＰコンテキスト維持コンポーネント３０６は、ＳＮを、ＵＥ１１０へ通信される最後のパケットのＳＮとして、記憶することができる。ハンドオーバーに続いて、それゆえ、ＰＤＣＰコンテキスト維持コンポーネント３０６は、ＵＥ１１０へ通信される最後のパケットのＳＮに後に続く次のＳＮに対応するバッファ中のパケットを判定することができる。ここで、該バッファは、ＵＥ１１０のＰＤＣＰコンテキストに関係する。パケット・ルーティング・コンポーネント３１０は、それから、該次のＳＮから始まる、ＰＤＣＰコンテキストのバッファからのパケットを、ターゲット・リレーｅＮＢ又はＵＥへ送信することを開始することができる。さらに、本明細書で更に説明されるように、ドナーｅＮＢ１０２は、ＵＥ１１０と通信するためのターゲットｅＮＢからの無線ベアラ確立を要求することができる。
【００５７】
他の例において、ハンドオーバー処理コンポーネント３３０は、ターゲット・ドナーｅＮＢ３０２によりサービスされるターゲットｅＮＢへ（又は、ターゲット・ドナーｅＮＢ３０２へ）、ＵＥ１１０をハンドオーバーするために、ドナーｅＮＢ１０２によるインターセル・ハンドオーバー手続きを開始することができる。この例において、ＰＤＣＰパラメータ受信コンポーネント３０８は、パケット・ルーティング・コンポーネント３２６によりＵＥ１１０へ送信される最後のパケットのＳＮを受信することができ、そして、先に述べたように、ＰＤＣＰコンテキスト維持コンポーネント３０６は、ＳＮを記憶することができる。ターゲット・ドナーｅＮＢ３０２の下でのターゲット・リレーｅＮＢへの（又は、ターゲット・ドナーｅＮＢ３０２への）ハンドオーバーを容易にするために、ＰＤＣＰパラメータ提供コンポーネント３１２は、ＵＥ１１０に関係するＰＤＣＰコンテキストの少なくとも一部を、ターゲット・ドナーｅＮＢ３０２へ通信することができる。たとえば、ＰＤＣＰパラメータ提供コンポーネント３１２は、受信されたＳＮの後に続くＳＮから始まる、ＰＤＣＰコンテキストに関係するバッファのコンテンツを送信することができる。それゆえ、ターゲット・ドナーｅＮＢ３０２は、一つの例において、ＵＥ１１０へ送信される最後のパケットの後のパケットから始まる、バッファのコンテンツを、ターゲット・リレーｅＮＢへ送信することができる（例えば、そして、ターゲット・ドナーｅＮＢ３０２において確立されるフロー制御に従って）。
【００５８】
さらにまた、この例において、ベアラ情報提供コンポーネント３１４は、コアネットワーク１０６において確立されるベアラ及びＵＥ１１０と通信するためにリレーｅＮＢ１０４により確立される無線ベアラに関する１又は複数のパラメータを、ターゲット・ドナーｅＮＢ３０２へ送信することができる。例えば、ターゲット・ドナーｅＮＢ３０２は、本明細書で更に説明されるように、同様のベアラをコアネットワーク１０６（又は、ターゲット・ドナーｅＮＢ３０２に関係するその１又は複数のコンポーネント）と確立するために及びターゲット・リレーｅＮＢによる同様の無線ベアラを確立するために又はその確立を要求するために、該パラメータを利用することができる。そのうえ、たとえば、ハンドオーバー処理コンポーネント３３０が、インターセル・ハンドオーバーを開始するとき、ＵＬバッファ・コンテンツ提供コンポーネント３３２は、ドナーｅＮＢ１０２へ提供するためにＵＥ１１０から受信される、ＵＬバッファ中のパケットを、ドナーｅＮＢ１０２へ通信することができる。ＵＬバッファ・コンテンツ受信コンポーネント３１６は、リレーｅＮＢ１０４からコンテンツを取得することができ、そして、ＵＬバッファ・コンテンツ提供コンポーネント３１８は、バッファ・コンテンツを、ターゲット・ドナーｅＮＢ３０２へ送信することができる。この点に関して、下で更に説明されるように、ターゲット・ドナーｅＮＢ３０２は、ＵＥ１１０からのパケットを処理するために、バッファ・コンテンツに基づいて、パケットをコアネットワーク１０６へ送信することができる。それゆえ、バッファ・コンテンツにおけるパケットに基づいてコアネットワーク１０６により生成される応答パケット（responding packets）は、ターゲット・ドナーｅＮＢ３０２へ提供されることができる（例えば、ターゲット・リレーｅＮＢへ提供するために、あるいはさもなければＵＥ１１０へ送信するために）。
【００５９】
図４を参照して、ターゲット・リレーｅＮＢへのデバイスのイントラクラスター・ハンドオーバーを実行するのを容易にする例示的な無線通信システム４００が説明される。システム４００は、コアネットワーク１０６へのアクセスを、リレーｅＮＢ１０４、ターゲット・リレーｅＮＢ４０２（及び／又は、他のリレーｅＮＢ、又は、１又は複数のデバイス）へ提供するドナーｅＮＢ１０２を含む。さらに、説明されるように、リレーｅＮＢ１０４は、ドナーｅＮＢ１０２を通したコアネットワーク１０６へのアクセスを、ＵＥ１１０へ提供することができる。説明されるように、ハンドオーバー手続きに続いて、ターゲット・リレーｅＮＢ４０２は、そうすることができる。さらに、たとえば、ドナーｅＮＢ１０２とＵＥ１１０との間に、複数のリレーｅＮＢ１０４が存在することができる。そのうえ、リレーｅＮＢ１０４が、ターゲット・リレーｅＮＢ４０２のコンポーネントを含むことができ、一つの例において、同様の機能性を提供することができることは、認識されるべきである。さらに、説明されるように、ドナーｅＮＢ １０２は、マクロセル・アクセスポイント、フェムトセル・アクセスポイント、ピコセル・アクセスポイント、モバイル基地局、及び／又はその種の他のものであることができる。説明されるように、リレーｅＮＢ１０４及びターゲット・リレーｅＮＢ４０２は、同様に、無線又は有線のバックホールの上でドナーｅＮＢ１０２と通信するモバイル又は固定のリレー・ノードであることができる。
【００６０】
ドナーｅＮＢ１０２は、１又は複数のリレーｅＮＢ及び／又はＵＥへ無線ネットワーク・アクセスを提供するために、コアネットワーク及び／又はターゲット・ドナーｅＮＢと（例えば、直接又はコアネットワークを介して）通信するバックホール・リンク・コンポーネント（backhaul link component）３０４、（例えば、１又は複数のリレーｅＮＢを介して、又は、他の方法により）ドナーｅＮＢ１０２と通信している１又は複数のＵＥのＰＤＣＰコンテキストに関連する１又は複数のパラメータを記憶するＰＤＣＰコンテキスト維持コンポーネント（PDCP context maintaining component）３０６（それはリレーｅＮＢへの通信のフローを制御するための１又は複数のバッファを含むことができる）、及び、１又は複数のＵＥとのＰＤＣＰレイヤ通信に関する１又は複数のパラメータを取得することができるＰＤＣＰパラメータ受信コンポーネント（PDCP parameter receiving component）３０８を含む。ドナーｅＮＢ１０２はまた、ｅＮＢと通信するための１又は複数の無線ベアラを確立するためのリクエストを生成して送信するベアラ確立要求コンポーネント（bearer establishment requesting component）４０４、及び、コアネットワークから受信されたパケットを、対象とするＵＥ又はリレーｅＮＢへ（例えば、１又は複数の中間ｅＮＢを介して）送信することができるパケット・ルーティング・コンポーネント（packet routing component）３１０を含むことができる。
【００６１】
ターゲット・リレーｅＮＢ４０２は、ＵＥと通信するための１又は複数の無線ベアラを確立するためのリクエストを取得するベアラ・リクエスト受信コンポーネント（bearer request receiving component）４０６、ＵＥと通信するための１又は複数の無線ベアラを初期化（initializes）して起動（activates）するベアラ確立コンポーネント（bearer establishing component）４０８、及び、ＵＥのためのリレーＵＥ識別子を生成するリレーＵＥ識別子割り当てコンポーネント（relay UE identifier assigning component）４１０を含むことができる。ターゲット・リレーｅＮＢ４０２は、さらに、（例えば、１又は複数のリレーｅＮＢを介して、又は、他の方法により）ＵＥへ提供するためにドナーｅＮＢから１又は複数のパケットを取得するパケット受信コンポーネント（packet receiving component）３２０、及び、ドナーｅＮＢから受信される１又は複数のパケットを、ＵＥへ送信するパケット・ルーティング・コンポーネント（packet routing component）３２６を含む。
【００６２】
一つの例によると、説明されるように、ドナーｅＮＢ１０２は、説明されるように、ＵＥ１１０へ提供するために、コアネットワーク１０６からのパケットを、リレーｅＮＢ１０４へ通信することができる。バックホール・リンク・コンポーネント３０４は、コアネットワーク１０６から、ＵＥ１１０に向けられたパケットを受信することができる。ＰＤＣＰコンテキスト維持コンポーネント３０６は、複数の記憶されたＰＤＣＰコンテキストから、ＵＥ１１０に関係するＰＤＣＰコンテキストを取得することができる。たとえば、ＰＤＣＰコンテキスト維持コンポーネント３０６は、パケット中の識別子に少なくとも部分的に基づいて、ＰＤＣＰコンテキストを見つける（locate）ことができる。そのうえ、説明されるように、ＰＤＣＰコンテキスト維持コンポーネント３０６は、１又は複数のリレーｅＮＢへのパケットのフロー制御を容易にするために、ＵＥ１１０のためのパケットを一時的に記憶するためのＰＤＣＰコンテキストに関係するバッファを維持することができる。一つの例において、ＰＤＣＰコンテンツを取得すると、ＰＤＣＰコンテキスト維持コンポーネント３０６は、コアネットワーク１０６から受信されるパケットを、関係のあるバッファに記憶することができる。そのうえ、説明されるように、パケット・ルーティング・コンポーネント３１０は、ＵＥ１１０へ提供するために、該パケットの１又は複数をリレーｅＮＢ１０４へ送信することができる（例えば、ＰＤＣＰコンテキストに関係する１又は複数のフロー制御パラメータに基づいて）。
【００６３】
さらに、たとえば、リレーｅＮＢ１０４は、ＵＥ１１０をターゲット・リレーｅＮＢ４０２へハンドオーバーハンドするオーバー手続きを開始することができる。説明されるように、リレーｅＮＢ１０４は、ハンドオーバー手続きの一部として、１又は複数のパラメータを、ドナーｅＮＢ１０２へ通信することができる。ＰＤＣＰパラメータ受信コンポーネント３０８は、１又は複数のパラメータを取得することができ、そして、説明されるように、ＰＤＣＰコンテキスト維持コンポーネント３０６は、１又は複数のパラメータを、ＵＥ１１０に関係するＰＤＣＰコンテキストに適用することができる。１又は複数のパラメータは、リレーｅＮＢ１０４によりＵＥ１１０へ送信される（又は、説明されるように、ＵＥ１１０により受信される）最後のパケットのＳＮを含むことができる。それゆえ、例えば、パケット・ルーティング・コンポーネント３１０は、ＰＤＣＰパラメータ受信コンポーネント３０８により受信されるＳＮの後に続くＳＮを有するパケットから始まる、ＰＤＣＰコンテキストに関係するバッファ中のパケットを、ターゲット・リレーｅＮＢ４０２へ送信し続けることができる。
【００６４】
そのうえ、ベアラ確立要求コンポーネント４０４は、ＵＥ１１０と通信するためのターゲット・リレーｅＮＢ４０２への１又は複数の無線ベアラを確立するためのリクエストを送信することができる。たとえば、該リクエストは、ＵＥ１１０と通信するためにリレーｅＮＢ１０４により確立される１又は複数の無線ベアラに関係することができる。ベアラ・リクエスト受信コンポーネント４０６は、１又は複数の無線ベアラを確立するためのリクエストを取得することができ、ベアラ確立コンポーネント４０８は、ＵＥ１１０との１又は複数の無線ベアラを起動（activate）させることができる（例えば、無線資源制御（ＲＲＣ）コネクション再構成（radio resource control (RRC) connection reconfiguration）又は同様のメッセージを送信することによって）。ベアラ確立コンポーネント４０８は、ドナーｅＮＢ１０２への確立された（１又は複数の）無線ベアラに関する１又は複数のパラメータ（例えば、リレー無線ベアラ識別子又は同様のパラメータ）を通信することができ、ドナーｅＮＢ１０２は、確立された無線ベアラを、ターゲット・リレーｅＮＢ４０２を介してコアネットワーク１０６からＵＥ１１０へ通信をルーティングするためのコアネットワーク１０６におけるベアラと関連付けることができる。
【００６５】
さらに、たとえば、リレーＵＥ識別子割り当てコンポーネント４１０は、リレーＵＥ識別子のＵＥ部分（UE portion）を生成してＵＥ１１０に割り当てることができる（例えば、ベアラ・リクエスト受信コンポーネント４０６が、無線ベアラを確立するためのリクエストを取得することに応じて、あるいはさもなければハンドオーバー手続き中に）。さらにまた、リレーＵＥ識別子割り当てコンポーネント４１０は、ＵＥ１１０に関係するリレーＵＥ識別子を、ドナーｅＮＢ１０２に指示する（indicate）ことができる。リレーＵＥ識別子は、一つの例において、通信をＵＥ１１０に関連付けるために利用されることができる。それゆえ、ハンドオーバーに続いて、たとえば、ターゲット・リレーｅＮＢ４０２は、ＵＥ１１０から１又は複数のパケットを受信し、リレーＵＥ識別子を１又は複数のパケットに関連付け、そして、１又は複数のパケットをドナーｅＮＢ１０２へ送信することができる。ドナーｅＮＢ１０２は、リレーＵＥ識別子を、１又は複数のパケットに関係するコアネットワーク１０６へ送信される通信に関連付けることができる。バックホール・リンク・コンポーネント３０４の上でコアネットワーク１０６からＵＥ１１０に関係する応答パケット又は他のパケットを受信すると、ドナーｅＮＢ１０２は、リレーＵＥ識別子を、１又は複数のパケットに関連付け、そして、パケット・ルーティング・コンポーネント３１０は、ＵＥ１１０へ提供するために、ターゲット・リレーｅＮＢ４０２及び／又は１又は複数の中間リレーｅＮＢ（図示せず）に、１又は複数のパケットを送信することができる。
【００６６】
たとえば、ＰＤＣＰパラメータ受信コンポーネント３０８又は同様の受信コンポーネントは、ＵＥ１１０に関係するＰＤＣＰコンテキストと関連付けるためのリレーＵＥ識別子を取得することができる。一つの例に記載されているように、ハンドオーバーに続いて、パケット・ルーティング・コンポーネント３１０は、ＰＤＣＰコンテキスト維持コンポーネント３０６におけるＵＥ１１０に関係するバッファからのパケットを、ターゲット・リレーｅＮＢ４０２へ送信することができる。たとえば、説明されるように、リレーＵＥ識別子は、ターゲット・リレーｅＮＢ４０２及び／又はＵＥ１１０を識別するのを容易にするために、該パケットに含まれることができる。パケット受信コンポーネント３２０は、パケットを取得することができ、パケット・ルーティング・コンポーネント３２６は、パケットをＵＥ１１０へ送信することができる（例えば、リレーＵＥ識別子のＵＥ部分に基づいて）。
【００６７】
さて、図５に移って、無線ネットワークにおいてパケットをルーティングすること及びパケットがルーティングされる１又は複数のデバイスのインターセル・ハンドオーバーをサポートすることを容易にする例示的な無線通信システム５００が説明される。システム５００は、ドナーｅＮＢ１０２、及び、リレーｅＮＢ（例えば、ターゲット・リレーｅＮＢ４０２）及び／又は１又は複数のデバイスにコアネットワーク１０６へのアクセスを提供するターゲット・ドナーｅＮＢ３０２を含む。その上、ターゲット・リレーｅＮＢ４０２は、ターゲット・リレーｅＮＢ４０２へのＵＥ１１０のハンドオーバーに続いて、ターゲット・ドナーｅＮＢ３０２を通したコアネットワーク１０６へのアクセスを、ＵＥ１１０へ提供することができる。さらに、たとえば、ドナーｅＮＢ１０２とターゲット・リレーｅＮＢ４０２又はＵＥ１１０との間に、複数のリレーｅＮＢが存在することができる。さらに、ドナーｅＮＢ １０２及び／又はターゲット・ドナーｅＮＢ ３０２は、マクロセル・アクセスポイント、フェムトセル・アクセスポイント、ピコセル・アクセスポイント、モバイル基地局、及び／又はその種の他のものであることができる。説明されるように、ターゲット・リレーｅＮＢ４０２は、同様に、無線又は有線のバックホールの上でターゲット・ドナーｅＮＢ３０２と通信するモバイル又は固定のリレー・ノードであることができる。
【００６８】
ターゲット・ドナーｅＮＢ３０２は、１又は複数のリレーｅＮＢ及び／又はＵＥに無線ネットワーク・アクセスを提供するために、コアネットワーク及び／又はドナーｅＮＢと（例えば、直接又はコアネットワークを介して）通信するバックホール・リンク・コンポーネント（backhaul link component）３０４、ハンドオーバー中に、ソース・ドナーｅＮＢ（source donor eNB）から、ＵＥに関係する１又は複数のＰＤＣＰパラメータを取得するＰＤＣＰパラメータ受信コンポーネント（PDCP parameter receiving component）５０２、及び、ソース・ドナーｅＮＢからＵＥにサービスしているリレーｅＮＢに関係するＵＬバッファから、１又は複数のパケットを取得するＵＬバッファ・コンテンツ受信コンポーネント（UL buffer contents receiving component）５０４を含む。ターゲット・ドナーｅＮＢ３０２は、さらに、（例えば、１又は複数のリレーｅＮＢを介して、又は、他の方法により）ドナーｅＮＢ１０２と通信している１又は複数のＵＥのＰＤＣＰコンテキストに関係する１又は複数のパラメータを記憶するＰＤＣＰコンテキスト維持コンポーネント（PDCP context maintaining component）３０６を含む。そして、それはリレーｅＮＢへの通信のフローを制御するための１又は複数のバッファを含むことができる。
【００６９】
加えて、ターゲット・ドナーｅＮＢ３０２は、１又は複数のコアネットワーク・コンポーネントからＵＥへ通信するためのベアラに加えてそれとともに（therewith）通信するためにＵＥにサービスしているリレーｅＮＢにより確立される１又は複数の無線ベアラに関する１又は複数のパラメータを取得するベアラ情報受信コンポーネント５０６を含む。ターゲット・ドナーｅＮＢ３０２はまた、ターゲット・リレーｅＮＢ及び／又はコアネットワークの１又は複数のコンポーネントへの１又は複数の無線ベアラを確立するためのリクエストを生成して送信するベアラ確立要求コンポーネント（bearer establishment requesting component）４０４、及び、コアネットワークから受信されるパケットを、対象とするＵＥ又はリレーｅＮＢへ送信することができる（例えば、１又は複数の中間リレーｅＮＢを介して）パケット・ルーティング・コンポーネント（packet routing component）３１０を含む。
【００７０】
ターゲット・リレーｅＮＢ４０２は、ＵＥと通信するための１又は複数の無線ベアラを確立するためのリクエストを取得するベアラ・リクエスト受信コンポーネント（bearer request receiving component）４０６、１又は複数の無線ベアラを確立するためにＵＥと通信するベアラ確立コンポーネント（bearer establishing component）４０８、及び、ＵＥのためのリレーＵＥ識別子のＵＥ部分を生成するリレーＵＥ識別子割り当てコンポーネント（relay UE identifier assigning component）４１０を含むことができる。ターゲット・リレーｅＮＢ４０２は、さらに、ＵＥへ提供するために、（例えば、１又は複数のリレーｅＮＢを介して、又は、他の方法により）ドナーｅＮＢから１又は複数のパケットを取得するパケット受信コンポーネント（packet receiving component）３２０、及び、ドナーｅＮＢから受信される１又は複数のパケット（例えば、パケット・バッファリング・コンポーネント３２４における１又は複数のパケット）を、ＵＥへ送信するパケット・ルーティング・コンポーネント（packet routing component）３２６を含む。
【００７１】
一つの例によると、バックホール・リンク・コンポーネント３０４は、ターゲット・リレーｅＮＢ４０２へのＵＥ１１０のハンドオーバーに続いて、コアネットワーク１０６から、ＵＥ１１０に向けられたパケットを受信することができる。一つの例によると、説明されるように、ドナーｅＮＢ１０２は、１又は複数のリレーｅＮＢ（図示せず）を介して又は他の方法により、コアネットワーク１０６からの１又は複数のパケットを、ＵＥ１１０へ通信することができる。ハンドオーバー手続きは、先に述べたように、ターゲット・リレーｅＮＢ４０２へＵＥ１１０をハンドオーバーするために、ＵＥ１１０にサービスしている１又は複数のリレーｅＮＢにより開始されることができる。ハンドオーバー手続きの一部として、前に説明されたように、ドナーｅＮＢ１０２は、１又は複数のパラメータを、ターゲット・ドナーｅＮＢ３０２に（例えば、直接又はコアネットワーク１０６を介して）送信することができる。たとえば、説明されるように、ＰＤＣＰパラメータ受信コンポーネント５０２は、ドナーｅＮＢ１０２に記憶されるＵＥ１１０のためのコンテキストに関係する１又は複数のＰＤＣＰパラメータを取得することができる。１又は複数のＰＤＣＰパラメータは、ハンドオーバー手続きの前にＵＥ１１０にサービスしているリレーｅＮＢへドナーｅＮＢ１０２によって送信されなかったパケットのバッファを含むことができる。ＰＤＣＰコンテンツ維持コンポーネント３０６は、ハンドオーバー手続きに続いてＵＥ１１０と通信するための１又は複数のパラメータを記憶することができる。
【００７２】
そのうえ、説明されるように、ＵＬバッファ・コンテンツ受信コンポーネント５０４は、ハンドオーバー手続きの前にＵＥ１１０にサービスしているリレーｅＮＢのＵＬバッファから、１又は複数のパケットを取得することができる。説明されるように、ＰＤＣＰコンテキスト維持コンポーネント３０６は、１又は複数のパケットを記憶し、そして、ハンドオーバー手続きに続いて、該１又は複数のパケットを、コアネットワーク１０６へ送信し、そして、応答パケットが、ターゲット・ドナーｅＮＢ３０２に関連付けられることができる。さらに、たとえば、説明されるように、ベアラ情報受信コンポーネント５０６は、ＵＥ１１０のために確立するための、無線ベアラ及び／又はコアネットワーク・ベアラ（例えば、システムアーキテクチャ発展（system architecture evolution）（ＳＡＥ）ベアラ）に関する１又は複数のパラメータを取得することができる。ベアラ確立要求コンポーネント４０４は、１又は複数のコアネットワーク・ベアラを確立するためのリクエストを生成して、コアネットワーク１０６へ送信することができ、そして、コアネットワーク１０６は、ベアラを確立することができる。たとえば、ベアラは、ターゲット・ドナーｅＮＢ ３０２との通信を容易にするコアネットワーク１０６のＭＭＥ、ＳＧＷ、ＰＧＷなどによって、確立されることができる。一つの例において、上で説明されるパラメータは、直接、コアネットワーク１０６又はドナーｅＮＢ１０２から、バックホール・リンク・コンポーネント３０４によって受信されることができ、そして、バックホール・リンク・コンポーネント３０４は、パラメータを前述のコンポーネントへ提供することができることは、認識されるべきである。
【００７３】
さらにまた、ベアラ確立要求コンポーネント４０４は、ＵＥ１１０と通信するための１又は複数の無線ベアラを確立するためのリクエストを作成して、ターゲット・リレーｅＮＢ４０２へ送信することができる。一つの例において、上で説明されるように、１又は複数の無線ベアラは、コアネットワーク１０６において前に（previously）確立されたベアラに関係することができる。ベアラ・リクエスト受信コンポーネント４０６は、１又は複数の無線ベアラを確立するためのリクエストを取得することができ、ベアラ確立コンポーネント４０８は、ＵＥ１１０とのベアラを起動させることができる（例えば、ＲＲＣコネクション再構成又は同様のメッセージをＵＥ１１０へ通信することによって）。そのうえ、リレーＵＥ識別子割り当てコンポーネント４１０は、ＵＥ１１０のためのリレーＵＥ識別子の少なくともＵＥ部分を確立することができる。説明されるように、リレーＵＥ識別子は、アップストリームのパケット及びダウンストリームのパケットをＵＥ１１０に関連付けるために、その後（subsequently）、利用されることができる。
【００７４】
それゆえ、一つの例において、ベアラ情報受信コンポーネント５０６により受信される１又は複数のパラメータは、コアネットワーク１０６の（１又は複数の）コンポーネントによって前に（previously）確立されたＵＥ１１０の音声通信（voice communications）のためのベアラを確立することに関係することができる。該（１又は複数の）コンポーネントは、ＵＥ１１０へ提供するためにパケットをドナーｅＮＢ１０２へ通信するためのベアラを（例えば、ドナーｅＮＢ１０２によりサービスされない場合にＵＥ１１０をサービスしているリレーｅＮＢを介して）確立した可能性がある（can have established）。ベアラ確立要求コンポーネント４０４は、コアネットワーク１０６におけるＵＥ１１０に関係する音声通信のためのベアラの確立を要求することができる。ベアラ確立要求コンポーネント４０４は、音声通信のためにターゲット・リレーｅＮＢ４０２に関係する無線ベアラを確立するためのリクエストをさらに送信することができる。ベアラ・リクエスト受信コンポーネント４０６は、該リクエストを取得することができ、そして、ベアラ確立コンポーネント４０８は、ＵＥ１１０に関係する音声通信のための無線ベアラを初期化及び起動することができる。
【００７５】
ベアラの確立に続いて、たとえば、ＰＤＣＰコンテキスト維持コンポーネント３０６は、音声通信のためのベアラに対応する、ドナーｅＮＢ１０２から受信されるＵＬバッファ・コンテンツを、確立されたコアネットワーク・ベアラの上でコアネットワークへフォワードすることができる。ＵＥ１１０の音声通信に関係するパケットは、それから、バックホール・リンク・コンポーネント３０４によって、関連するコアネットワーク・ベアラの上でコアネットワーク１０６から受信されることができる。前に説明されたように、ＰＤＣＰコンテキスト維持コンポーネント３０６は、受信されたパケットを、ＵＥ１１０に関連するＰＤＣＰコンテキストに関連付けることができ、そして、通信するために該パケットをバッファに記憶することができる。パケット・ルーティング・コンポーネント３１０は、パケットをターゲット・リレーｅＮＢ４０２へ送信することができる；そのうえ、たとえば、ＰＤＣＰコンテキスト維持コンポーネント３０６は、それの上でパケットを送信する、ＵＥ１１０と通信するためにターゲット・リレーｅＮＢ４０２により確立される無線ベアラの識別子を指示する（indicate）ことができる。パケット受信コンポーネント３２０は、パケットを取得することができ、そして、パケット・ルーティング・コンポーネント３２６は、ＵＥ１１０と確立される、対応する無線ベアラの上で、（例えば、説明されるように、パケット中のリレーＵＥ識別子に基づいて）パケットをＵＥ１１０にフォワードすることができる（例えば、ターゲット・ドナーｅＮＢ３０２から受信されるパケットにおいて又は他の方法によって、指示されるように）。説明されるように、ターゲット・リレーｅＮＢ４０２は、その後（subsequently）、ＵＥ１１０からパケットを受信し、そして、パケットをドナーｅＮＢ１０２（それはコアネットワーク１０６にパケットを提供することができる）にフォワードすることができることは認識されるべきである。さらに、説明されるように、コアネットワーク１０６は、パケットを、ターゲット・リレーｅＮＢ４０２を介してＵＥ１１０へ提供するためにターゲット・ドナーｅＮＢ３０２へ送信することができる。
【００７６】
図６を参照して、ドナーｅＮＢ間でリレーｅＮＢ通信をハンドオーバーすることを容易にする例示的な無線通信システム６００が説明される。システム６００は、コアネットワーク１０６へのアクセスを、リレーｅＮＢ１０４（及び／又は、他のリレーｅＮＢ又はデバイス）へ提供するドナーｅＮＢ１０２を含む。さらに、コアネットワーク・アクセスを同様に提供するターゲット・ドナーｅＮＢ３０２が説明される。その上、説明されるように、リレーｅＮＢ１０４は、ドナーｅＮＢ１０２を通したコアネットワーク１０６へのアクセスを、デバイス及び／又は他のリレーｅＮＢへ提供することができる。説明されるように、ハンドオーバー手続きに続いて、ターゲット・ドナーｅＮＢ３０２は、そうすることができる。さらに、たとえば、ドナーｅＮＢ１０２とＵＥ１１０との間に、複数のリレーｅＮＢ１０４が存在することができる。さらに、説明されるように、ドナーｅＮＢ１０２及びターゲット・ドナーｅＮＢ３０２は、マクロセル・アクセスポイント、フェムトセル・アクセスポイント、ピコセル・アクセスポイント、モバイル基地局、及び／又はその種の他のものであることができる。説明されるように、リレーｅＮＢ１０４は、同様に、無線又は有線のバックホールの上でドナーｅＮＢ１０２及び／又は（ハンドオーバーに続いて）ターゲット・ドナーｅＮＢ３０２と通信するモバイル又は固定のリレー・ノードであることができる。
【００７７】
ドナーｅＮＢ１０２は、無線ネットワーク・アクセスを１又は複数のリレーｅＮＢ及び／又はＵＥへ提供するために、コアネットワーク及び／又はターゲット・ドナーｅＮＢと（例えば、直接又はコアネットワークを介して）通信するバックホール・リンク・コンポーネント（backhaul link component）３０４、及び、ＵＥと通信するための１又は複数の無線ベアラに関するパラメータを送信するベアラ情報提供コンポーネント（bearer information providing component）３１４を含む。ドナーｅＮＢ１０２はまた、（例えば、１又は複数のリレーｅＮＢを介して、又は、その他の方法により）ドナーｅＮＢ１０２と通信している１又は複数のＵＥのＰＤＣＰコンテキストに関連する１又は複数のパラメータを記憶するＰＤＣＰコンテキスト維持コンポーネン（context maintaining component）３０６（それはリレーｅＮＢへの通信のフローを制御するための１又は複数のバッファを含むことができる）、及び、リレーｅＮＢをターゲット・ドナーｅＮＢに（thereto）ハンドオーバーするのを容易にするために、リレーｅＮＢによりサービスされる１又は複数のＵＥに関係するＰＤＣＰコンテキストの１又は複数のパラメータを、ターゲット・ドナーｅＮＢへ送信することができるＰＤＣＰパラメータ提供コンポーネント（PDCP parameter providing component）３１２を含むことができる。
【００７８】
ターゲット・ドナーｅＮＢ３０２は、無線ネットワーク・アクセスを１又は複数のリレーｅＮＢ及び／又はＵＥへ提供するために、コアネットワーク及び／又はターゲット・ドナーｅＮＢと（例えば、直接又はコアネットワークを介して）通信するバックホール・リンク・コンポーネント（backhaul link component）３０４、リレーｅＮＢのためのハンドオーバー手続き中に、該リレーｅＮＢによりサービスされる１又は複数のＵＥと通信するために確立するための１又は複数のコアネットワーク・ベアラに関する１又は複数のパラメータを取得するベアラ情報受信コンポーネント（bearer information receiving component）６０２、及び、コアネットワークとのベアラ確立を要求するベアラ確立コンポーネント（bearer establishing component）４０８を含むことができる。ターゲット・ドナーｅＮＢ３０２はまた、ハンドオーバー手続きの一部として、リレーｅＮＢ１０４のためのリレーＵＥ識別子の少なくともリレー部分を生成するリレー識別子割り当てコンポーネント（relay identifier assigning component）６０４、及び、該リレーｅＮＢによりサービスされる１又は複数のＵＥと通信するためのＰＤＣＰコンテキストから、１又は複数のパラメータを取得するＰＤＣＰパラメータ受信コンポーネント５０２を含むことができる。説明されるように、ターゲット・ドナーｅＮＢ３０２は、リレーｅＮＢによりサービスされる１又は複数のＵＥのＰＤＣＰコンテキストに関連する１又は複数のパラメータを記憶するＰＤＣＰコンテキスト維持コンポーネント（PDCP context maintaining component）３０６、及び、（ＵＥへ提供するために）１又は複数のリレーｅＮＢへコアネットワーク１０６からのパケットを送信するパケット・ルーティング・コンポーネント３１０をさらに含む。
【００７９】
一つの例によると、説明されるように、リレーｅＮＢ１０４は、コアネットワーク１０６へのアクセスを受信するために、ドナーｅＮＢ１０２と通信することができる。リレーｅＮＢ１０４は、ターゲット・ドナーｅＮＢ３０２へのハンドオーバー手続きを開始することができる。たとえば、リレーｅＮＢ１０４は、ドナーｅＮＢ１０２の１又は複数のパラメータをターゲット・ドナーｅＮＢ３０２の同様のパラメータ（例えば、ＳＮＲ）と比較することに少なくとも部分的に基づいて、ハンドオーバー手続きを開始することを判定することができる。他の例において、ドナーｅＮＢ１０２は、リレーｅＮＢ１０４からそのようなパラメータを（例えば、メジャーメント・レポートにおいて）取得することができ、そして、リレーｅＮＢ１０４のためのハンドオーバー手続きを開始することを判定することができる。いずれにせよ、ハンドオーバー手続きの一部として、ベアラ情報提供コンポーネント３１４は、コアネットワークにおいて確立するためのベアラに関する１又は複数のパラメータを生成して送信することができる。１又は複数のパラメータは、たとえば、１又は複数のＵＥと通信するためのリレーｅＮＢ１０４により確立される無線ベアラに対応するコアネットワーク１０６におけるベアラに関係することができる。
【００８０】
ベアラ情報受信コンポーネント６０２は、１又は複数のパラメータを取得することができ、ベアラ確立コンポーネント４０８は、リクエスト中の１又は複数のベアラのためにコアネットワーク１０６においてセットアップされるベアラを要求することができる。そのうえ、ベアラ確立コンポーネント４０８は、（例えば、１又は複数のＵＥへ提供するために）確立されたベアラからリレーｅＮＢ１０４の無線ベアラへ通信をルーティングすることを容易にするために、リレーｅＮＢ１０４により確立される対応する無線ベアラの識別子を、コアネットワーク１０６において確立されるベアラにマッピングすることができる。そのうえ、リレー識別子割り当てコンポーネント６０４は、リレーＵＥ識別子のリレー部分を生成して、リレーｅＮＢ１０４へ提供することができる。リレーｅＮＢ１０４は、たとえば、先に述べたように、通信をそれに（therewith）関連付けることを容易にするために、それがサービスする１又は複数のＵＥのためのリレーＵＥ識別子を生成するために、リレー部分を利用することができる。
【００８１】
さらに、ＰＤＣＰパラメータ提供コンポーネント３１２は、リレーｅＮＢ１０４によりサービスされる１又は複数のＵＥに関係するＰＤＣＰコンテキストの１又は複数のパラメータを、ターゲット・ドナーｅＮＢ３０２へ送信することができる（例えば、ＰＤＣＰコンテキストに関係するバッファ・コンテンツ）。ＰＤＣＰパラメータ受信コンポーネント５０２は、ＰＤＣＰコンテキストの１又は複数のパラメータを取得することができ、また、該１又は複数のパラメータをＰＤＣＰコンテキスト維持コンポーネント３０６へ提供することができる。パケット・ルーティング・コンポーネント３１０は、リレーｅＮＢ１０４と通信するために１又は複数のパラメータを利用することができる。たとえば、パケット・ルーティング・コンポーネント３１０は、１又は複数のＵＥに関係するバッファの１又は複数のパケットを、リレーｅＮＢ１０４へ送信することができる。さらに、たとえば、ＰＤＣＰコンテキストのパラメータは、ドナーｅＮＢ１０２によりリレーｅＮＢ１０４のために確立されるフロー制御パラメータを含むことができる。この例においては、パケット・ルーティング・コンポーネント３１０は、所定のＰＤＣＰコンテキストのフロー制御パラメータに更に少なくとも部分的に基づいて、パケットをリレーｅＮＢ１０４へ送信することができる。それゆえ、一つの例において、ＰＤＣＰパラメータ提供コンポーネント３１２は、リレーｅＮＢ１０４をハンドオーバーして、リレーｅＮＢ１０４によりサービスされるＵＥとの通信を継続するのを容易にするために、リレーｅＮＢ１０４と通信している実質的にすべてのＵＥのためのＰＤＣＰコンテキストを、ターゲット・ドナーｅＮＢ３０２へ送信することができる。
【００８２】
図７に移って、リレーｅＮＢからそのドナーｅＮＢへのＵＥのためのイントラクラスター・ハンドオーバーを容易にする例示的な無線通信システム７００が説明される。システム７００は、コアネットワーク（図示せず）とのアクセスを、リレーｅＮＢ１０４（及び／又は他のリレーｅＮＢ）へ提供するドナーｅＮＢ１０２を含む。その上、説明されるように、リレーｅＮＢ１０４は、ドナーｅＮＢ１０２へのアクセスを、ＵＥ１１０へ提供することができる。さらに、たとえば、ドナーｅＮＢ１０２とＵＥ１１０との間に、複数のリレーｅＮＢ１０４が存在することができる。さらに、説明されるように、ドナーｅＮＢ １０２は、マクロセル・アクセスポイント、フェムトセル・アクセスポイント、ピコセル・アクセスポイント、モバイル基地局、及び／又はその種の他のものであることができる。説明されるように、リレーｅＮＢ１０４は、同様に、無線又は有線のバックホールの上でドナーｅＮＢ１０２と通信するモバイル又は固定のリレー・ノードであることができる。
【００８３】
図示の例において、ＵＥ１１０は、１又は複数の周囲のｅＮＢ（surrounding eNBs）に関係する１又は複数の通信メトリック（communications metrics)（例えば、ＳＮＲ及び／又はその種の他のもの）を含むことができるメジャーメント・レポート（measurement reports）７０２を、リレーｅＮＢ１０４へ送信することができる。リレーｅＮＢ１０４は、メジャーメント・レポートに少なくとも部分的に基づいて、ハンドオーバー手続きを開始するというハンドオーバー決定７０４をすることができる（例えば、ここで、ドナーｅＮＢ１０２は、より望ましいＳＮＲ又は他の通信メトリック、所望のサービス、及び／又はその種の他のものを有する）。この例において、リレーｅＮＢ１０４は、ＵＥ１１０をドナーｅＮＢ１０２へハンドオーバーすると判定し、そして、ハンドオーバー・リクエスト−Ｒ（handover request - R）７０６を、ドナーｅＮＢ１０２へ（例えば、１又は複数の他のリレーｅＮＢを介して、又は、他の方法により）送信する。ハンドオーバー・リクエスト−Ｒ ７０６は、リレー・アプリケーション・プロトコル（ＲＡＰＰ）通信のために定義されることができる。そして、それは、アプリケーション・レイヤ・ペイロードをインターラプト又は処理することなく、リレー・ノード間で通信するために定義されるプロトコルであることができる。それゆえ、たとえば、ハンドオーバー・リクエスト−Ｒ ７０６は、セットアップされるべきリレー無線ベアラＩＤ、ＲＲＣコンテキスト情報、制御プレーン・セキュリティー情報などに関する情報を追加的に含んでいる、Ｘ２インタフェースにおけるハンドオーバー・リクエスト・メッセージと同様であることができる。この点に関して、ハンドオーバー・リクエスト−Ｒ ７０６は、以下と同様のフォーマットを有することができる。
【表１】
0005431571.tif 000002
【００８４】
それゆえ、たとえば、前に説明されたように、リレー無線ベアラＩＤは、ＵＥ１１０と確立されるリレー無線ベアラに関係することができる。さらに、制御プレーン・セキュリティー情報は、制御プレーンにおいてＵＥ１１０の通信を復号化(decrypting）するための１又は複数のパラメータに関係することができる。トランザクションＩＤは、後続する（subsequent）通信のための参照（reference）として、リレーｅＮＢ１０４により割り当てられることができる。
【００８５】
ドナーｅＮＢ１０２は、アドミッション制御（admission control）７０８を実行することができる。そして、それは、ドナーｅＮＢ１０２と通信するためのベアラ又は他のストリームの間でのバンド幅の割り当てを判定することを含むことができる。ドナーｅＮＢ１０２は、ハンドオーバー・リクエスト・アクノリッジメント（ＡＣＫ）（handover request acknowledgment (ACK)）−Ｒ ７１０を、リレーｅＮＢ１０４へ送信することができる。そして、それは、ここでも（again）、ＲＡＰＰ通信のために定義されるメッセージであることができる。たとえば、ハンドオーバー・リクエストＡＣＫ（handover request ACK）−Ｒ ７１０は、以下と同様のフォーマットを有することができる。
【表２】
0005431571.tif 000003
【００８６】
それゆえ、ハンドオーバー・リクエストＡＣＫ−Ｒ ７１０は、トランザクションＩＤ（例えば、ハンドオーバー・リクエスト−Ｒ ７０６からのトランザクションＩＤ）、リレーＵＥ ＩＤ、及び、ドナーｅＮＢ１０２において確立されるベアラのためのリレー無線ベアラＩＤ（及び／又は、ドナーｅＮＢ１０２において確立されないベアラ）を追加的に含んでいる、Ｘ２におけるハンドオーバー・リクエストＡＣＫと同様であることができる。リレーｅＮＢ１０４は、ハンドオーバーを完了するために、ハンドオーバー・コマンド（handover command）７１２を、ＵＥ１１０へ送信することができる。ＵＥ１１０は、旧ｅＮＢ（リレーｅＮＢ１０４）から分離して、新ｅＮＢ（ドナーｅＮＢ１０２）に同期することができ（７１４）、そして、ＵＥ１１０は、ドナーｅＮＢ １０２への（thereto）ハンドオーバーを完了するために、ハンドオーバー確認（handover confirm）７１６を、ドナーｅＮＢ １０２へ送信することができる。
【００８７】
図８に移って、異なるリレーｅＮＢへのＵＥのためのイントラクラスター・ハンドオーバーを容易にする例示的な無線通信システム８００が説明される。システム８００は、コアネットワーク（図示せず）とのアクセスを、ソース・リレーｅＮＢ１０４（source relay eNB）及びターゲット・リレーｅＮＢ４０２（及び／又は、他のリレーｅＮＢ）へ提供するドナーｅＮＢ１０２を含む。その上、説明されるように、ソース・リレーｅＮＢ１０４は、ドナーｅＮＢ１０２へのアクセスを、ＵＥ１１０へ提供することができる。らに、たとえば、ドナーｅＮＢ１０２とＵＥ１１０との間に、複数のリレーｅＮＢが存在することができる。さらに、説明されるように、ドナーｅＮＢ １０２は、マクロセル・アクセスポイント、フェムトセル・アクセスポイント、ピコセル・アクセスポイント、モバイル基地局、及び／又はその種の他のものであることができる。説明されるように、ソース・リレーｅＮＢ１０４及びターゲット・リレーｅＮＢ４０２は、同様に、無線又は有線のバックホールの上でドナーｅＮＢ１０２と通信するモバイル又は固定のリレー・ノードであることができる。
【００８８】
図示の例において、ＵＥ１１０は、１又は複数の周囲のｅＮＢ（たとえば、ターゲット・リレーｅＮＢ４０２）に関係する１又は複数の通信メトリック（例えば、ＳＮＲ及び／又はその種の他のもの）を含むことができるメジャーメント・レポート７０２を、ソース・リレーｅＮＢ１０４へ送信することができる。ソース・リレーｅＮＢ１０４は、メジャーメント・レポートに少なくとも部分的に基づいて、ハンドオーバー手続きを開始するというハンドオーバー決定７０４をすることができる（例えば、ここで、ターゲット・リレーｅＮＢ４０２は、より望ましいＳＮＲ又は通信メトリック、所望のサービス、及び／又はその種の他のものを有する）。この例において、先に述べたように、ソース・リレーｅＮＢ１０４は、ターゲット・リレーｅＮＢ４０２（それはソース・リレーｅＮＢ１０４と同じクラスターにある）へＵＥ１１０をハンドオーバーすると判定し、そして、ハンドオーバー・リクエスト−Ｒ ７０６を、ドナーｅＮＢ１０２へ（例えば、１又は複数の他のリレーｅＮＢを介して、又は、他の方法により）送信する。
【００８９】
ドナーｅＮＢ１０２は、ハンドオーバー・リクエスト−Ｒ（handover request - R）８０４を、ターゲット・リレーｅＮＢ４０２へ送信することができる…これはハンドオーバー・リクエスト−Ｒ ７０８と同じであることができる。ターゲット・リレーｅＮＢ４０２は、同様に、ハンドオーバー・リクエスト−Ｒ ８０４におけるリレー無線ベアラＩＤに対応する１又は複数のベアラをセットアップすることを試行することができ、また、説明されるように、ベアラがセットアップされたこと（bearers setup)（及び／又は、１又は複数のベアラがセットアップされなかったこと（one or more bearers not setup））を指示するハンドオーバー・リクエストＡＣＫ−Ｒ（handover request ACK - R）８０６を送信することができる。ドナーｅＮＢ１０２は、１又は複数の無線ベアラを初期化するために、説明されるように、ＲＲＣコネクション再構成−Ｒ（RRC connection reconfiguration - R）８０８を送信することができ、また、ターゲット・リレーｅＮＢ４０２は、無線ベアラが首尾良く初期化されたこと（radio bearers successfully initialized）を指示するＲＲＣコネクション再構成完了−Ｒ（RRC connection reconfiguration complete - R）８１０を送信することができる。ドナーｅＮＢ１０２は、その後（subsequently）、ＵＥ１１０のためにターゲット・リレーｅＮＢ４０２においてセットアップ及び初期化された無線ベアラに加えてハンドオーバーのための承認（acknowledgement）を示すために、前に説明されたように、ハンドオーバー・リクエストＡＣＫ−Ｒ（transmit a handover request ACK - R）８１０を、ソース・リレーｅＮＢ１０４へ送信することができる。
【００９０】
ソース・リレーｅＮＢ１０４は、ハンドオーバーを完了するために、ハンドオーバー・コマンド７１２をＵＥ１１０へ送信することができる。ＵＥ１１０は、旧ｅＮＢ（ソース・リレーｅＮＢ１０４）から分離して、新ｅＮＢ（ターゲット・リレーｅＮＢ４０２）７１４と同期することができ、そして、ＵＥ１１０は、ターゲット・リレーｅＮＢ４０２への（thereto）ハンドオーバーを完了するために、ハンドオーバー確認（handover confirm）７１６をターゲット・リレーｅＮＢ４０２へ送信することができる。ターゲット・リレーｅＮＢ４０２は、さらに、ハンドオーバー通知−Ｒ（handover notify - R）８１２を使用して、ハンドオーバーをドナーｅＮＢ１０２へ通知することができる。ハンドオーバー通知−Ｒ ８１２は、ＲＡＰＰ通信のために定義されることができ、また、ＵＥ１１０及びターゲット・リレーｅＮＢ４０２に関係する（及び／又は、ソース・リレーｅＮＢ１０４に関連する）リレーＵＥ ＩＤを追加的に含んでいる、Ｘ２におけるハンドオーバー通知と同様であることができる。ハンドオーバー通知−Ｒ ８１２は、以下と同様のフォーマットを有することができる。
【表３】
0005431571.tif 000004
【００９１】
ドナーｅＮＢ１０２は、たとえば、ハンドオーバー通知−Ｒ ８１２において指定されているリレーＵＥ ＩＤを含むように、ＵＥ１１０へパケットをルーティングするためのリレーＵＥ ＩＤを利用するルーティング・テーブル及び／又は他の構造をアップデートすることができる。
【００９２】
さて、図９−１０を参照して、異なるクラスターにおける異なるリレーｅＮＢ又はドナーｅＮＢへのＵＥのためのインタークラスター・ハンドオーバーを容易にする例示的な無線通信システム９００及び１０００が説明される。システム９００及び１０００は、コアネットワーク（図示せず）へのアクセスを、ソース・リレーｅＮＢ１０４（及び／又は、他のリレーｅＮＢ）へ提供するソース・ドナーｅＮＢ１０２を含む。その上、説明されるように、ソース・リレーｅＮＢ１０４は、ドナーｅＮＢ１０２へのアクセスを、ＵＥ１１０へ提供することができる。さらに、たとえば、ドナーｅＮＢ１０２とＵＥ１１０との間に、複数のリレーｅＮＢが存在することができる。同様に、ターゲット・リレーｅＮＢ４０２は、コアネットワークへのアクセスを受信し、提供するために、ターゲット・ドナーｅＮＢ３０２と通信することができる。さらに、説明されるように、ソース・ドナーｅＮＢ１０２及び／又はターゲット・ドナーｅＮＢ３０２は、マクロセル・アクセスポイント、フェムトセル・アクセスポイント、ピコセル・アクセスポイント、モバイル基地局、及び／又はその種の他のものであることができる。説明されるように、ソース・リレーｅＮＢ１０４及びターゲット・リレーｅＮＢ４０２は、同様に、無線又は有線のバックホールの上でドナーｅＮＢ１０２と通信するモバイル又は固定のリレー・ノードであることができる。一つの例において、図１０は、図９の中でのハンドオーバー手続きの一部又はその続きとして示されるノード間で起こっている通信を説明する。
【００９３】
図９において、ＵＥ １１０は、１又は複数の周囲のｅＮＢ（例えば、ターゲット・リレーｅＮＢ ４０２）に関係する１又は複数の通信メトリック（例えば、ＳＮＲ及び／又はその種の他のもの）を含むことができるメジャーメント・レポート７０２を、ソース・リレーｅＮＢ １０４へ送信することができる。ソース・リレーｅＮＢ１０４は、メジャーメント・レポートに少なくとも部分的に基づいて、ハンドオーバー手続きを開始するというハンドオーバー決定７０４をすることができる（例えば、ここで、ターゲット・リレーｅＮＢ４０２は、より望ましいＳＮＲ又は通信メトリック、所望のサービス、及び／又はその種の他のものを有する）。この例において、先に述べたように、ソース・リレーｅＮＢ１０４は、ターゲット・リレーｅＮＢ４０２（それはターゲット・リレーｅＮＢ３０２によりサービスされる）へＵＥ１１０をハンドオーバーすると判定し、そして、ハンドオーバー・リクエスト−Ｒ ７０６を、ソース・ドナーｅＮＢ１０２へ（例えば、１又は複数の他のリレーｅＮＢを介して、又は、他の方法により）送信する。たとえば、ハンドオーバー・リクエスト−Ｒ ７０６は、セキュリティー・パラメータを除いて、Ｘ２におけるハンドオーバー・リクエストと同様であることができる。
【００９４】
前に説明されたように、ソース・ドナーｅＮＢ１０２は、ターゲット・ドナーｅＮＢ３０２へハンドオーバー・リクエスト９０４を送信することができる（それはＸ２メッセージに関係することができる）。この点に関して、説明されるように、ソース・ドナーｅＮＢ１０２は、ハンドオーバー・リクエスト−Ｒ ７０６をハンドオーバー・リクエスト（handover request）９０４に変換する。そして、それは、リレーＵＥ ＩＤフィールドを、ｅＮＢ ＵＥ Ｓ１ＡＰ ＩＤ又は同様の値で置き換えることを含むことができる。さらに、ソース・ドナーｅＮＢ１０２は、ハンドオーバー・リクエスト９０４に、ＵＥ１１０からの安全な通信（secured communications）を解釈（interpreting）するためのセキュリティー・キー（security key）（例えば、ＫｅＮＢ）を含むことができる。そのうえ、説明されるように、１又は複数のリレー無線ベアラＩＤは、ハンドオーバー・リクエスト９０４を作成するために、ハンドオーバー・リクエスト−Ｒ ７０６から取り除かれ、そして、トランスポート・レイヤ・アドレス、ＧＴＰ ＴＥＩＤ及び／又はその種の他のものと置き換えられることができる。
【００９５】
他の例において、ソース・ドナーｅＮＢ１０２とターゲット・ドナーｅＮＢ３０２との間で通信するために、Ｓ１プロトコルを利用することができる（例えば、Ｘ２が利用できない場合に）。その場合には、ドナーｅＮＢ１０２は、ターゲット・ドナーｅＮＢ３０２へ提供するために、コアネットワーク（図示せず）の１又は複数のコンポーネントへ、ハンドオーバー・リクエスト９０４を送信することができる。この例において、ハンドオーバー・リクエスト９０４は、Ｓ１で使用するために定義されることができ、また、Ｘ２におけるハンドオーバー・リクエスト９０４として、同様のパラメータを含むことができる。さらにまた、ターゲット・ドナーｅＮＢ３０２のための１又は複数のコアネットワーク・コンポーネント（例えば、ＭＭＥ、ＳＧＷ、ＰＧＷ、その他）は、ＵＥ１１０のためのハンドオーバー・リクエスト９０４において定義されるように、ＳＡＥベアラをさらに確立することができる。いずれにせよ、ターゲット・ドナーｅＮＢ３０２は、（例えば、１又は複数の中間リレーｅＮＢを介して、又は、他の方法により）ターゲット・リレーｅＮＢ４０２へ送信するためのハンドオーバー・リクエスト−Ｒ ８０４を生成することができる。そして、それは、ここでも（again)、ハンドオーバー・リクエスト−Ｒ ８０４のＲＡＰＰ定義に関係する追加の又は除外されたフィールドをもつハンドオーバー・リクエスト９０４と同様であることができる。さらに、ターゲット・ドナーｅＮＢ３０２は、セキュリティー・キー（例えば、ＲＲＣキー）を計算することができ、そして、ハンドオーバー・リクエスト−Ｒ ８０４に、該キーを含むことができる（例えば、先に述べたように、制御プレーン・セキュリティー情報の一部として）。
【００９６】
ターゲット・リレーｅＮＢ４０２は、ハンドオーバー・リクエスト−Ｒ ８０４におけるリレー無線ベアラＩＤに対応する１又は複数の無線ベアラをセットアップすることを試行することができ、そして、説明されるように、無線ベアラがセットアップされたこと（及び／又は、１又は複数の無線ベアラがセットアップされなかったこと）を指示するハンドオーバー・リクエストＡＣＫ−Ｒ ８０６を、ターゲット・ドナーｅＮＢ３０２へ送信することができる。ハンドオーバー・リクエストＡＣＫ−Ｒ ８０６は、ハンドオーバー・リクエスト−Ｒ ８０４において指示されたトランザクションＩＤ及びＵＥ１１０のための割り当てられたリレーＵＥ ＩＤを追加的に含むことができる。ターゲット・ドナーｅＮＢ３０２は、１又は複数の無線ベアラを初期化するために、説明されるように、ＲＲＣコネクション再構成−Ｒ ８０８を送信することができ、また、説明されるように、ターゲット・リレーｅＮＢ４０２は、無線ベアラが首尾良く初期化されたことを示すＲＲＣコネクション再構成完了−Ｒ ８１０を送信することができる。ターゲット・ドナーｅＮＢ３０２は、その後、先に述べたように、Ｘ２又はＳ１インタフェースの上で、ソース・ドナーｅＮＢ１０２に、ハンドオーバー・リクエストＡＣＫ（handover request ACK）を送信することができる。ソース・ドナーｅＮＢ１０２は、前に説明されたように、ＵＥ１１０のためのターゲット・リレーｅＮＢ４０２においてセットアップ及び初期化されたベアラに加えてハンドオーバーのための承認を指示するために、ハンドオーバー・リクエストＡＣＫ−Ｒ ８１０を、ソース・リレーｅＮＢ１０４へ送信することができる。
【００９７】
ソース・リレーｅＮＢ１０４は、ハンドオーバーを完了するために、ＵＥ１１０へハンドオーバー・コマンド７１２を送信することができる。ＵＥ１１０は、旧ｅＮＢ（ソース・リレーｅＮＢ１０４）から分離して、新ｅＮＢ（ターゲット・リレーｅＮＢ４０２）と同期することができる（７１４）。ソース・ドナーｅＮＢ１０２は、バッファリングされた転送中の（in-transit）パケットを、ターゲット・リレーｅＮＢ４０２に配送することができる（９０８）。この点に関して、ターゲット・リレーｅＮＢ４０２は、ＵＥ１１０との通信を有効に（effectively）継続するために、該バッファリングされた転送中のパケットを、受信することができる。
【００９８】
図１０において、一旦、ＵＥ１１０がターゲット・リレーｅＮＢ４０２へハンドオーバーされたならば、ソース・リレーｅＮＢ１０４は、ソース・ドナーｅＮＢ１０２へのデータ・フォワーディング１００２を実行することができる。そして、それは、ソース・リレーｅＮＢ１０４のＵＬ受信バッファ中のＵＬパケットを提供することを含む。さらに、ソース・リレーｅＮＢ１０４は、そのハンドオーバーを容易にするために、例えばソース・リレーｅＮＢ１０４における所定のベアラのためのＳＮステータスのようなシーケンス番号（ＳＮ）インジケーション−Ｒ（sequence number (SN) indication - R）１００４（それはサービスされるＵＥに関する情報を通信するためのＲＡＰＰにおいて定義されることができる）を、ソース・ドナーｅＮＢ１０２へ送信することができる。たとえば、ＳＮインジケーション−Ｒ １００４は、リレーＵＥ ＩＤ及び１又は複数のリレー無線ベアラＩＤを追加的に含んでいる、ハンドオーバーのためのコンテキストを転送するために定義されるＸ２におけるＳＮインジケーションと同様であることができる。たとえば、ＳＮインジケーション−Ｒ １００４は、以下と同様のフォーマットを有することができる。
【表４】
0005431571.tif 000005
【００９９】
ＤＬカウント値（DL COUNT value）は、たとえば、ターゲット・リレーｅＮＢ４０２が、ＳＮを有しない次のＤＬ（ＳＤＵ）に割り当てるべきシーケンス番号に関係することができる（例えば、対応するＳＡＥベアラに関係する、最後に首尾良く送信されたＤＬ ＰＤＣＰ ＳＮ）。ソース・ドナーｅＮＢ１０２は、ＳＮインジケーション−Ｒ １００４を受信すると、ハンドオーバーされている１又は複数のＵＥと通信することに関する情報を提供するために、ＳＮステータス転送（SN status transfer）を生成して、ターゲット・ドナーｅＮＢ３０２へ送信することができる。
【０１００】
説明されるように、ソース・ドナーｅＮＢ１０２は、Ｘ２の上で又はＳ１を利用しているコアネットワークを介して、ＳＮステータス転送１００６を、直接、ターゲット・ドナーｅＮＢ３０２へ提供することができることは、認識されるべきである。さらに、ソース・ドナーｅＮＢ１０２は、ソース・リレーｅＮＢ１０４の受信バッファ中のＵＬパケットを提供するために、ターゲット・ドナーｅＮＢ３０２へのデータ・フォワーディング（data forwarding）１００８を実行することができる。ＵＥ１１０は、ターゲット・リレーｅＮＢ４０２への（thereto）ハンドオーバーを完了するために、ターゲット・リレーｅＮＢ４０２へ、ハンドオーバー確認７１６を送信することができる。説明されるように、ターゲット・リレーｅＮＢ４０２は、さらに、ハンドオーバー通知−Ｒ ８１２を使用して、ターゲット・ドナーｅＮＢ３０２へ、ハンドオーバーを通知することができる。ターゲット・ドナーｅＮＢ３０２は、たとえば、ハンドオーバー通知−Ｒ ８１２において指定されているリレーＵＥ ＩＤを含むように、ＵＥ１１０にパケットをルーティングするためのリレーＵＥ ＩＤを利用するルーティング・テーブル及び／又は他の構造をアップデートすることができる。さらに、説明されるように、ターゲット・ドナーｅＮＢ３０２は、ＵＥ１１０へ提供するために、データ・フォワーディング１００８において受信されるＵＬデータを、ターゲット・リレーｅＮＢ４０２へフォワードすることを始めることができる。同様に、説明されるように、ＵＥ１１０は、ターゲット・ドナーｅＮＢ３０２へのフォワーディングのために、ターゲット・リレーｅＮＢ４０２へＵＬデータを送信することを始めることができる。さらに、たとえば、ターゲット・リレーｅＮＢ４０２は、ＵＥ１１０と通信するためのハンドオーバー・リクエスト９０４（図９に示される）において受信されるセキュリティー・キーを利用することができる。
【０１０１】
さて、図１１に移って、スプリットセル・リレー機能性（split-cell relay functionality）を提供する例示的な無線通信ネットワーク１１００が表される。ネットワーク１１００は、説明されるように、無線ネットワークへのアクセスを受信するためのリレーｅＮＢ１０４と通信するＵＥ１１０を含む。リレーｅＮＢ１０４は、無線ネットワークへのアクセスを提供するためにドナーｅＮＢ１０２と通信することができ、また、説明されるように、ドナーｅＮＢ１０２は、リレーｅＮＢ１０４に関係するＭＭＥ１１０２及び／又はＳＧＷ１１０４と通信することができる。ＳＧＷ１１０４は、ＰＧＷ１１０６に接続（connect）すること又はＰＧＷ１１０６と接続されること（coupled with）ができる。ＰＧＷ１１０６は、ＳＧＷ１１０４及び／又は更なるＳＧＷへネットワーク・アクセスを提供する。ＰＧＷ１１０６は、ネットワークを使用するためにＵＥ１１０を認証（authenticate）／許可（authorize）するために、ＰＣＲＦ１１０８と通信することができる。ＰＣＲＦ１１０８は、ＵＥ１１０及び／又はリレーｅＮＢ１０４にアドレス指定（addressing to）を提供するために、ＩＭＳ１１１０を利用することができる。
【０１０２】
一つの例によると、ＭＭＥ１１０２及び／又はＳＧＷ１１０４及びＰＧＷ１１０６は、クラスターにおいて実質的にすべてのリレーｅＮＢにサービスしているドナーｅＮＢ１０２に関係することができる。ドナーｅＮＢ１０２はまた、ＵＥ１１０に関係するＳＧＷ１１１６及びＰＧＷ１１１８と通信することができ、それで、ＰＧＷ１１１８は、リレーｅＮＢ１０４、ドナーｅＮＢ１０２及びＳＧＷ１１１６を介して、ＵＥ１１０への（thereto）通信をトンネリングすることを容易にするために、ＵＥ１１０にネットワーク・アドレスを割り当てることができる。さらに、たとえば、ＳＧＷ１１１６は、ＵＥ１１０への／からの制御プレーン通信を容易にするために、ＭＭＥ１１１４と通信することができる。一つの例において、ＭＭＥ１１０２及びＭＭＥ１１１４は、同一のＭＭＥであることができることは、認識されるべきである。ＰＧＷ１１１８は、同様に、ＵＥ１１０を認証（authenticate）／許可（authorize）するために、ＰＣＲＦ１１０８（それはＩＭＳ１１１０と通信することができる）と通信することができる。さらに、ＰＧＷ１１１８は、ＩＭＳ１１１０及び／又はインターネット１１１２と、直接、通信することができる。
【０１０３】
一つの例において、説明されるように、ＵＥ１１０は、１又は複数の無線プロトコル・インタフェース（例えば、Ｅ−ＵＴＲＡ−Ｕｕインタフェース）の上でリレーｅＮＢ１０４と通信することができ、また、リレーｅＮＢ１０４は、１又は複数の無線プロトコル・インタフェース（例えば、Ｅ−ＵＴＲＡ−Ｕｎ又は他のインタフェース）を使用してドナーｅＮＢ１０２と通信することができる。説明されるように、リレーｅＮＢ１０４は、ＵＥ１１０からのパケットのＰＤＣＰレイヤに手を付けずに（intact）、ＰＤＣＰヘッダから１又は複数のパラメータを検索することができる。この点に関して、暗号化（encryption）／復号化（decryption）、セキュリティー及び／又は他の手続きは、ＵＥ１１０及びドナーｅＮＢ１０２により実行されることができ、それで、リレーｅＮＢ１０４は、そのようなタスクを実行する必要はない。
【０１０４】
さらに、説明されるように、リレーｅＮＢ１０４は、ＵＥ１１０から受信された制御データパケットを、潜在的な１又は複数の更なるリレーｅＮＢ（図示せず）を介してドナーｅＮＢ１０２にルーティングするために、ＲＡＰＰレイヤ・パケットに変換（translate）することができる。表されるように、ドナーｅＮＢ１０２は、Ｓ１−ＭＭＥインタフェース及びＳ１−Ｕインタフェース上のＳＧＷ１１０４及びＰＧＷ１１０６を使用してＭＭＥ１１０２と通信する。説明されるように、Ｓ１−ＭＭＥ及びＳ１−Ｕインタフェースの上で使用されるトランスポート及び／又はアプリケーション・レイヤは、ドナーｅＮＢ１０２において終端される。この点に関して、ＭＭＥ１１０２又はＳＧＷ１１０４からリレーｅＮＢ１０４のための通信を受信すると、ドナーｅＮＢ１０２は、新しいトランスポート及び／又はアプリケーション・レイヤ・パケットを定義すること及び新しいトランスポート／アプリケーション・レイヤ・パケットにおいてリレーｅＮＢ１０４に上層通信（upper layer communication）を送信することによって（一つの例において、Ｅ−ＵＴＲＡ−Ｕｎインタフェースの上で）、上層（upper layers）をトランスポート及び／又はアプリケーション・レイヤから分離（decouples）する。
【０１０５】
リレーｅＮＢ１０４からＭＭＥ１１０２へ制御プレーン通信を送信すると、ドナーｅＮＢ１０２は、リレーｅＮＢ１０４の識別子を指示することができ（例えば、Ｓ１−ＡＰメッセージにおいて）、そして、ＭＭＥ１１０２は、ドナーｅＮＢ１０２への応答通信（responding communications）において識別子を送信することができる。前に説明された一つの例において、ドナーｅＮＢ１０２は、制御プレーン通信においてリレーｅＮＢ１０４から受信されるリレーＵＥ識別子に基づいて、識別子を判定することができる（例えば、ＲＡＰＰレイヤ・パラメータとして）。一つの例において、ドナーｅＮＢ１０２は、ＧＴＰ−ＵヘッダのＴＥＩＤなどに、判定された識別子を挿入することができる。先に述べたように、ＳＧＷ１１０４は、応答ＧＴＰ−Ｕヘッダ（responding GTP-U header）においてＴＥＩＤを送信することができ、それで、ドナーｅＮＢ１０２は、リレーｅＮＢ１０４、又は１又は複数のダウンストリームのリレーｅＮＢが、変換（translated）されたパケットを受信するべきであることを、判定することができる。たとえば、これは、リレーＵＥ識別子に関連するドナーｅＮＢ１０２におけるルーティング・テーブル中の少なくとも一部のＴＥＩＤを見つけること（locating）に少なくとも部分的に基づくことができる。
【０１０６】
それゆえ、ＳＧＷ１１０４（又は、ＳＧＷ１１１６）からパケットを受信すると、ドナーｅＮＢ１０２は、（例えば、ルーティング・テーブルから）パケットに関係するリレーＵＥ識別子を判定し、該リレーＵＥ識別子を含むＲＡＰＰレイヤによる異なるパケットを作成し、そして、該異なるパケットを適切な（appropriate）リレーｅＮＢへ送信することができる。適切なリレーｅＮＢは、この例では、リレーｅＮＢ１０４であることができる。説明されるように、リレーｅＮＢ１０４は、それに応じて（accordingly）、リレーＵＥ識別子に基づいて、ＲＡＰＰレイヤを、ＵＥ１１０へ送信するための異なるパケットのアプリケーション・レイヤに変換（translate）することができる。たとえば、これらの前述の機能性は、様々なｅＮＢ間のバックホール・リンクの上でのユーザデータグラムプロトコル（ＵＤＰ）／インターネットプロトコル（ＩＰ）ルーティングの必要性を軽減することができる。さらに、説明されるように、一つの例において、ヘッダは、ドナーｅＮＢ１０２とＵＥ１１０との間で圧縮（compressed）されることができる。図示の通り、Ｓ１１インタフェースを使用して、ＭＭＥ１１０２はＳＧＷ１１０４と通信することができ、ＭＭＥ１１１４はＳＧＷ１１１６と通信することができる。ＰＧＷ１１０６及び１１１８は、Ｇｘインタフェースの上でＰＣＲＦ１１０８と通信することができる。さらにまた、ＰＣＲＦ１１０８は、Ｒｘインタフェースを使用してＩＭＳ１１１０と通信することができ、ＰＧＷ１１１８は、ＳＧｉインタフェースを使用してＩＭＳ１１１０及び／又はインターネット１１１２と通信することができる。
【０１０７】
図１２〜１７を参照して、スプリットセル・リレーを使用するモビリティーを容易にすることに関する手順が説明される。説明を簡単にする目的で、１又は複数の態様に従って、手順が一連の動作として図示され説明されるが、手順は、動作の順序により制限されるものではなく、いくつかの動作が、本明細書で図示され説明される順序とは異なる順序で及び／又は他の動作と同時に、発生しても良いことは、理解（understood）及び認識（appreciated）されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、１又は複数の態様に従う手順を実装するために、必ずしも説明されたすべての動作が要求されなくても良い。
【０１０８】
図１２に移って、ハンドオーバー手続き中にＵＥと通信することに関する情報をドナーｅＮＢへ提供するのを容易にする例示的な手順１２００が説明される。１２０２において、シーケンス番号が、ドナーｅＮＢからＵＥへルーティングされる１又は複数のパケットのヘッダから取得されることができる。説明されるように、たとえば、シーケンス番号は、ＰＤＣＰヘッダから取得されることができる。さらに、シーケンス番号は、ＵＥに関連するＰＤＣＰコンテキストとともに記憶（stored with）されることができる。１２０４において、上記ドナーｅＮＢとのハンドオーバー手続きが要求されることができる。たとえば、ハンドオーバー手続きは、ＵＥをターゲット・リレーｅＮＢ（それは該ドナーｅＮＢ又は異なるドナーｅＮＢによりサービスされることができる）へハンドオーバーすること、異なるドナーｅＮＢへハンドオーバーすること、及び／又はその種の他のものに関係することができる。１２０６において、ハンドオーバー手続きの一部として、上記シーケンス番号のうちの少なくとも一つがドナーｅＮＢへ送信されることができる。それゆえ、たとえば、説明されるように、ドナーｅＮＢは、次のシーケンス番号に対応するパケットから始まる、リレーｅＮＢを介したＵＥへの通信を、継続することができる。
【０１０９】
図１３を参照して、ハンドオーバー手続き中に及び／又はハンドオーバー手続きに続いてＵＥへ通信するためのパケットを判定するのを容易にする例示的な手順１３００が示される。１３０２において、ハンドオーバー手続きを開始するためのリクエストが、リレーｅＮＢから受信されることができる。説明されるように、ハンドオーバー手続きは、リレーｅＮＢから異なるｅＮＢへＵＥをハンドオーバーすること、リレーｅＮＢを異なるドナーｅＮＢへハンドオーバーすること、及び／又はその種の他のものに関係することができる。１３０４において、上記リレーｅＮＢにより少なくとも一つのＵＥへ送信される最後のパケットのシーケンス番号が、受信されることができる。これは、説明されるように、リレーｅＮＢから、ＰＤＣＰコンテキストの一部、又は、１又は複数のパラメータとして、受信されることができる。１３０６において、上記少なくとも一つのＵＥへ提供するために、上記シーケンス番号に続く異なるシーケンス番号を有するパケットが、判定されることができる。この点に関して、ハンドオーバー手続きにおいてＵＥ又はリレーｅＮＢを受信するターゲットｅＮＢは、上記シーケンス番号に従う次のパケットに基づいて、（例えば、リレーｅＮＢを介して、又は、他の方法により）ＵＥへの通信を継続することができる。
【０１１０】
図１４に移って、ハンドオーバー手続きの一部として、リレーｅＮＢから１又は複数の無線ベアラの確立を要求するのを容易にする例示的な手順１４００が説明される。１４０２において、ハンドオーバー手続きを開始するためのリクエストが、リレーｅＮＢから受信されることができる。説明されるように、ハンドオーバー手続きは、ＵＥを、異なるドナーｅＮＢによりサービスされるターゲット・リレーｅＮＢ（又は、該異なるドナーｅＮＢ自身）へハンドオーバーすることに関係することができる。１４０４において、上記リレーｅＮＢによりにサービスされる少なくとも一つのＵＥと通信するための１又は複数のベアラを確立するためのリクエストが、生成されることができる。１又は複数の無線ベアラは、ＵＥと通信するためにリレーｅＮＢにより確立される無線ベアラ、ＵＥのためのコアネットワーク通信を受信するために確立される１又は複数のコアネットワーク・ベアラ、及び／又はその種の他のものに関係することができる。１４０６において、上記リクエストは、異なるｅＮＢへ送信されることができる。たとえば、１又は複数の無線ベアラを確立するためのリクエストは、リレーｅＮＢへ提供するために、リレーｅＮＢ又は異なるドナーｅＮＢへ送信されることができる。説明されるように、コアネットワーク・ベアラを確立するためのリクエストは、ドナーｅＮＢへ送信されることができる。いずれにせよ、説明されるように、ＵＥと通信するための適切なベアラが確立されることができる。
【０１１１】
図１５を参照して、ハンドオーバー手続き中にアップリンク・バッファのコンテンツを通信するのを容易にする例示的な手順１５００が示される。１５０２において、ハンドオーバー手続きを開始するためのリクエストが、リレーｅＮＢから受信されることができる。説明されるように、これは、リレーｅＮＢを異なるドナーｅＮＢへハンドオーバーすることに関係することができる。１５０４において、アップリンク・バッファのコンテンツが、上記リレーｅＮＢから取得されることができる。コンテンツは、ＵＥからドナーｅＮＢへ通信するためのパケットに関係することができる。１５０６において、上記アップリンク・バッファのコンテンツが、異なるドナーｅＮＢへ提供されることができる。この点に関して、説明されるように、異なるドナーｅＮＢは、該コンテンツをコアネットワークへ提供することができ、それに応じて、応答又は他の関係のあるパケットを処理することができる。
【０１１２】
図１６に移って、ハンドオーバー手続きに続いてＵＥと通信するためのベアラを確立するのを容易にする例示的な手順１６００が説明される。１６０２において、ＵＥと通信するためにコアネットワークと確立する少なくとも一つのベアラに関する１又は複数のパラメータが、受信されることができる。説明されるように、該１又は複数のパラメータは、ハンドオーバー手続きの一部として、異なるドナーｅＮＢから受信されることができる。たとえば、該ベアラは、（例えば、リレーｅＮＢを介して、又は、他の方法により）ＵＥにパケットを通信するために異なるドナーｅＮＢにより確立された可能性がある（can have been established）。１６０４において、上記少なくとも一つベアラが、上記コアネットワークと確立されることができる。それゆえ、１６０６において、パケットが、上記少なくとも一つのベアラの上で上記コアネットワークから受信されることができる。説明されるように、パケットは、ＵＥに関係することができる。１６０８において、該パケットは、上記ＵＥへ提供するために、上記リレーｅＮＢへ通信されることができる。さらに、前に説明されたように、１又は複数の無線ベアラは、異なるドナーｅＮＢから受信されるパラメータに基づいて、ＵＥと通信するためにリレーｅＮＢにより確立されることができる。パケットは、該１又は複数の無線ベアラの上で提供するために、リレーｅＮＢへ通信されることができる（それは、一つの例において、該パケットにおいて識別されることができる）。
【０１１３】
図１７を参照して、ハンドオーバー手続きにおいてＵＥを受信するのを容易にするために、アップリンク・バッファ・コンテンツをコアネットワークへ通信するための例示的な手順１７００が示される。１７０２において、ＵＥと通信するためにコアネットワークと確立する少なくとも一つのベアラに関する１又は複数のパラメータが、受信されることができる。１７０４において、説明されるように、上記少なくとも一つのベアラが、上記コアネットワークと確立されることができる。１７０６において、アップリンク・バッファのコンテンツが、ハンドオーバー手続きに関係する異なるドナーｅＮＢから受信されることができる。説明されるように、コンテンツは、ＵＥに代わってコアネットワークへ送信する１又は複数のパケットに関係することができる。１７０８において、上記アップリンク・バッファのコンテンツが、上記コアネットワークへ通信されることができる。それゆえ、１７１０において、上記アップリンク・バッファのコンテンツの一部に応答して、１又は複数のパケットが、上記少なくとも一つのベアラの上で受信されることができる。説明されるように、１又は複数パケットは、ＵＥへ提供するためにリレーｅＮＢへ通信されることができる。
【０１１４】
本明細書で説明される１又は複数の態様に従って、ＰＤＣＰコンテキスト又はそのパラメータを送信及び受信すること、フロー制御のために１又は複数のバッファを維持すること及び／又は本明細書で説明される他の態様に関して、推論（inferences）がなされることができることは認識されるであろう。本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【０１１５】
さて、図１８を参照して、本明細書で提示される様々な実施形態に従って無線通信システム１８００が説明される。システム１８００は、複数のアンテナ・グループを含むことができる基地局１８０２を含む。たとえば、一つのアンテナ・グループはアンテナ１８０４と１８０６を含むことができ、他のグループはアンテナ１８０８と１８１０を含むことができ、更なるグループはアンテナ１８１２と１８１４を含むことができる。各々のアンテナ・グループについて二つのアンテナが示されている；しかし、各々のアンテナ・グループについてより多い又より少ないアンテナが利用されることができる。基地局１８０２は、さらに、送信機チェーン及び受信機チェーンを含むことができ、それぞれは順番に信号の送信及び受信に関連する複数のコンポーネント（例えば、プロセッサ、変調器、マルチプレクサ、復調器、デマルチプレクサ、アンテナなど）を含むことができ、そして、そのことは当業者によって認識されるであろう。
【０１１６】
基地局１８０２は、１又は複数のモバイル・デバイス（例えばモバイル・デバイス１８１６及びモバイル・デバイス１８２２）と通信することができる；しかし、基地局１８０２がモバイル・デバイス１８１６及び１８２２と同様の実質的に任意の数のモバイル・デバイスと通信することができることは、認識されるべきである。モバイル・デバイス１８１６及び１８２２は、たとえば、セルラー電話、スマートフォン、ラップトップ、ハンドヘルド通信デバイス、ハンドヘルド・コンピュータ・デバイス、衛星ラジオ、グローバル・ポジショニング・システム、ＰＤＡ、及び／又は、無線通信システム１８００の上で通信するための任意の他の適したデバイスであることができる。表されるように、モバイル・デバイス１８１６は、アンテナ１８１２及び１８１４と通信する。ここで、アンテナ１８１２及び１８１４は、順方向リンク１８１８の上でモバイル・デバイス１８１６に情報を送信し、逆方向リンク１８２０の上でモバイル・デバイス１８１６から情報を受信する。さらに、モバイル・デバイス１８２２は、アンテナ１８０４及び１８０６と通信する。ここで、アンテナ１８０４及び１８０６は、順方向リンク１８２４の上でモバイル・デバイス１８２２に情報を送信し、逆方向リンク１８２６の上でモバイル・デバイス１８２２から情報を受信する。周波数分割双方向（ＦＤＤ）システムにおいて、たとえば、順方向リンク１８１８は、逆方向リンク１８２０により使用される周波数バンドとは異なる周波数バンドを利用することができ、順方向リンク１８２４は、逆方向リンク１８２６により使用される周波数バンドとは異なる周波数バンドを使用することができる。さらに、時分割双方向（ＴＤＤ）において、システム、順方向リンク１８１８及び逆方向リンク１８２０は、共通の周波数バンドを利用することができ、順方向リンク１８２４及び逆方向リンク１８２６は、共通の周波数バンドを利用することができる。
【０１１７】
各々のアンテナ・グループ及び／又はそれらが通信するようにデザインされているエリアは、基地局１８２のセクターと呼ばれることができる。たとえば、アンテナ・グループは、基地局１８０２によりカバーされるエリアのセクターにおけるモバイル・デバイスへ通信するようにデザインされることができる。順方向リンク１８１８及び１８２４上の通信において、基地局１８０２の送信アンテナは、モバイル・デバイス１８１６及び１８２２のために順方向リンク１８１６及び１８２２の信号対雑音比を改善するために、ビームフォーミングを利用することができる。また、基地局１８０２は、関連するカバレージ全体にわたってランダムに散在するモバイル・デバイス１８１６及び１８２２へ送信するためにビームフォーミングを利用するが、近隣のセルにおけるモバイル・デバイスは、単一のアンテナによりすべてのそのモバイル・デバイスへ送信する基地局に比べてより少ない干渉を受けることができる。さらに、モバイル・デバイス１８１６及び１８２２は、ピアツーピア又はアドホック技術（図示せず）を使用して互いに直接通信することができる。
【０１１８】
一つの例によると、システム１８００は、多重入力多重出力（ＭＩＭＯ）通信システムであることができる。さらに、システム１８００は、通信チャネル（例えば、順方向リンク、逆方向リンク、…）を分割するために、例えばＦＤＤ、ＦＤＭ、ＴＤＤ、ＴＤＭ、ＣＤＭなどのような実質的に任意のタイプのデュプレキシング技術（duplexing technique）を利用することができる。さらに、複数の通信チャネルは、それらチャネルの上での複数のデバイスとの同時通信を可能にするために、直交（orthogonalized）されることができる；一つの例において、この点に関してＯＦＤＭが利用されることができる。それゆえ、それらチャネルは、一つのタイムピリオドにわたって複数の周波数の部分に分割されることができる。さらに、複数のフレームは、複数のタイムピリオドからなるコレクション（collection）にわたる複数の周波数の部分として定義されることができる；それゆえ、たとえば、一つのフレームは、いくつかのＯＦＤＭシンボルを含むことができる。基地局１８０２は、それらチャネルの上でモバイル・デバイス１８１６及び１８２２へ通信することができる。それらチャネルは、様々なタイプのデータのために作成されることができる。たとえば、それらチャネルは、様々なタイプの一般的な通信データ、制御データ（例えば、他のチャネルのための品質情報、チャネル上で受信されるデータのための承認応答（acknowledgement）、干渉情報、基準信号、その他）、及び／又はその種の他のものを通信するために作成されることができる。
【０１１９】
図１９は、例示的な無線通信システム１９００を示す。無線通信システム１９００は、簡潔にするために、一つの基地局１９０２と一つのモバイル・デバイス１９０４を表す。しかし、システム１９００が２以上の基地局及び／又は２以上のモバイル・デバイスを含むことができる（ここで、更なる基地局及び／又はモバイル・デバイスは、下で説明される例示的な基地局１９１０及びモバイル・デバイス１９５０と実質的に同様又は異なるものであることができる）ことは認識されるべきである。さらに、基地局１９１０及び／又はモバイル・デバイス１９５０が、それらの間の無線通信を容易にするために、本明細書で説明されるシステム（図１〜１１及び１８）及び／又は方法（図１２〜１７）を使用することができることは認識されるべきである。
【０１２０】
基地局１９１０において、いくつかのデータストリームのためのトラフィック・データが、データソース１９１２から送信（ＴＸ）データプロセッサ１９１４へ提供される。一つの例によれば、各々のデータストリームは、それぞれのアンテナの上で送信されることができる。ＴＸデータプロセッサ１９１４は、データストリームを、そのデータストリームのために選択される特定の符号化スキームに基づいて、フォーマット、符号化及びインターリーブして、符号化されたデータを提供する。
【０１２１】
各々のデータストリームごとの符号化されたデータは、直交周波数分割多重（ＯＦＤＭ）技術を使用して、パイロット・データとともに多重化されることができる。加えて又は代わりに、パイロット・シンボルは、周波数分割多重化（ＦＤＭ）されることも、時分割多重化（ＴＤＭ）されることも、又は、符号分割多重化（ＣＤＭ）されることもできる。パイロット・データは、一般的に、既知の方法で処理される既知のデータ・パターンであり、チャネル・レスポンスを推定するためにモバイル・デバイス１９５０において使用されることができる。各々のデータストリームごとの多重化されたパイロット及び符号化されたデータは、変調シンボルを提供するために、そのデータストリームのために選択される特定の変調スキーム（例えば、２位相偏移変調（ＢＰＳＫ）、４位相偏移変調（ＱＰＳＫ）、Ｍ位相シフトキーイング（Ｍ−ＰＳＫ）、Ｍ直交振幅変調（Ｍ−ＱＡＭ）など）に基づいて、変調（例えば、シンボルマッピング）されることができる。各々のデータストリームごとのデータレート、符号化及び変調は、プロセッサ１９３０により実行又は提供されるインストラクションによって判定されることができる。
【０１２２】
データストリームのための変調シンボルは、ＴＸ ＭＩＭＯプロセッサ１９２０へ提供されることができ、ＴＸ ＭＩＭＯプロセッサ１９２０は、該変調シンボルをさらに処理することができる（例えば、ＯＦＤＭのために）。ＴＸ ＭＩＭＯプロセッサ１９２０は、それから、ＮＴ個の変調シンボル・ストリームをＮＴ個の送信機（ＴＭＴＲ）１９２２ａ〜１９２２ｔへ提供する。様々な態様において、ＴＸ ＭＩＭＯプロセッサ１１１２は、データストリームのシンボルへ及びシンボルがそこから送信されているアンテナへ、ビームフォーミング重みを適用する。
【０１２３】
各々の送信機１９２２は、それぞれのシンボル・ストリームを受信し処理して、１又は複数のアナログ信号を提供し、さらに、該アナログ信号を調整（conditions）（例えば、増幅、フィルタリング及びアップコンバート）して、ＭＩＭＯチャネルの上での伝送に適した変調信号（modulated signal）を提供する。さらに、送信機１９２２ａ〜１９２２ｔからのＮＴ個の変調信号は、それぞれ、ＮＴ個のアンテナ１９２４ａ〜１９２４ｔから送信される。
【０１２４】
モバイル・デバイス１９５０において、送信された変調信号は、ＮＲ個のアンテナ１９５２ａ〜１９５２ｒにより受信され、そして、各々のアンテナ１９５２からの受信信号は、それぞれの受信機（ＲＣＶＲ）１９５４ａ〜１９５４ｒへ提供される。各々の受信機１１２０は、それぞれの信号を、調整（例えば、フィルタリング、増幅及びダウンコンバート）し、該調整された信号をデジタイズして、サンプルを提供し、さらに、該サンプルを処理して、対応する“受信（received）”シンボル・ストリームを提供する。
【０１２５】
ＲＸデータプロセッサ１９６０は、特定の受信機処理技術（receiver processing technique）に基づいて、ＮＲ個の受信機１９５４からのＮＲ個の受信シンボル・ストリームを受信し処理して、ＮＴ個の“検出（detected）”シンボル・ストリームを提供することができる。ＲＸデータプロセッサ１９６０は、各々の検出シンボル・ストリームを、復調し、デインターリーブし、そして、復号して、データストリームのためにトラフィック・データを再生（recover）することができる。ＲＸデータプロセッサ１９６０による処理は、基地局１９１０におけるＴＸ ＭＩＭＯプロセッサ１９２０及びＴＸデータプロセッサ１９１４による実行されるそれと相補的である。
【０１２６】
プロセッサ１９７０は、上で示したように、いずれのプレコーディング・マトリックス（precoding matrix）を利用するべきかについて周期的に判定することができる。さらに、プロセッサ１９７０は、マトリックス・インデックス部（matrix index portion）及びランク値部（rank value portion）を含む逆方向リンク・メッセージを作成（formulate）することができる。
【０１２７】
逆方向リンク・メッセージは、通信リンク及び／又は受信されたデータストリームに関して様々なタイプの情報を含むことができる。逆方向リンク・メッセージは、ＴＸデータプロセッサ１９３８（それはまたデータソース１９３６からのいくつかのデータストリームのためのトラフィック・データを受信する）により処理され、変調器１９８０により変調され、送信機１９５４ａ〜１９５４ｒにより調整され、そして、基地局１９１０へ送信されることができる。
【０１２８】
基地局１９１０において、モバイル・デバイス１９５０により送信された逆方向リンク・メッセージを抽出するために、モバイル・デバイス１９５０からの変調信号が、アンテナ１９２４により受信され、受信機１９２２により調整され、復調器１９４０により復調され、そして、ＲＸデータプロセッサ１９４２により処理される。さらに、プロセッサ１１１０は、該抽出されたメッセージを処理して、ビームフォーミング重みを判定するためにいずれのプレコーディング・マトリックスを使用するか判定することができる。
【０１２９】
プロセッサ１９３０及び１９７０は、それぞれ、基地局１９１０及びモバイル・デバイス１９５０におけるオペレーションを、指示（direct）（例えば、制御、調整（coordinate）、管理など）することができる。それぞれのプロセッサ１９３０及び１９７０は、プログラム・コード及びデータを記憶するメモリ１９３２及び１９７２に関連されることができる。プロセッサ１９３０及び１９７０はまた、それぞれ、アップリンク及びダウンリンクのための周波数及びインパルス応答推定を取得するための計算を実行することができる。
【０１３０】
図２０を参照して、ハンドオーバー手続きにおいてシーケンス番号をドナーｅＮＢへ提供するのを容易にするシステム２０００が説明される。たとえば、システム２０００は、基地局、モバイル・デバイスなどの内部に少なくとも部分的に存在することができる。システム２０００は、プロセッサ、ソフトウェア又はそれらの組み合せ（例えば、ファームウェア）により実装される機能を表す機能ブロックであることができる機能ブロックを含むものとして表されることは認識されるべきである。システム２０００は、合同して動作することができる電気コンポーネントの論理グループ２００２を含む。例えば、論理グループ２００２は、ＵＥへ送信するためにドナーｅＮＢから受信される１又は複数のパケットのヘッダからシーケンス番号を受信するための電気コンポーネント２００４を含むことができる。説明されるように、パラメータを受信することは、１又は複数のパケットのＰＤＣＰヘッダからのパラメータを判定することを含むことができる。さらに、論理グループ２００２は、上記ドナーｅＮＢとのハンドオーバー手続きを要求するための電気コンポーネント２００６を含むことができる。
【０１３１】
説明されるように、ハンドオーバー手続きは、ＵＥを異なるｅＮＢへハンドオーバーすること、異なるドナーｅＮＢへハンドオーバーすること、及び／又はその種の他のものに関係することができる。さらに、論理グループ２００２は、ハンドオーバー手続きの一部として、上記シーケンス番号のうちの少なくとも一つを上記ドナーｅＮＢへ送信するための電気コンポーネント２００８を含むことができる。それゆえ、説明されるように、ドナーｅＮＢは、次のパケットを判定するためにシーケンス番号を使用して、ハンドオーバーに続いてＵＥにパケットを送信することができる（例えば、システム２０００及び／又は１又は複数のリレーｅＮＢを介して）。さらに、論理グループ２００２は、アップリンク・バッファのコンテンツをドナーｅＮＢへ提供するための電気コンポーネント２０１０を含むことができる。それゆえ、ハンドオーバー手続きが、ＵＥを、異なるドナーｅＮＢによりサービスされる異なるリレーｅＮＢへハンドオーバーすることに関係する場合に、説明されるように、アップリンク・バッファ・コンテンツは、コアネットワークへ通信するために異なるドナーｅＮＢへ送信されることができる。さらに、システム２０００は、電気コンポーネント２００４，２００６，２００８及び２０１０に関連する機能を実行するためのインストラクションを保持するメモリ２０１２を含むことができる。メモリ２０１２の外部に存在するものとして示されるが、電気コンポーネント２００４，２００６，２００８及び２０１０のうちの１又は複数がメモリ２０１２の内部に存在することができることは理解されるべきである。
【０１３２】
図２１を参照して、ハンドオーバー手続きにおいてＵＥを受信することに続いてＵＥへパケットを送信するための準備を容易にするシステム２１００が説明される。たとえば、システム２１００は、基地局、モバイル・デバイスなどの内部に少なくとも部分的に存在することができる。システム２１００は、プロセッサ、ソフトウェア又はそれらの組み合せ（例えば、ファームウェア）により実装される機能を表す機能ブロックであることができる機能ブロックを含むものとして表されることは認識されるべきである。システム２１００は、合同して動作することができる電気コンポーネントの論理グループ２１０２を含む。例えば、論理グループ２１０２は、リレーｅＮＢとのハンドオーバー手続きの一部として、該リレーｅＮＢにより少なくとも一つのＵＥへ送信される最後のパケットのシーケンス番号を受信するための電気コンポーネント２１０４を含むことができる。たとえば、説明されるように、シーケンス番号は、単一のＰＤＣＰパラメータ及び／又はその種の他のものとして、ＵＥに関係するＰＤＣＰコンテキストで受信されることができて。さらに、論理グループ２１０２は、該少なくとも一つのＵＥへ通信するための該シーケンス番号に続く異なるシーケンス番号を有する次のパケットを判定するための電気コンポーネント２１０６を含むことができる。
【０１３３】
一つの例において、説明されるように、電気コンポーネント２１０６は、ＰＤＣＰコンテキストで受信されるパケットのバッファから次のパケットを判定することができる。さらに、論理グループ２１０２は、該少なくとも一つのＵＥへ提供するためにターゲット・リレーｅＮＢへ該次のパケットを送信するための電気コンポーネント２１０８を含むことができる。この例では、ハンドオーバー手続きは、ＵＥをターゲット・リレーｅＮＢへハンドオーバーすることに関係することができる。さらに、たとえば、論理グループ２１０２は、該少なくとも一つのＵＥと通信することに関係する１又は複数の無線ベアラ又はコアネットワーク・ベアラを確立するためのリクエストをターゲットｅＮＢへ送信するための電気コンポーネント２１１０を含むことができる。この例では、ハンドオーバー手続きは、ＵＥを、異なるドナーｅＮＢによりサービスされるターゲット・リレーｅＮＢへハンドオーバーすることにさらに関係することができる。
【０１３４】
さらに、論理グループ２１０２は、該次のパケットを含むパケットのバッファを含む該少なくとも一つのＵＥに関係するＰＤＣＰコンテキストを、異なるドナーｅＮＢへ送信するための電気コンポーネント２１１２を含むことができる。この点に関して、先に述べたように、異なるドナーｅＮＢは、バッファ中のパケットをＵＥへ通信することができる（例えば、リレーｅＮＢを介して、又は、他の方法により）。また、論理グループ２１０２は、該リレーｅＮＢからアップリンク・バッファのコンテンツを受信するための電気コンポーネント２１１４、及び、該アップリンク・バッファのコンテンツを該異なるドナーｅＮＢへ提供するための電気コンポーネント２１１６を含むことができる。この例では、ハンドオーバー手続きは、ＵＥを、異なるドナーｅＮＢによりサービスされるリレーｅＮＢへハンドオーバーすることに関係することができる。それゆえ、説明されるように、異なるドナーｅＮＢは、ＵＥのハンドオーバーに続いてバッファ・コンテンツをコアネットワークへ提供することができる。さらに、システム２１００は、電気コンポーネント２１０４，２１０６，２１０８，２１１０，２１１２，２１１４及び２１１６に関連する機能を実行するためのインストラクションを保持するメモリ２１１８を含むことができる。メモリ２１１８の外部に存在するものとして示されるが、電気コンポーネント２１０４，２１０６，２１０８，２１１０，２１１２，２１１４及び２１１６のうちの１又は複数がメモリ２１１８の内部に存在することができることは理解されるべきである。
【０１３５】
図２２を参照して、ＵＥと通信するのを容易にするために、ハンドオーバー手続きの一部として、ベアラを確立するのを容易にするシステム２２００が説明される。たとえば、システム２２００は、基地局、モバイル・デバイスなどの内部に少なくとも部分的に存在することができる。システム２２００は、プロセッサ、ソフトウェア又はそれらの組み合せ（例えば、ファームウェア）により実装される機能を表す機能ブロックであることができる機能ブロックを含むものとして表されることは認識されるべきである。システム２２００は、合同して動作することができる電気コンポーネントの論理グループ２２０２を含む。例えば、論理グループ２２０２は、ハンドオーバー手続きの一部として、ドナーｅＮＢから、ＵＥと通信するためにコアネットワークと確立する少なくとも一つのベアラに関する１又は複数のパラメータを受信するための電気コンポーネント２２０４を含むことができる。さらに、論理グループ２２０２は、該コアネットワークとの該少なくとも一つのベアラを確立するための電気コンポーネント２２０６を含むことができる。
【０１３６】
さらに、論理グループ２２０２は、該少なくとも一つのベアラの上で該コアネットワークからパケットを受信するための電気コンポーネント２２０８を含むことができる。説明されるように、該パケットは、該パケットを受信すべきリレーｅＮＢの識別子、該パケットをその上で送信すべき該リレーｅＮＢの無線ベアラの識別子、及び／又はその種の他のものを含むことができる。それゆえ、たとえば、論理グループ２２０２は、該ＵＥへ提供するためにリレーｅＮＢへ該パケットを通信するための電気コンポーネント２２１０を含むことができる。さらに、論理グループ２２０２は、該ドナーｅＮＢから、該ＵＥと通信することに関係するＰＤＣＰコンテキストを取得するための電気コンポーネント２２１２を含むことができる。説明されるように、たとえば、ＰＤＣＰコンテキストは、ＵＥとの通信を継続するための１又は複数のパラメータ（例えば、シーケンス番号）、及び／又はその種の他のものを含むことができる。また、論理グループ２２０２は、異なるリレーｅＮＢのアップリンク・バッファのコンテンツを受信するための電気コンポーネント２１１４を含むことができる。先に述べたように、バッファ・コンテンツは、コアネットワークへ送信されるべき、ＵＥからのパケットに関係することができる。さらに、システム２２００は、電気コンポーネント２２０４，２２０６，２２０８，２２１０，２２１２及び２２１４に関連する機能を実行するためのインストラクションを保持するメモリ２２１６を含むことができる。メモリ２２１６の外部に存在するものとして示されるが、電気コンポーネント２２０４，２２０６，２２０８，２２１０，２２１２及び２２１４のうちの１又は複数がメモリ２２１６の内部に存在することができることは理解されるべきである。
【０１３７】
本明細書で開示される実施形態に関連して説明される様々な実例となる論理、論理ブロック、モジュール及び回路は、汎用プロセッサ、デジタルシグナルプロセッサ（ＤＳＰ）、特定用途向けＩＣ（ＡＳＩＣ）、フィールド・プログラマブル・ゲート・アレイ（ＦＰＧＡ）又は他のプログラマブル・ロジック・デバイス、ディスクリート・ゲート又はトランジスタ・ロジック、ディスクリート・ハードウェアコンポーネント、又は、本明細書で説明される機能を実行するようにデザインされるそれらの任意の組み合わせで実装又は実行されても良い。汎用プロセッサは、マイクロプロセッサであっても良いが、代わりに、プロセッサは、任意の従来のプロセッサ、コントローラ、マイクロコントローラ又は状態機械であっても良い。プロセッサは、複数のコンピュータデバイスの組合せ（例えば、ＤＳＰとマイクロプロセッサの組み合せ、複数のマイクロプロセッサ、ＤＳＰコアと連携した１又は複数のマイクロプロセッサ、又は、任意の他のそのような構成）として実装されても良い。さらに、少なくとも一つのプロセッサは、上で説明されたステップ及び／又はアクションのうちの１又は複数を実行するように動作可能な１又は複数のモジュールを含んでも良い。
【０１３８】
さらに、本明細書で開示される態様に関連して説明される方法又はアルゴリズムのステップ及び／又はアクションは、直接ハードウェアにおいて、プロセッサにより実行されるソフトウェア・モジュールにおいて、又は、それら二つの組み合せにおいて、具体化されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ又は技術的に知られている任意のその他のタイプの記憶媒体であっても良い。例示的な記憶媒体は、プロセッサが該記憶媒体から情報をリードすることができ、また、該記憶媒体に情報をライトすることができるように、該プロセッサに接続されても良い。代わりに、記憶媒体は、プロセッサに一体化されても良い。さらに、幾つかの態様において、プロセッサ及び記憶媒体がＡＳＩＣ中に存在しても良い。さらに、そのＡＳＩＣがユーザ端末上に存在しても良い。代わりに、プロセッサ及び記憶媒体が、ユーザ端末上に個別のコンポーネントとして存在しても良い。さらに、幾つかの態様において、方法又はアルゴリズムのステップ及び／又はアクションは、機械読み取り可能な媒体及び／又はコンピュータ読み取り可能な媒体上のコード及び／又はインストラクションの一つ又は任意の組み合わせ又はセットとして存在しても良く、また、それは、コンピュータ・プログラム製品に組み込まれても良い。
【０１３９】
１又は複数の態様において、説明される機能は、ハードウェア、ソフトウェア、ファームウェア又はそれらの任意の組み合せにおいて実装されても良い。ソフトウェアで実装される場合には、該機能、手続きなどは、コンピュータ読み取り可能な媒体上の１又は複数のインストラクション又はコードとして格納され又は伝送されても良い。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であっても良い。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、インストラクション又はデータ構造の形で所望のプログラム・コードを運ぶ又は記憶するために使用されることができ且つコンピュータによりアクセスされることができる任意の他の媒体を含むことができる。また、任意のコネクションは、コンピュータ読み取り可能な媒体と呼ばれても良い。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタル・バーサタイル・ディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、通常、レーザーを使って光学的にデータを再生する。上記の組み合わせはまた、コンピュータ読み取り可能な媒体の範囲の中に含まれるべきである。
【０１４０】
前述の開示は実例となる態様及び／又は実施形態を述べるが、添付されたクレームにより定義される説明された態様及び／又は実施形態の範囲を逸脱することなく様々な変更及び修正がここでなされることができる点に留意されるべきである。さらに、説明された態様及び／又は実施形態の要素が単数で説明又はクレームされることがあるが、単数への制限が明確に記載されていない限り、複数が予期される。さらに、特に明記しない限り、任意の態様及び／又は態様の全体又は一部が、任意の他の態様及び／又は実施形態の全体又は一部とともに利用されても良い。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、説明された態様及び／又は態様の要素が単数で説明又はクレームされることがあるが、単数への制限が明確に記載されていない限り、複数が予期される。さらに、特に明記しない限り、任意の態様及び／又は実施形態の全体又は一部が、他の任意の態様及び／又は実施形態の全体又は一部とともに利用されても良い。
以下に、本願出願の当初の特許請求の範囲に記載された発明を付記する。
〔１〕
ドナー発展型Ｎｏｄｅ Ｂ（ｅＮＢ）からユーザ装置（ＵＥ）へルーティングされる１又は複数のパケットのヘッダからシーケンス番号を取得することと、
前記ドナーｅＮＢとのハンドオーバー手続きを要求することと、
前記ハンドオーバー手続きの一部として、前記シーケンス番号のうちの少なくとも一つを前記ドナーｅＮＢへ送信することを含み、
前記シーケンス番号のうちの前記少なくとも一つは、前記ＵＥへ送信される最後のパケットに対応するものである方法。
〔２〕
前記ハンドオーバー手続きを要求することは、前記ＵＥをハンドオーバーするために前記ドナーｅＮＢとのハンドオーバー手続きを要求することを更に含む〔１〕の方法。
〔３〕
前記ハンドオーバー手続きを要求することは、前記ターゲット・リレーｅＮＢとのハンドオーバー手続きを要求することを更に含む〔２〕の方法。
〔４〕
アップリンク・バッファのコンテンツを前記ドナーｅＮＢへ提供することを更に含み、
前記アップリンク・バッファは、前記ＵＥから前記ドナーｅＮＢへパケットを通信することを容易にするものであり、
前記ターゲット・リレーｅＮＢは、異なるドナーｅＮＢからのネットワーク・アクセスを受信する〔３〕の方法。
〔５〕
前記ハンドオーバー手続きを要求することは、前記ターゲット・ドナーｅＮＢへハンドオーバー手続きを要求することを含む〔１〕の方法。
〔６〕
複数のＵＥへネットワーク・アクセスを提供することを更に含み、
前記ハンドオーバー手続きの一部として、前記シーケンス番号のうちの前記少なくとも一つを前記ドナーｅＮＢへ前記送信することは、前記ハンドオーバー手続きの一部として、前記複数のＵＥに関係する複数のシーケンス番号を前記ドナーｅＮＢへ送信することを更に含む〔５〕の方法。
〔７〕
無線通信装置において、
ユーザ装置（ＵＥ）へ送信するためにドナー発展型Ｎｏｄｅ Ｂ（ｅＮＢ）から取得される１又は複数のパケットのヘッダからシーケンス番号を受信し、
前記ドナーｅＮＢとのハンドオーバー手続きを開始し、
前記ハンドオーバー手続き中に、前記シーケンス番号のうちの少なくとも一つを前記ドナーｅＮＢへ通信するように構成される少なくとも一つのプロセッサと、
前記少なくとも一つのプロセッサに接続するメモリとを含み、
前記シーケンス番号のうちの前記少なくとも一つは、前記ＵＥへ送信される最後のパケットに対応するものである無線通信装置。
〔８〕
前記ハンドオーバー手続きは、前記ＵＥをターゲット・リレーｅＮＢへハンドオーバーすることに関係する〔７〕の無線通信装置。
〔９〕
前記少なくとも一つのプロセッサは、アップリンク・バッファからドナーｅＮＢへ１又は複数のパケットを送信するように更に構成され、
前記アップリンク・バッファは、前記ＵＥから前記ドナーｅＮＢへ通信するためのパケットを含み、
前記ターゲット・リレーｅＮＢは、異なるドナーｅＮＢからのネットワーク・アクセスを受信する〔８〕の無線通信装置。
〔１０〕
前記ハンドオーバー手続きは、ターゲット・ドナーｅＮＢへハンドオーバーを要求することに関係する〔７〕の無線通信装置。
〔１１〕
前記少なくとも一つのプロセッサは、複数のＵＥへネットワーク・アクセスを提供すように更に構成され、
前記少なくとも一つのプロセッサは、前記ハンドオーバー手続き中に、前記シーケンス番号のうちの前記少なくとも一つを前記ドナーｅＮＢへ通信し、更に、前記ハンドオーバー手続き中に、前記複数のＵＥに関係する複数のシーケンス番号を通信する〔１０〕の無線通信装置。
〔１２〕
装置において、
ユーザ装置（ＵＥ）へ送信するためにドナー発展型Ｎｏｄｅ Ｂ（ｅＮＢ）から受信される１又は複数のパケットのヘッダからシーケンス番号を受信するための手段と、
前記ドナーｅＮＢとのハンドオーバー手続きを要求するための手段と、
前記ハンドオーバー手続きの一部として、前記シーケンス番号のうちの少なくとも一つを前記ドナーｅＮＢへ送信するための手段とを含む装置。
〔１３〕
前記ハンドオーバー手続きは、前記ＵＥをターゲット・リレーｅＮＢへハンドオーバーすることに関係する〔１２〕の装置。
〔１４〕
アップリンク・バッファのコンテンツを前記ドナーｅＮＢへ提供するための手段を更に含み、
前記アップリンク・バッファは、前記ＵＥから前記ドナーｅＮＢへパケットを通信することを容易にするものであり、
前記ターゲット・リレーｅＮＢは、異なるドナーｅＮＢからのネットワーク・アクセスを受信する〔１３〕の装置。
〔１５〕
前記ハンドオーバー手続きは、異なるドナーｅＮＢへハンドオーバーすることに関係する〔１２〕の装置。
〔１６〕
コンピュータ・プログラム製品において、
少なくとも一つのコンピュータに、ユーザ装置（ＵＥ）へ送信するためにドナー発展型Ｎｏｄｅ Ｂ（ｅＮＢ）から取得される１又は複数のパケットのヘッダからシーケンス番号を受信させるためのコードと、
前記少なくとも一つのコンピュータに、前記ドナーｅＮＢとのハンドオーバー手続きを開始させるためのコードと、
前記少なくとも一つのコンピュータに、前記ハンドオーバー手続き中に、前記シーケンス番号のうちの少なくとも一つを前記ドナーｅＮＢへ通信させるためのコードとを含むコンピュータ読み取り可能な媒体を含み、
前記シーケンス番号のうちの前記少なくとも一つは、前記ＵＥへ送信される最後のパケットに対応するものであるコンピュータ・プログラム製品。
〔１７〕
前記ハンドオーバー手続きは、前記ＵＥをターゲット・リレーｅＮＢへハンドオーバーすることに関係する〔１６〕のコンピュータ・プログラム製品。
〔１８〕
前記コンピュータ読み取り可能な媒体は、前記少なくとも一つのコンピュータに、アップリンク・バッファから前記ドナーｅＮＢへ１又は複数のパケットを送信させるためのコードを更に含み、
前記アップリンク・バッファは、前記ＵＥから前記ドナーｅＮＢへ通信するためのパケットを含む〔１７〕のコンピュータ・プログラム製品。
〔１９〕
前記ハンドオーバー手続きは、ターゲット・ドナーｅＮＢへハンドオーバーを要求することに関係する〔１６〕のコンピュータ・プログラム製品。
〔２０〕
前記コンピュータ読み取り可能な媒体は、前記少なくとも一つのコンピュータに、複数のＵＥへネットワーク・アクセスを提供させるためのコードを更に含み、
前記少なくとも一つのコンピュータに通信させるための前記コードは、前記ハンドオーバー手続き中に、前記シーケンス番号のうちの前記少なくとも一つを前記ドナーｅＮＢへ通信し、更に、前記ハンドオーバー手続き中に、前記複数のＵＥに関係する複数のシーケンス番号を通信する〔１９〕のコンピュータ・プログラム製品。
〔２１〕
装置において、
ユーザ装置（ＵＥ）へ送信するためにドナー発展型Ｎｏｄｅ Ｂ（ｅＮＢ）から受信される１又は複数のパケットのヘッダからシーケンス番号を取得するパケット・データ・コンバージェンス・プロトコル（ＰＤＣＰ）ヘッダ観測コンポーネントと、
前記ドナーｅＮＢとのハンドオーバー手続きを要求するハンドオーバー処理コンポーネントと、
前記ハンドオーバー手続きの一部として、前記シーケンス番号のうちの少なくとも一つを前記ドナーｅＮＢへ送信するＰＤＣＰパラメータ提供コンポーネントとを含む装置。
〔２２〕
前記ハンドオーバー手続きは、前記ＵＥをターゲット・リレーｅＮＢへハンドオーバーすることに関係する〔２１〕の装置。
〔２３〕
アップリンク・バッファの１又は複数の異なるパケットを前記ドナーｅＮＢへ通信するアップリンク・バッファ・コンテンツ・コンポーネントを更に含み、
前記アップリンク・バッファは、前記ＵＥから前記ドナーｅＮＢへ前記１又は複数の異なるパケットを通信することを容易にする〔２２〕の装置。
〔２４〕
前記ハンドオーバー手続きは、異なるドナーｅＮＢへハンドオーバーすることに関係する〔２１〕の装置。
〔２５〕
方法において、
ハンドオーバー手続きを開始するためのリクエストを、リレー発展型Ｎｏｄｅ Ｂ（ｅＮＢ）から受信することと、
前記リレーｅＮＢにより少なくとも一つのユーザ装置（ＵＥ）へ送信される最後のパケットのシーケンス番号を取得することと、
前記少なくとも一つのＵＥへ提供するための前記シーケンス番号に続く異なるシーケンス番号を有するパケットを判定することを含む方法。
〔２６〕
前記少なくとも一つのＵＥへ提供するための前記異なるシーケンス番号を有するパケットを、前記ターゲット・リレーｅＮＢへ送信することを更に含み、
前記ハンドオーバー手続きは、前記少なくとも一つのＵＥを前記ターゲット・リレーｅＮＢへハンドオーバーすることに関係する〔２５〕の方法。
〔２７〕
前記少なくとも一つのＵＥと通信するための１又は複数の無線ベアラを確立するためのリクエストを、前記ターゲット・リレーｅＮＢへ送信することを更に含む〔２６〕の方法。
〔２８〕
前記ハンドオーバー手続きは、前記少なくとも一つのＵＥを、異なるドナーｅＮＢと通信するターゲット・リレーｅＮＢへハンドオーバーすることに関係する〔２５〕の方法。
〔２９〕
前記少なくとも一つのＵＥに関係するパケット・データ・コンバージェンス・プロトコル（ＰＤＣＰ）コンテキストを、前記異なるドナーｅＮＢへ送信することを更に含む〔２８〕の方法。
〔３０〕
前記少なくとも一つのＵＥに関係する前記ＰＤＣＰコンテキストは、パケット・バッファを含み、該パケット・バッファは、１又は複数のフロー制御パラメータに従って前記少なくとも一つのＵＥへ送信するために、前記異なるシーケンス番号を有する前記パケットを含む〔２９〕の方法。
〔３１〕
前記少なくとも一つのＵＥと通信することを容易にするために、無線ベアラ及び対応するコアネットワーク・ベアラを確立することに関係する１又は複数のパラメータを、前記異なるドナーｅＮＢへ送信することを更に含む〔３０〕の方法。
〔３２〕
前記少なくとも一つのＵＥからの通信に関係するアップリンク・バッファのコンテンツを、前記リレーｅＮＢから受信することを更に含む〔３０〕の方法。
〔３３〕
前記アップリンク・バッファのコンテンツを、前記異なるドナーｅＮＢへ送信することを更に含む〔３２〕の方法。
〔３４〕
前記ハンドオーバー手続きは、前記リレーｅＮＢを異なるドナーｅＮＢへハンドオーバーすることに関係する〔２５〕の方法。
〔３５〕
前記リレーｅＮＢと通信している前記少なくとも一つのＵＥを含む複数のＵＥに関係する複数のパケット・データ・コンバージェンス・プロトコル・コンテキストを、前記異なるドナーｅＮＢへ送信することを更に含む〔３４〕の方法。
〔３６〕
前記複数のＵＥと通信するための前記リレーｅＮＢにより確立される無線ベアラに関係するコアネットワーク・ベアラを確立することに関係する１又は複数のパラメータを、前記異なるドナーｅＮＢへ送信することを更に含む〔３５〕の方法。
〔３７〕
無線通信装置において、
ハンドオーバー手続きを開始するためのリクエストを、リレー発展型Ｎｏｄｅ Ｂ（ｅＮＢ）から取得し、
前記リレーｅＮＢにより少なくとも一つのユーザ装置（ＵＥ）へ送信される最後のパケットのシーケンス番号を受信し、
前記少なくとも一つのＵＥへ提供するための前記シーケンス番号に続く異なるシーケンス番号を有するパケットを確認するように構成される少なくとも一つのプロセッサと、
前記少なくとも一つのプロセッサに接続するメモリとを含む無線通信装置。
〔３８〕
前記少なくとも一つのプロセッサは、前記異なるシーケンス番号を有する前記パケットを、前記ターゲット・リレーｅＮＢへ送信するように更に構成され、
前記ハンドオーバー手続きは、前記少なくとも一つのＵＥを前記ターゲット・リレーｅＮＢへハンドオーバーすることに関係する〔３７〕の無線通信装置。
〔３９〕
前記少なくとも一つのプロセッサは、前記少なくとも一つのＵＥと通信するための１又は複数の無線ベアラを確立するためのリクエストを、前記ターゲット・リレーｅＮＢへ通信するように更に構成される〔３８〕の無線通信装置。
〔４０〕
前記ハンドオーバー手続きは、前記少なくとも一つのＵＥを、異なるドナーｅＮＢと通信するターゲット・リレーｅＮＢへハンドオーバーすることに関係する〔３７〕の無線通信装置。
〔４１〕
前記少なくとも一つのプロセッサは、前記少なくとも一つのＵＥに関係するパケット・データ・コンバージェンス・プロトコル（ＰＤＣＰ）コンテキストを、前記異なるドナーｅＮＢへ送信するように更に構成され、
前記ＰＤＣＰコンテキストは、前記少なくとも一つのＵＥへ通信するための前記異なるシーケンス番号を有する前記パケットを含むパケット・バッファを含む〔４０〕の無線通信装置。
〔４２〕
前記少なくとも一つのプロセッサは、前記少なくとも一つのＵＥと通信することに関係する無線ベアラ及び対応するコアネットワーク・ベアラを確立することに関係する１又は複数のパラメータを、前記異なるドナーｅＮＢへ送信するように更に構成される〔４１〕の無線通信装置。
〔４３〕
前記少なくとも一つのプロセッサは、
前記リレーｅＮＢからアップリンク・バッファの１又は複数の異なるパケットを受信し、
前記１又は複数の異なるパケットを前記異なるドナーｅＮＢへ送信するように更に構成される〔４１〕の無線通信装置。
〔４４〕
前記ハンドオーバー手続きは、前記リレーｅＮＢを異なるドナーｅＮＢへハンドオーバーすることに関係する〔３７〕の無線通信装置。
〔４５〕
前記少なくとも一つのプロセッサは、前記少なくとも一つのＵＥを含む複数のＵＥに関係する複数のパケット・データ・コンバージェンス・プロトコル・コンテキスト、及び、
前記複数のＵＥと通信するための少なくとも一つのコアネットワーク・ベアラを確立することに関係する１又は複数のパラメータを、前記異なるドナーｅＮＢへ送信するように更に構成される〔４４〕の無線通信装置。
〔４６〕
装置において、
前記リレーｅＮＢとのハンドオーバー手続きの一部として、リレー発展型Ｎｏｄｅ Ｂ（ｅＮＢ）により少なくとも一つのユーザ装置（ＵＥ）へ送信される最後のパケットのシーケンス番号を受信するための手段と、
前記少なくとも一つのＵＥへ通信するための前記シーケンス番号に続く異なるシーケン
ス番号を有する次のパケットを判定するための手段とを含む装置。
〔４７〕
前記少なくとも一つのＵＥへ提供するための前記次のパケットを、ターゲット・リレーｅＮＢへ送信するための手段を更に含み、
前記ハンドオーバー手続きは、前記少なくとも一つのＵＥを前記ターゲット・リレーｅＮＢへハンドオーバーすることに関係する〔４６〕の装置。
〔４８〕
前記少なくとも一つのＵＥと通信することに関係する１又は複数の無線ベアラ又はコアネットワーク・ベアラを確立するためのリクエストを、ターゲットｅＮＢへ送信するための手段を更に含む〔４６〕の装置。
〔４９〕
前記少なくとも一つのＵＥに関係するパケット・データ・コンバージェンス・プロトコル（ＰＤＣＰ）コンテキストを、異なるドナーｅＮＢへ送信するための手段を更に含み、
該パケット・データ・コンバージェンス・プロトコル（ＰＤＣＰ）コンテキストは、前記次のパケットを含むパケット・バッファを含み、
前記ハンドオーバー手続きは、前記少なくとも一つのＵＥを、前記異なるドナーｅＮＢと通信するターゲット・リレーｅＮＢへハンドオーバーすることに関係する〔４６〕の装置。
〔５０〕
前記リレーｅＮＢからアップリンク・バッファのコンテンツを受信するための手段と、
前記アップリンク・バッファの前記コンテンツを、前記異なるドナーｅＮＢへ提供するための手段とを更に含む〔４９〕の装置。
〔５１〕
前記少なくとも一つのＵＥを含む複数のＵＥに関係する複数のパケット・データ・コンバージェンス・プロトコル・コンテキストを、異なるドナーｅＮＢへ送信するための手段を更に含み、
前記ハンドオーバー手続きは、前記リレーｅＮＢを前記異なるドナーｅＮＢへハンドオーバーすることに関係する〔４６〕の装置。
〔５２〕
コンピュータ・プログラム製品において、
少なくとも一つのコンピュータに、ハンドオーバー手続きを開始するためのリクエストを、リレー発展型Ｎｏｄｅ Ｂ（ｅＮＢ）から取得させるためのコードと、
前記少なくとも一つのコンピュータに、前記リレーｅＮＢにより少なくとも一つのユーザ装置（ＵＥ）へ送信される最後のパケットのシーケンス番号を受信させるためのコードと、
前記少なくとも一つのコンピュータに、前記少なくとも一つのＵＥへ提供するための、前記シーケンス番号に続く異なるシーケンス番号を有するパケットを確認させるためのコードとを含むコンピュータ読み取り可能な媒体を含むコンピュータ・プログラム製品。
〔５３〕
前記コンピュータ読み取り可能な媒体は、前記少なくとも一つのコンピュータに、前記異なるシーケンス番号を有する前記パケットを、前記ターゲット・リレーｅＮＢへ送信させるためのコードを更に含み、
前記ハンドオーバー手続きは、前記少なくとも一つのＵＥを前記ターゲット・リレーｅＮＢへハンドオーバーすることに関係する〔５２〕のコンピュータ・プログラム製品。
〔５４〕
前記コンピュータ読み取り可能な媒体は、前記少なくとも一つのコンピュータに、前記少なくとも一つのＵＥと通信するための１又は複数の無線ベアラを確立するためのリクエストを、前記ターゲット・リレーｅＮＢへ送信させるためのコードを更に含む〔５３〕のコンピュータ・プログラム製品。
〔５５〕
前記ハンドオーバー手続きは、前記少なくとも一つのＵＥを、異なるドナーｅＮＢと通信するターゲット・リレーｅＮＢへハンドオーバーすることに関係する〔５２〕のコンピュータ・プログラム製品。
〔５６〕
前記コンピュータ読み取り可能な媒体は、前記少なくとも一つのコンピュータに、前記少なくとも一つのＵＥに関係するパケット・データ・コンバージェンス・プロトコル（ＰＤＣＰ）コンテキストを、前記異なるドナーｅＮＢへ送信させるためのコードを更に含み、
前記ＰＤＣＰコンテキストは、前記少なくとも一つのＵＥへ通信するための前記異なるシーケンス番号を有する前記パケットを含むパケット・バッファを含む〔５５〕のコンピュータ・プログラム製品。
〔５７〕
コンピュータ読み取り可能な媒体は、前記少なくとも一つのＵＥと通信するための無線ベアラ及び対応するコアネットワーク・ベアラを確立することに関係する１又は複数のパラメータを、前記異なるドナーｅＮＢへ送信させるためのコードを更に含む〔５６〕のコンピュータ・プログラム製品。
〔５８〕
前記コンピュータ読み取り可能な媒体は、前記少なくとも一つのコンピュータに、前記リレーｅＮＢからアップリンク・バッファの１又は複数の異なるパケットを受信させ、前記１又は複数の異なるパケットを前記異なるドナーｅＮＢへ送信させるためのコードを更に含む〔５６〕のコンピュータ・プログラム製品。
〔５９〕
前記ハンドオーバー手続きは、前記リレーｅＮＢを異なるドナーｅＮＢへハンドオーバーすることに関係する〔５２〕のコンピュータ・プログラム製品。
〔６０〕
前記コンピュータ読み取り可能な媒体は、前記少なくとも一つのコンピュータに、前記少なくとも一つのＵＥを含む複数のＵＥに関係する複数のパケット・データ・コンバージェンス・プロトコル・コンテキスト、及び、前記複数のＵＥと通信するための少なくとも一つのコアネットワーク・ベアラを確立することに関係する１又は複数のパラメータを、
前記異なるドナーｅＮＢへ送信させるためのコードを更に含む〔５９〕のコンピュータ・プログラム製品。
〔６１〕
装置において、
前記リレーｅＮＢとのハンドオーバー手続きの一部として、リレー発展型Ｎｏｄｅ Ｂ（ｅＮＢ）により少なくとも一つのユーザ装置（ＵＥ）へ送信される最後のパケットのシーケンス番号を取得するパケット・データ・コンバージェンス・プロトコル（ＰＤＣＰ）パラメータ受信コンポーネントと、
前記シーケンス番号を記憶し、前記少なくとも一つのＵＥへ通信するための前記シーケンス番号に続く異なるシーケンス番号を有する次のパケットを判定するＰＤＣＰコンテキスト維持コンポーネントとを含む装置。
〔６２〕
前記少なくとも一つのＵＥへ提供するための前記次のパケットを、ターゲット・リレーｅＮＢへ送信するＰＤＣＰパラメータ提供コンポーネントを更に含み、
前記ハンドオーバー手続きは、前記少なくとも一つのＵＥを前記ターゲット・リレーｅＮＢへハンドオーバーすることに関係する〔６１〕の装置。
〔６３〕
前記少なくとも一つのＵＥで通信することに関係する１又は複数の無線ベアラ又はコアネットワーク・ベアラを確立するためのリクエストを、ターゲットｅＮＢへ送信するベアラ情報提供コンポーネントを更に含む〔６１〕の装置。
〔６４〕
前記少なくとも一つのＵＥに関係するＰＤＣＰコンテキストを、異なるドナーｅＮＢへ送信するＰＤＣＰパラメータ提供コンポーネントを更に含み、該ＰＤＣＰコンテキストは、前記次のパケットを含むパケット・バッファを含み、
前記ハンドオーバー手続きは、前記少なくとも１つのＵＥを、前記異なるドナーｅＮＢと通信するターゲット・リレーｅＮＢへハンドオーバーすることに関係する〔６１〕の
装置。
〔６５〕
前記リレーｅＮＢからアップリンク・バッファのコンテンツを取得するアップリンク・バッファ・コンテンツ受信コンポーネントと、
前記アップリンク・バッファのコンテンツを、前記異なるドナーｅＮＢへ送信するアップリンク・バッファ・コンテンツ提供コンポーネントとを更に含む〔６４〕の装置。
〔６６〕
前記少なくとも一つのＵＥを含む複数のＵＥに関係する複数のＰＤＣＰを、異なるドナーｅＮＢへ送信するＰＤＣＰパラメータ提供コンポーネントを更に含み、
前記ハンドオーバー手続きは、前記リレーｅＮＢを前記異なるドナーｅＮＢへハンドオーバーすることに関係する〔６１〕の装置。
〔６７〕
方法において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを受信することと、
前記コアネットワークと少なくとも一つのベアラを確立することと、
前記少なくとも一つのベアラの上で前記コアネットワークからパケットを受信することと、
前記ＵＥへ提供するためのパケットを、リレーｅＮＢへ通信することを含む方法。
〔６８〕
ハンドオーバー手続きの一部として、前記ドナーｅＮＢから、前記ＵＥと通信するために確立するための少なくとも一つの無線ベアラに関する１又は複数の異なるパラメータを受信することと、
前記１又は複数の異なるパラメータに少なくとも部分的に基づいて、前記少なくとも一つの無線ベアラを確立するためのリクエストを、前記リレーｅＮＢへ送信することを更に含む〔６７〕の方法。
〔６９〕
前記パケットにおいて前記少なくとも一つの無線ベアラの識別子を示すことを更に含む〔６８〕の方法。
〔７０〕
前記ＵＥと通信することに関するパケット・データ・コンバージェンス・プロトコル（ＰＤＣＰ）コンテキストを、前記ドナーｅＮＢから取得することと、
前記ＵＥへ提供するために、ＰＤＣＰコンテキストにおけるバッファからの１又は複数のパケットを、前記リレーｅＮＢへ送信することを更に含む〔６９〕の方法。
〔７１〕
前記ハンドオーバー手続きは、前記ドナーｅＮＢから前記リレーｅＮＢをハンドオーバーすることに関係する〔６７〕の方法。
〔７２〕
前記ＵＥと通信している異なるリレーｅＮＢのアップリンク・バッファのコンテンツを受信することと、
前記アップリンク・バッファの前記コンテンツを、前記コアネットワークへ通信することを更に含む〔７１〕の方法。
〔７３〕
前記ＵＥへ提供するために、前記アップリンク・バッファの前記コンテンツのうちの少なくとも一部に応答して、前記コアネットワークから１又は複数のパケットを受信することを更に含む〔７２〕の方法。
〔７４〕
無線通信装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得し、
前記コアネットワークと少なくとも一つのベアラをアクティベートし、
前記少なくとも一つのベアラの上で前記コアネットワークからパケットを取得し、
前記ＵＥへ提供するためのパケットを、リレーｅＮＢへ通信するように構成される少なくとも一つのプロセッサと、
前記少なくとも一つのプロセッサに接続するメモリとを含む無線通信装置。
〔７５〕
前記少なくとも一つのプロセッサは、
前記ドナーｅＮＢから、前記ＵＥと通信するために確立するための少なくとも一つの無線ベアラに関する前記ハンドオーバー手続き中に、１又は複数の異なるパラメータを取得することと、
前記１又は複数の異なるパラメータに少なくとも部分的に基づいて、前記少なくとも一つの無線ベアラを確立するためのリクエストを、前記リレーｅＮＢへ通信するように更に構成される〔７４〕の無線通信装置。
〔７６〕
前記少なくとも一つのプロセッサは、前記パケットにおいて前記少なくとも一つの無線ベアラを識別するように更に構成される〔７５〕の無線通信装置。
〔７７〕
前記少なくとも一つのプロセッサは、
前記ＵＥと通信することに関係する前記ドナーｅＮＢから、パケット・データ・コンバージェンス・プロトコル（ＰＤＣＰ）コンテキストを取得することと、
前記ＵＥへ送信するために、前記ＰＤＣＰコンテキストにおけるバッファからの１又は複数のパケットを、前記リレーｅＮＢへ提供するように更に構成される〔７６〕の無線通信装置。
〔７８〕
前記少なくとも一つのプロセッサは、
前記ＵＥと通信している異なるリレーｅＮＢのアップリンク・バッファのコンテンツを取得することと、
前記アップリンク・バッファの前記コンテンツを、前記コアネットワークへ通信するように更に構成され、
前記ハンドオーバー手続きは、前記ドナーｅＮＢから前記リレーｅＮＢをハンドオーバーすることに関係する〔７４〕の無線通信装置。
〔７９〕
前記少なくとも一つのプロセッサは、前記ＵＥへ提供するために、前記アップリンク・バッファの前記コンテンツのうちの少なくとも一部に応答して、前記コアネットワークから１又は複数のパケットを受信するように更に構成される〔７８〕の無線通信装置。
〔８０〕
装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを受信するための手段と、
前記コアネットワークと少なくとも一つのベアラを確立するための手段と、
前記少なくとも一つのベアラの上で前記コアネットワークからパケットを受信するための手段と、
前記ＵＥへ提供するためのパケットを、リレーｅＮＢへ通信するための手段とを含む装置。
〔８１〕
前記ハンドオーバー手続きの一部として、前記１又は複数のパラメータを受信するための前記手段は、前記ドナーｅＮＢから、前記ＵＥと通信するために確立するための少なくとも一つの無線ベアラに関係する１又は複数の異なるパラメータを受信し、
前記少なくとも一つのベアラを確立するための前記手段は、前記１又は複数の異なるパラメータに少なくとも部分的に基づいて、前記少なくとも一つの無線ベアラを確立するためのリクエストを、前記リレーｅＮＢへ通信する〔８０〕の装置。
〔８２〕
前記ドナーｅＮＢから、前記ＵＥと通信することに関係するパケット・データ・コンバージェンス・プロトコル（ＰＤＣＰ）コンテキストを取得するための手段を更に含み、
前記通信するための手段は、更に、前記ＵＥへ送信するために、前記ＰＤＣＰコンテキストにおけるバッファからの１又は複数のパケットを、前記リレーｅＮＢへ通信する〔８１〕の装置。
〔８３〕
異なるリレーｅＮＢのアップリンク・バッファのコンテンツを受信するための手段を更に含み、
前記コアネットワークと前記少なくとも一つのベアラを確立するための前記手段は、更に、前記アップリンク・バッファの前記コンテンツを、前記コアネットワークへ通信する〔８０〕の装置。
〔８４〕
コンピュータ・プログラム製品において、
少なくとも一つのコンピュータに、ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得させるためのコードと、
前記少なくとも一つのコンピュータに、前記コアネットワークと少なくとも一つのベアラをアクティベートさせるためのコードと、
前記少なくとも一つのコンピュータに、前記少なくとも一つのベアラの上で前記コアネットワークからパケットを取得させるためのコードと、
前記少なくとも一つのコンピュータに、前記ＵＥへ提供するためのパケットを、リレーｅＮＢへ通信させるためのコードとを含むコンピュータ読み取り可能な媒体を含むコンピュータ・プログラム製品。
〔８５〕
前記コンピュータ読み取り可能な媒体は、
前記少なくとも一つのコンピュータに、前記ドナーｅＮＢから、前記ＵＥと通信するために確立するための少なくとも一つの無線ベアラに関する前記ハンドオーバー手続き中に、１又は複数の異なるパラメータを取得させるためのコードと、
前記少なくとも一つのコンピュータに、
前記１又は複数の異なるパラメータに少なくとも部分的に基づいて、前記少なくとも一つの無線ベアラを確立するためのリクエストを、前記リレーｅＮＢへ通信させるためのコードとを更に含む〔８４〕のコンピュータ・プログラム製品。
〔８６〕
前記コンピュータ読み取り可能な媒体は、前記少なくとも一つのコンピュータに、前記パケットにおいて前記少なくとも一つの無線ベアラを識別させるためのコードを更に含む〔８５〕のコンピュータ・プログラム製品。
〔８７〕
前記コンピュータ読み取り可能な媒体は、
前記少なくとも一つのコンピュータに、前記ＵＥと通信することに関係する前記ドナーｅＮＢから、パケット・データ・コンバージェンス・プロトコル（ＰＤＣＰ）コンテキストを取得させるためのコードと、
前記少なくとも一つのコンピュータに、前記ＵＥへ送信するために、前記ＰＤＣＰコンテキストにおけるバッファからの１又は複数のパケットを、前記リレーｅＮＢへ提供させるためのコードとを更に含む〔８６〕のコンピュータ・プログラム製品。
〔８８〕
前記コンピュータ読み取り可能な媒体は、
前記少なくとも一つのコンピュータに、前記ＵＥと通信している異なるリレーｅＮＢのアップリンク・バッファのコンテンツを取得させるためのコードと、
前記少なくとも一つのコンピュータに、前記アップリンク・バッファの前記コンテンツを、前記コアネットワークへ通信させるためのコードとを更に含み、
前記ハンドオーバー手続きは、前記ドナーｅＮＢから前記リレーｅＮＢをハンドオーバーすることに関係する〔８４〕のコンピュータ・プログラム製品。
〔８９〕
前記コンピュータ読み取り可能な媒体は、前記少なくとも一つのコンピュータに、前記ＵＥへ提供するために、前記アップリンク・バッファの前記コンテンツのうちの少なくとも一部に応答して、前記コアネットワークから１又は複数のパケットを受信させるためのコードを更に含む〔８８〕のコンピュータ・プログラム製品。
〔９０〕
装置において、
ハンドオーバー手続きの一部として、ドナー発展型Ｎｏｄｅ Ｂ（ｅＮＢ）から、ユーザ装置（ＵＥ）と通信するためにコアネットワークと確立するための少なくとも一つのベアラに関する１又は複数のパラメータを取得するベアラ情報受信コンポーネントと、
前記コアネットワークと少なくとも一つのベアラをアクティベートするベアラ確立要求コンポーネントと、
前記少なくとも一つのベアラの上で前記コアネットワークからパケットを受信するバックホール・リンク・コンポーネントと、
前記ＵＥへ提供するためのパケットを、リレーｅＮＢへ通信するパケット・ルーティング・コンポーネントとを含む装置。
〔９１〕
前記ハンドオーバー手続きの一部として、前記ベアラ情報受信コンポーネントは、更に、前記ドナーｅＮＢから、前記ＵＥと通信するために確立するための少なくとも一つの無線ベアラに関係する１又は複数の異なるパラメータを受信し、
前記ベアラ確立要求コンポーネントは、前記１又は複数の異なるパラメータに少なくとも部分的に基づいて、前記少なくとも一つの無線ベアラを確立するためのリクエストを、前記リレーｅＮＢへ通信する〔９０〕の装置。
〔９２〕
前記ドナーｅＮＢから、前記ＵＥと通信することに関係するパケット・データ・コンバージェンス・プロトコル（ＰＤＣＰ）コンテキストを取得するパケット・データ・コンバージェンス・プロトコル（ＰＤＣＰ）パラメータ受信コンポーネントを更に含み、
前記パケット・ルーティング・コンポーネントは、更に、前記ＵＥへ送信するために、
前記ＰＤＣＰコンテキストにおけるバッファからの１又は複数のパケットを、前記リレーｅＮＢへ通信する〔９１〕の装置。
〔９３〕
異なるリレーｅＮＢのアップリンク・バッファのコンテンツを取得するアップリンク・バッファ・コンテンツ受信コンポーネントを更に含み、
前記バックホール・リンク・コンポーネントは、前記アップリンク・バッファの前記コンテンツを、前記コアネットワークへ通信する〔９０〕の装置。
〔９４〕
前記バックホール・リンク・コンポーネントは、前記ＵＥへ提供するために、前記アップリンク・バッファの前記コンテンツのうちの少なくとも一部に応答して、前記コアネットワークから１又は複数のパケットを受信する〔９３〕の装置。
【図１】
0005431571.tif 000006
【図２】
0005431571.tif 000007
【図３】
0005431571.tif 000008
【図４】
0005431571.tif 000009
【図５】
0005431571.tif 000010
【図６】
0005431571.tif 000011
【図７】
0005431571.tif 000012
【図８】
0005431571.tif 000013
【図９】
0005431571.tif 000014
【図１０】
0005431571.tif 000015
【図１１】
0005431571.tif 000016
【図１２】
0005431571.tif 000017
【図１３】
0005431571.tif 000018
【図１４】
0005431571.tif 000019
【図１５】
0005431571.tif 000020
【図１６】
0005431571.tif 000021
【図１７】
0005431571.tif 000022
【図１８】
0005431571.tif 000023
【図１９】
0005431571.tif 000024
【図２０】
0005431571.tif 000025
【図２１】
0005431571.tif 000026
【図２２】
0005431571.tif 000027